(57)【要約】本出願は、データ送信の信頼性が改善され得るようなデータ送信の方法および装置ならびにシステムを提供する。本方法は、ネットワークデバイスと端末デバイスとを含む通信システムに適用され、ネットワークデバイスと端末デバイスとは、複数のプリコーディング行列を事前記憶し、本方法は、端末デバイスによって、チャネル測定のために使用される複数の基準信号を受信するステップと、端末デバイスによって、少なくとも１つの基準信号とＣＳＩフィードバックが基づく送信方式とに基づいて第１の指示情報の複数の部分を送るステップであって、第１の指示情報の複数の部分は、ｘ個のターゲットプリコーディング行列を示すために使用され、第１の指示情報の複数の部分のうちの少なくとも１つは、１つのターゲットプリコーディング行列を示すために使用され、ｘ個のターゲットプリコーディング行列は、複数のプリコーディング行列に基づいて決定され、ｘは、フィードバックされる必要があるターゲットプリコーディング行列の数量であり、ｘは、１よりも大きい整数である、ステップとを含む。
2020526093.tif 000002
【特許請求の範囲】
【請求項１】
データ送信の方法であって、当該方法は、ネットワークデバイスと端末デバイスとを含む通信システムに適用され、前記ネットワークデバイスと前記端末デバイスとは、複数のプリコーディング行列を事前記憶し、前記方法は、
前記端末デバイスによって、チャネル測定のために使用される少なくとも１つの基準信号を受信するステップと、
前記端末デバイスによって、少なくとも１つの基準信号とチャネル状態情報ＣＳＩフィードバックが基づく送信方式とに基づいて第１の指示情報の複数の部分を送るステップであって、前記第１の指示情報の複数の部分は、ｘ個のターゲットプリコーディング行列を示すために使用され、前記第１の指示情報の複数の部分のうちの少なくとも１つは、１つのターゲットプリコーディング行列を示すために使用され、ｘ個のターゲットプリコーディング行列は、複数のプリコーディング行列に基づいて決定され、
ｘは、フィードバックされる必要があるターゲットプリコーディング行列の数量であり、ｘは、１よりも大きい整数である、ステップと
を備える方法。
【請求項２】
前記少なくとも１つの基準信号の各々は、プリコーダ循環を受けた基準信号であり、前記第１の指示情報の複数の部分の各々は、前記少なくとも１つの基準信号のうちの１つに対応し、プリコーダ循環の粒度にあるプリコーディング行列を示すために使用され、プリコーダ循環の回数の数量は、１以上であり、プリコーダ循環のために使用されるプリコーディング行列の数量は、ｙであり、ｙは、１よりも大きい整数である、請求項１に記載の方法。
【請求項３】
ｙ＝ｘであるとき、プリコーダ循環のために使用される前記ｙ個のプリコーディング行列の各々は、前記ｘ個のターゲットプリコーディング行列のうちの１つを決定するために使用され、前記ｙ個のプリコーディング行列は、前記ｘ個のターゲットプリコーディング行列と１対１で対応する、請求項２に記載の方法。
【請求項４】
ｙ＞ｘであるとき、前記方法は、
前記端末デバイスによって、第２の指示情報を送るステップであって、前記第２の指示情報は、プリコーダ循環のために使用される前記ｙ個のプリコーディング行列中のｘ個のプリコーディング行列を示し、プリコーダ循環のために使用される前記ｘ個のプリコーディング行列の各々は、前記ｘ個のターゲットプリコーディング行列のうちの１つを決定するために使用され、プリコーダ循環のために使用される前記ｘ個のプリコーディング行列は、前記ｘ個のターゲットプリコーディング行列と１対１で対応する、ステップをさらに含む請求項２に記載の方法。
【請求項５】
前記少なくとも１つの基準信号の各々は、プリコードされていない基準信号であり、前記第１の指示情報の複数の部分の各々は、３つのコードブックインデックスを含み、前記第１の指示情報の各部分中の３つのコードブックインデックスは、１つのプリコーディング行列を一緒に示すために使用され、前記第１の指示情報の複数の部分は、ｘ個のターゲットプリコーディング行列と１対１で対応する、請求項１に記載の方法。
【請求項６】
データ送信の方法であって、当該方法は、ネットワークデバイスと端末デバイスとを含む通信システムに適用され、前記ネットワークデバイスと前記端末デバイスとは、複数のプリコーディング行列セットを事前記憶し、複数のプリコーディング行列セットの各々は、少なくとも１つのプリコーディング行列を含み、前記方法は、
前記端末デバイスによって、チャネル測定のために使用される複数の基準信号を受信するステップと、
前記端末デバイスによって、複数の基準信号とＣＳＩフィードバックが基づく送信方式とに基づいて第３の指示情報と第４の指示情報とを送るステップであって、前記第３の指示情報は、複数のプリコーディング行列セット中の第１のプリコーディング行列セットを示すために使用され、前記第４の指示情報は、前記第１のプリコーディング行列セット中のｘ個のターゲットプリコーディング行列を示すために使用され、
ｘは、フィードバックされる必要があるターゲットプリコーディング行列の数量であり、ｘは、１よりも大きい整数である、ステップと
を備える方法。
【請求項７】
前記複数の基準信号の各々は、プリコードされていない基準信号であり、前記第３の指示情報は、２つのコードブックインデックスを含み、前記第３の指示情報中の前記２つのコードブックインデックスは、前記第１のプリコーディング行列セットを一緒に示すために使用される、請求項６に記載の方法。
【請求項８】
前記端末デバイスによって、プリコーダ循環の粒度の指示情報を送るステップをさらに備える、請求項１ないし７のいずれか一項に記載の方法。
【請求項９】
前記端末デバイスによって、第５の指示情報を受信するステップであって、前記第５の指示情報は、フィードバックされる必要があるターゲットプリコーディング行列の数量ｘを示す、ステップをさらに備える、請求項１ないし８のいずれか一項に記載の方法。
【請求項１０】
フィードバックされる必要があるターゲットプリコーディング行列の前記数量ｘは、前記ネットワークデバイスと前記端末デバイスとの中に事前構成される、請求項１ないし８のいずれか一項に記載の方法。
【請求項１１】
データ送信の方法であって、当該方法は、ネットワークデバイスと端末デバイスとを含む通信システムに適用され、前記ネットワークデバイスと前記端末デバイスとは、複数のプリコーディング行列を事前記憶し、前記方法は、
前記ネットワークデバイスによって、チャネル測定のために使用される少なくとも１つの基準信号を送るステップと、
前記ネットワークデバイスによって、少なくとも１つの基準信号とＣＳＩフィードバックが基づく送信方式とに基づいて前記端末デバイスによってフィードバックされた第１の指示情報の複数の部分を受信するステップであって、前記第１の指示情報の複数の部分は、ｘ個のターゲットプリコーディング行列を示すために使用され、前記第１の指示情報の複数の部分のうちの少なくとも１つは、１つのターゲットプリコーディング行列を示すために使用され、ｘ個のターゲットプリコーディング行列は、複数のプリコーディング行列に基づいて決定される、ステップと、
前記ネットワークデバイスによって、前記第１の指示情報の複数の部分に基づいて前記ｘ個のターゲットプリコーディング行列を決定するステップであって、
ｘは、フィードバックされる必要があるターゲットプリコーディング行列の数量であり、ｘは、１よりも大きい整数である、ステップと
を備える方法。
【請求項１２】
前記少なくとも１つの基準信号の各々は、プリコーダ循環を受けた基準信号であり、前記第１の指示情報の複数の部分の各々は、少なくとも１つの基準信号のうちの１つに対応し、プリコーダ循環の粒度にあるプリコーディング行列を示すために使用され、プリコーダ循環の回数の数量は、１以上であり、プリコーダ循環のために使用されるプリコーディング行列の数量は、ｙであり、ｙは、１よりも大きい整数である、請求項１１に記載の方法。
【請求項１３】
ｙ＝ｘであるとき、前記ネットワークデバイスによって、前記第１の指示情報の複数の部分に基づいて前記ｘ個のターゲットプリコーディング行列を決定するステップは、
前記ネットワークデバイスによって、前記第１の指示情報の複数の部分とプリコーダ循環のために使用されるｙ個のプリコーディング行列のすべてとに基づいて前記ｘ個のターゲットプリコーディング行列のすべてを決定するステップであって、プリコーダ循環のために使用される前記ｙ個のプリコーディング行列は、前記ｘ個のターゲットプリコーディング行列と１対１で対応する、ステップを含む、請求項１２に記載の方法。
【請求項１４】
ｙ＞ｘであるとき、前記ネットワークデバイスによって、前記第１の指示情報の複数の部分に基づいて前記ｘ個のターゲットプリコーディング行列を決定するステップは、
前記ネットワークデバイスによって、第２の指示情報を受信し、前記第２の指示情報に基づいて、プリコーダ循環のために使用される前記ｙ個のプリコーディング行列からｘ個のプリコーディング行列を決定するステップと、
前記ネットワークデバイスによって、前記第１の指示情報の複数の部分とプリコーダ循環のために使用される前記ｘ個のプリコーディング行列のすべてとに基づいて前記ｘ個のターゲットプリコーディング行列のすべてを決定するステップであって、プリコーダ循環のために使用される前記ｘ個のプリコーディング行列は、前記ｘ個のターゲットプリコーディング行列と１対１で対応する、ステップと
を含む、請求項１２に記載の方法。
【請求項１５】
前記少なくとも１つの基準信号の各々は、プリコードされていない基準信号であり、前記第１の指示情報の複数の部分の各々は、３つのコードブックインデックスを含み、第１の指示情報の各部分中の３つのコードブックインデックスは、１つのプリコーディング行列を一緒に示すために使用され、前記第１の指示情報の複数の部分は、ｘ個のターゲットプリコーディング行列と１対１で対応する、請求項１１に記載の方法。
【請求項１６】
データ送信の方法であって、当該方法は、ネットワークデバイスと端末デバイスとを含む通信システムに適用され、前記ネットワークデバイスと前記端末デバイスとは、複数のプリコーディング行列セットを事前記憶し、前記複数のプリコーディング行列セットの各々は、少なくとも１つのプリコーディング行列を含み、前記方法は、
前記ネットワークデバイスによって、チャネル測定のために使用される複数の基準信号を送るステップと、
前記ネットワークデバイスによって、複数の基準信号とＣＳＩフィードバックが基づく送信方式とに基づいて前記端末デバイスによってフィードバックされた第３の指示情報と第４の指示情報とを受信するステップであって、前記第３の指示情報は、前記複数のプリコーディング行列セット中の第１のプリコーディング行列セットを示すために使用され、前記第４の指示情報は、前記第１のプリコーディング行列セット中のｘ個のターゲットプリコーディング行列を示すために使用される、ステップと、
前記ネットワークデバイスによって、前記第３の指示情報と前記第４の指示情報とに基づいて前記ｘ個のターゲットプリコーディング行列を決定するステップであって、
ｘは、フィードバックされる必要があるターゲットプリコーディング行列の数量であり、ｘは、１よりも大きい整数である、ステップと
を備える方法。
【請求項１７】
前記複数の基準信号の各々は、プリコードされていない基準信号であり、前記第３の指示情報は、２つのコードブックインデックスを含み、前記第３の指示情報中の前記２つのコードブックインデックスは、前記第１のプリコーディング行列セットを一緒に示すために使用される、請求項１４に記載の方法。
【請求項１８】
前記ネットワークデバイスによって、プリコーダ循環の粒度の指示情報を受信するステップをさらに備える、請求項１１ないし１７のいずれか一項に記載の方法。
【請求項１９】
前記ネットワークデバイスによって、第５の指示情報を送るステップであって、前記第５の指示情報は、フィードバックされる必要があるターゲットプリコーディング行列の数量ｘを示す、ステップをさらに備える、請求項１１ないし１８のいずれか一項に記載の方法。
【請求項２０】
フィードバックされる必要があるターゲットプリコーディング行列の前記数量ｘは、前記ネットワークデバイスと前記端末デバイスとの中に事前構成される、請求項１１ないし１８のいずれか一項に記載の方法。
【請求項２１】
請求項１ないし２０のいずれか一項に記載の方法を実行するように構成されたデータ送信装置。
【請求項２２】
データ送信装置であって、
コンピュータプログラムを記憶するように構成されたメモリと、
前記メモリに記憶された前記コンピュータプログラムを実行して、前記装置が請求項１ないし２０のいずれか一項に記載の方法を実行するように構成されたプロセッサと
を備える装置。
【請求項２３】
チャネル測定指示の方法であって、
端末デバイスによって、第１０の指示情報を受信するステップであって、前記第１０の指示情報は、チャネル測定が基づく周波数帯域の粒度を示し、１つの周波数帯域の粒度に対応する周波数帯域は、１つのプリコーディング行列に対応する、ステップと、
前記端末デバイスによって、前記第１０の指示情報に基づいて前記周波数帯域の粒度を決定するステップと
を備える方法。
【請求項２４】
前記端末デバイスによって、前記周波数帯域の粒度に基づいて測定帯域幅に対してチャネル測定を実行するステップであって、前記測定帯域幅は、チャネル状態情報ＣＳＩをフィードバックするための帯域幅である、ステップをさらに備える請求項２３に記載の方法。
【請求項２５】
ＣＳＩをフィードバックするための前記帯域幅は、基準信号を送信するための帯域幅の全部または一部である、請求項２４に記載の方法。
【請求項２６】
前記周波数帯域の粒度は、プリコーディングリソースブロックグループＰＲＧの帯域幅サイズである、請求項２３ないし２５のいずれか一項に記載の方法。
【請求項２７】
前記プリコーディング行列は、あらかじめ定義されたコードブックから前記端末デバイスによってランダムに選択される、請求項２３ないし２６のいずれか一項に記載の方法。
【請求項２８】
前記端末デバイスによって、前記周波数帯域の粒度に基づいて測定帯域幅に対してチャネル測定を実行する前記ステップは、
前記端末デバイスによって、プリコーダ循環の粒度として前記周波数帯域の粒度を使用し、プリコーダ循環の送信方式に基づいて前記測定帯域幅に対してチャネル測定を実行するステップを含む請求項２４ないし２６のいずれか一項に記載の方法。
【請求項２９】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項２３ないし２８のいずれか一項に記載の方法。
【請求項３０】
同じ周波数帯域の粒度を有する任意の２つの隣接する周波数帯域に対応するプリコーディング行列は異なる、請求項２３ないし２９のいずれか一項に記載の方法。
【請求項３１】
チャネル測定指示の方法であって、
ネットワークデバイスによって、チャネル測定が基づく周波数帯域の粒度を決定するステップであって、１つの周波数帯域の粒度に対応する周波数帯域は、１つのプリコーディング行列に対応する、ステップと、
前記ネットワークデバイスによって、第１０の指示情報を送るステップであって、前記第１０の指示情報は、前記周波数帯域の粒度を示す、ステップと
を備える方法。
【請求項３２】
前記周波数帯域の粒度は、プリコーディングリソースブロックグループＰＲＧの帯域幅サイズである、請求項３１に記載の方法。
【請求項３３】
前記指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項３１または３２に記載の方法。
【請求項３４】
同じ周波数帯域の粒度を有する任意の２つの隣接する周波数帯域に対応するプリコーディング行列は異なる、請求項３１ないし３３のいずれか一項に記載の方法。
【請求項３５】
端末デバイスであって、
第１０の指示情報を受信するように構成されたトランシーバモジュールであって、前記第１０の指示情報は、チャネル測定が基づく周波数帯域の粒度を示し、１つの周波数帯域の粒度に対応する周波数帯域は、１つのプリコーディング行列に対応する、トランシーバモジュールと、
前記第１０の指示情報に基づいて前記周波数帯域の粒度を決定するように構成された処理モジュールと
を備える端末デバイス。
【請求項３６】
前記処理モジュールは、前記周波数帯域の粒度に基づいて測定帯域幅に対してチャネル測定を実行することであって、前記測定帯域幅は、チャネル状態情報ＣＳＩをフィードバックするための帯域幅であるようにさらに構成された請求項３５に記載の端末デバイス。
【請求項３７】
ＣＳＩをフィードバックするための前記帯域幅は、基準信号を送信するための帯域幅の全部または一部である請求項３６に記載の端末デバイス。
【請求項３８】
前記周波数帯域の粒度は、プリコーディングリソースブロックグループＰＲＧの帯域幅サイズである、請求項３５ないし３７のいずれか一項に記載の端末デバイス。
【請求項３９】
前記プリコーディング行列は、あらかじめ定義されたコードブックからランダムに選択される、請求項３５ないし３８のいずれか一項に記載の端末デバイス。
【請求項４０】
前記処理モジュールは、プリコーダ循環の粒度として前記周波数帯域の粒度を使用し、プリコーダ循環の送信方式に基づいてチャネル測定を実行するように特に構成された請求項３６ないし３８のいずれか一項に記載の端末デバイス。
【請求項４１】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項３５ないし４０のいずれか一項に記載の端末デバイス。
【請求項４２】
同じ周波数帯域の粒度を有する任意の２つの隣接する周波数帯域に対応するプリコーディング行列は異なる、請求項３５ないし４１のいずれか一項に記載の端末デバイス。
【請求項４３】
ネットワークデバイスであって、
チャネル測定が基づく周波数帯域の粒度を決定することであって、１つの周波数帯域の粒度に対応する周波数帯域は、１つのプリコーディング行列に対応するように構成された処理モジュールと、
第１０の指示情報を送ることであって、前記第１０の指示情報は、前記周波数帯域の粒度を示すように構成されたトランシーバモジュールと
を備えるネットワークデバイス。
【請求項４４】
前記周波数帯域の粒度は、プリコーディングリソースブロックグループＰＲＧの帯域幅サイズである、請求項４３に記載のネットワークデバイス。
【請求項４５】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項４３または４４に記載のネットワークデバイス。
【請求項４６】
同じ周波数帯域の粒度を有する任意の２つの隣接する周波数帯域に対応するプリコーディング行列は異なる、請求項４３ないし４５のいずれか一項に記載のネットワークデバイス。
【請求項４７】
端末デバイスであって、
第１０の指示情報を受信するように構成されたプロセッサであって、前記第１０の指示情報は、チャネル測定が基づく周波数帯域の粒度を示し、１つの周波数帯域の粒度に対応する周波数帯域は、１つのプリコーディング行列に対応する、プロセッサと、
前記第１０の指示情報に基づいて前記周波数帯域の粒度を決定するように構成されたトランシーバと
を備える端末デバイス。
【請求項４８】
前記プロセッサは、前記周波数帯域の粒度に基づいて測定帯域幅に対してチャネル測定を実行することであって、前記測定帯域幅は、チャネル状態情報ＣＳＩをフィードバックするための帯域幅であるようにさらに構成された請求項４７に記載の端末デバイス。
【請求項４９】
ＣＳＩをフィードバックするための前記帯域幅は、基準信号を送信するための帯域幅の全部または一部である、請求項４８に記載の端末デバイス。
【請求項５０】
前記周波数帯域の粒度は、プリコーディングリソースブロックグループＰＲＧの帯域幅サイズである、請求項４７ないし４９のいずれか一項に記載の端末デバイス。
【請求項５１】
前記プリコーディング行列は、あらかじめ定義されたコードブックからランダムに選択される、請求項４７ないし５０のいずれか一項に記載の端末デバイス。
【請求項５２】
前記プロセッサは、プリコーダ循環の粒度として前記周波数帯域の粒度を使用し、プリコーダ循環の送信方式に基づいて前記測定帯域幅に対してチャネル測定を実行するように特に構成された請求項４８ないし５０のいずれか一項に記載の端末デバイス。
【請求項５３】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項４７ないし５２のいずれか一項に記載の端末デバイス。
【請求項５４】
同じ周波数帯域の粒度を有する任意の２つの隣接する周波数帯域に対応するプリコーディング行列は異なる、請求項４７ないし５３のいずれか一項に記載の端末デバイス。
【請求項５５】
ネットワークデバイスであって、
チャネル測定が基づく周波数帯域の粒度を決定することであって、１つの周波数帯域の粒度に対応する周波数帯域は、１つのプリコーディング行列に対応するように構成されたプロセッサと、
第１０の指示情報を送ることであって、前記第１０の指示情報は、前記周波数帯域の粒度を示すように構成されたトランシーバと
を備えるネットワークデバイス。
【請求項５６】
前記周波数帯域の粒度は、プリコーディングリソースブロックグループＰＲＧの帯域幅サイズである、請求項５５に記載のネットワークデバイス。
【請求項５７】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項５５または５６に記載のネットワークデバイス。
【請求項５８】
同じ周波数帯域の粒度を有する任意の２つの隣接する周波数帯域に対応するプリコーディング行列は異なる、請求項５５ないし５７のいずれか一項に記載のネットワークデバイス。
【請求項５９】
請求項２３ないし３４のいずれか一項に記載の前記方法を実行するように構成されたプロセッサ。
【請求項６０】
処理装置であって、
コンピュータプログラムを記憶するように構成されたメモリと、
前記メモリから前記コンピュータプログラムを呼び出し、前記コンピュータプログラムを実行して、請求項２３ないし３４のいずれか一項に記載の前記方法を実行するように構成されたプロセッサと
を備える処理装置。
【請求項６１】
チップシステムであって、
コンピュータプログラムを記憶するように構成されたメモリと、
前記メモリから前記コンピュータプログラムを呼び出し、前記コンピュータプログラムを実行して、前記チップシステムが設置されるデバイスが請求項２３ないし３４のいずれか一項に記載の前記方法を実行するように構成されたプロセッサと
を備えるチップシステム。
【請求項６２】
コンピュータプログラムを備えるコンピュータ可読記憶媒体であって、前記コンピュータプログラムがコンピュータ上で動作すると、前記コンピュータは、請求項２３ないし３４のいずれか一項に記載の前記方法を実行することを可能にされるコンピュータ可読記憶媒体。
【請求項６３】
コンピュータプログラム製品であって、コンピュータプログラムを備え、前記コンピュータプログラムがコンピュータ上で動作すると、前記コンピュータは、請求項２３ないし３４のいずれか一項に記載の前記方法を実行することを可能にされるコンピュータプログラム製品。
【請求項６４】
通信システムであって、
請求項３５ないし４２のいずれか一項に記載の端末デバイスと、請求項４３ないし４６のいずれか一項に記載のネットワークデバイスを備え、または
請求項４７ないし５４のいずれか一項に記載の端末デバイスと、請求項５５ないし５８のいずれか一項に記載のネットワークデバイスを備えた通信システム。
【発明の詳細な説明】
【技術分野】
【０００１】
本出願は、通信分野に関し、より具体的には、データ送信の方法および装置ならびにシステムに関する。
【背景技術】
【０００２】
本出願は、それらの全体が参照により本明細書に組み込まれる、「DATA TRANSMISSION METHOD AND APPARATUS,AND SYSTEM」と題する、２０１７年７月２６日に中国特許庁に出願された中国特許出願第201710619655.0号、および「DATA TRANSMISSION METHOD AND APPARATUS,AND SYSTEM」と題する、２０１７年９月１８日に中国特許庁に出願された中国特許出願第201710843482.0号の優先権を主張する。
【０００３】
大規模多入力多出力（massive multiple-input multiple-output、Massive ＭＩＭＯ）は、第５世代（5th generation、５Ｇ）モバイル通信の主要技術の１つとして当業界で認識されている。複数のユーザ間での干渉を回避し、信号品質を改善するために、信号を処理するために通常はプリコーディングが使用され、それによって、空間多重化（spatial multiplexing）を実装し、スペクトル利用を大幅に増加させる。
【０００４】
プリコーディング技術は、通常、チャネルを改善するためにＭＩＭＯシステムにおいて使用される。しかしながら、チャネル状態が迅速に変化するとき、または他の場合では、チャネル状態情報（channel state information、ＣＳＩ）を取得することができないとき、比較的正確なプリコーディング行列を取得できない。したがって、プリコーディング処理を通して取得された送信されるべき信号は、受信端によって正常に復調されず、受信信号の品質に劣化を生じる。
【０００５】
データ送信の信頼性を改善するために、現在知られている送信方式（transmission scheme）は、ダイバーシティ利得を取得するためにデータに対してプリコーダ循環を実行するために複数のプリコーディングベクトルを使用する。しかしながら、現在の技術では、この送信方式のためにチャネル測定およびＣＳＩフィードバックを実行するために用いることが可能な解決策がない。
【発明の概要】
【０００６】
本出願は、異なる送信方式に基づいてチャネル測定およびフィードバックを実行するデータ送信の方法および装置ならびにシステムを提供し、したがって、ダイバーシティ利得が広い範囲で取得され、データ送信の信頼性が改善されることが可能である。
【０００７】
第１の態様によれば、データ送信の方法であって、本方法は、ネットワークデバイスと端末デバイスとを含む通信システムに適用され、ネットワークデバイスと端末デバイスとは、複数のプリコーディング行列を事前記憶し、本方法は、
端末デバイスによって、チャネル測定のために使用される少なくとも１つの基準信号を受信するステップと、
端末デバイスによって、少なくとも１つの基準信号とチャネル状態情報ＣＳＩフィードバックが基づく送信方式とに基づいて第１の指示情報の複数の部分を送るステップであって、第１の指示情報の複数の部分は、ｘ個のターゲットプリコーディング行列を示すために使用され、第１の指示情報の複数の部分のうちの少なくとも１つは、１つのターゲットプリコーディング行列を示すために使用され、ｘ個のターゲットプリコーディング行列は、複数のプリコーディング行列に基づいて決定され、
ｘは、フィードバックされる必要があるターゲットプリコーディング行列の数量であり、ｘは、１よりも大きい整数である、ステップと
を含む、データ送信の方法を提供する。
【０００８】
したがって、本出願のこの実施形態によれば、端末デバイスは、送信方式に基づいてチャネル測定を実行し、複数のプリコーディング行列を決定するための指示情報をフィードバックし、したがって、ネットワークデバイスは、フィードバックに基づいて、プリコーダ循環のために使用される複数のプリコーディング行列を決定して、送信方式の要件を満たすことが可能である。従来技術と比較して、測定を通して取得される複数のプリコーディング行列をプリコーダ循環に与えることが可能である。このようにして、より高いダイバーシティ利得が取得されることが可能であり、それによって、データ送信の信頼性を改善するのに役立ち、通信システムのロバストネスを改善するのに役立つ。
【０００９】
ＣＳＩフィードバックが基づく送信方式は、プリコーダ循環、プリコーダ循環（precoder cycling）ベースの時空間送信ダイバーシティ（space-time transmit diversity、ＳＴＴＤ）（または時空間ブロックコーディング（space time block coding、ＳＴＢＣ）と呼ばれる）、プリコーダ循環ベースの空間周波数送信ダイバーシティ（space-frequency transmit diversity、ＳＦＴＤ）（または空間周波数ブロックコーディング（space frequency block coding、ＳＦＢＣ）と呼ばれる）、プリコーダ循環ベースの巡回遅延ダイバーシティ（cyclic delay diversity、ＣＤＤ）、または別のプリコーダ循環ベースの送信方式を含む。
【００１０】
本出願のこの実施形態では、基準信号は、プリコードされた基準信号またはプリコードされていない基準信号であり得る。
【００１１】
第１の態様に関して、第１の態様のいくつかの実装では、少なくとも１つの基準信号の各々は、プリコーダ循環を受けた基準信号であり、第１の指示情報の複数の部分の各々は、少なくとも１つの基準信号のうちの１つに対応し、プリコーダ循環の粒度にあるプリコーディング行列を示すために使用され、プリコーダ循環の回数の数量は、１以上であり、プリコーダ循環のために使用されるプリコーディング行列の数量は、ｙであり、ｙは、１よりも大きい整数である。
【００１２】
任意選択で、ｙ＝ｘであるとき、プリコーダ循環のために使用されるｙ個のプリコーディング行列の各々は、ｘ個のターゲットプリコーディング行列のうちの１つを決定するために使用され、ｙ個のプリコーディング行列は、ｘ個のターゲットプリコーディング行列と１対１で対応する。
【００１３】
任意選択で、ｙ＞ｘであるとき、本方法は、
端末デバイスによって、第２の指示情報を送るステップであって、第２の指示情報は、プリコーダ循環のために使用されるｙ個のプリコーディング行列中のｘ個のプリコーディング行列を示し、プリコーダ循環のために使用されるｘ個のプリコーディング行列の各々は、ｘ個のターゲットプリコーディング行列のうちの１つを決定するために使用され、プリコーダ循環のために使用されるｘ個のプリコーディング行列は、ｘ個のターゲットプリコーディング行列と１対１で対応する、ステップをさらに含む。
【００１４】
理解しやすいように、一例として１つのプリコーダ循環の粒度を使用することによって説明を本明細書で提供し、プリコーダ循環のために使用されるプリコーディング行列の列の数量は、プリコーダ循環の粒度によって搬送される基準信号の数量に対応し、すなわち、ポートの数量に対応する。端末デバイスは、測定を通して、ターゲットプリコーディング行列中の列ベクトルとしてメトリック基準における最適なポートのプリコーディングベクトルを選択し得る。この場合、第１の指示情報の各部分が１つのプリコーディング列ベクトルを示すために使用され、第１の指示情報の複数の部分によって示される複数のプリコーディング列ベクトルは、１つのターゲットプリコーディング行列を取得するために組み合わされ得る。代替として、複数のポートのプリコーディングベクトルが測定を通して選択され得、ターゲットプリコーディング行列中の列ベクトルを取得するために、線形重ね合わせが実行される。この場合、第１の指示情報の複数の部分が１つのプリコーディング列ベクトルを示すために使用され、第１の指示情報の複数の部分によって示される複数のプリコーディング列ベクトルは、１つのターゲットプリコーディング行列を取得するために組み合わされ得る。
【００１５】
ポート選択は、可能な実装にすぎず、端末デバイスは、ポート選択を実行することなしにネットワークデバイスにプリコーダ循環のために使用されるプリコーディング行列を直接フィードバックし得ることを理解されたい。
【００１６】
第１の態様に関して、第１の態様のいくつかの実装では、少なくとも１つの基準信号の各々は、プリコードされていない基準信号であり、第１の指示情報の複数の部分の各々は、３つのコードブックインデックスを含み、第１の指示情報の各部分中の３つのコードブックインデックスは、１つのプリコーディング行列を一緒に示すために使用され、第１の指示情報の複数の部分は、ｘ個のターゲットプリコーディング行列と１対１で対応する。
【００１７】
任意選択で、第１の指示情報は、プリコーディング行列インジケータ（precoding matrix indicator、ＰＭＩ）であり、３つのコードブックインデックスはｉ1,1、ｉ1,2、およびｉ2である。
【００１８】
第１の態様に関して、第１の態様のいくつかの実装では、本方法は、
端末デバイスによって、プリコーダ循環の粒度の指示情報を送るステップをさらに含む。
【００１９】
したがって、ネットワークデバイスは、最適なプリコーダ循環の粒度に基づいてプリコーダ循環を実行し、それによって、ダイバーシティ利得を取得するのをさらに助け、データ送信の信頼性をさらに改善する。
【００２０】
第１の態様に関して、第１の態様のいくつかの実装では、本方法は、
端末デバイスによって、プリコーダ循環の粒度の少なくとも１つの候補値を受信するステップをさらに含む。
【００２１】
ネットワークデバイスは、端末デバイスにプリコーダ循環の粒度の候補値を事前に送り得、端末デバイスは、少なくとも１つの候補値に基づいて別々に測定を実行して、メトリック基準において最適なプリコーダ循環の粒度を決定し、ネットワークデバイスに最適なプリコーダ循環の粒度をフィードバックし得、したがって、端末デバイスの測定複雑性を低減することが可能である。
【００２２】
本出願のこの実施形態では、フィードバックされる必要があるターゲットプリコーディング行列の数量ｘは、あらかじめ定義され得る（たとえば、プロトコルによって定義され得る）。任意選択で、フィードバックされる必要があるターゲットプリコーディング行列の数量ｘは、ネットワークデバイスと端末デバイスとの中に事前構成され得る。
【００２３】
フィードバックされる必要があるターゲットプリコーディング行列の数量ｘは、代替として、ネットワークデバイスによって決定され、シグナリングを使用することによって端末デバイスに通知され得る。任意選択で、本方法は、端末デバイスによって、第５の指示情報を受信するステップであって、第５の指示情報は、フィードバックされる必要があるターゲットプリコーディング行列の数量ｘを示す、ステップをさらに含む。
【００２４】
第２の態様によれば、データ送信の方法であって、本方法は、ネットワークデバイスと端末デバイスとを含む通信システムに適用され、ネットワークデバイスと端末デバイスとは、複数のプリコーディング行列セットを事前記憶し、複数のプリコーディング行列セットの各々は、少なくとも１つのプリコーディング行列を含み、本方法は、
端末デバイスによって、チャネル測定のために使用される複数の基準信号を受信するステップと、
端末デバイスによって、複数の基準信号とＣＳＩフィードバックが基づく送信方式とに基づいて第３の指示情報と第４の指示情報とを送るステップであって、第３の指示情報は、複数のプリコーディング行列セット中の第１のプリコーディング行列セットを示すために使用され、第４の指示情報は、第１のプリコーディング行列セット中のｘ個のターゲットプリコーディング行列を示すために使用され、
ｘは、フィードバックされる必要があるターゲットプリコーディング行列の数量であり、ｘは、１よりも大きい整数である、ステップと
を含む、データ送信の方法を提供する。
【００２５】
したがって、本出願のこの実施形態によれば、端末デバイスは、送信方式に基づいてチャネル測定を実行し、複数のプリコーディング行列を決定するための指示情報をフィードバックし、したがって、ネットワークデバイスは、フィードバックに基づいて、プリコーダ循環のために使用される複数のプリコーディング行列を決定して、送信方式の要件を満たすことが可能である。従来技術と比較して、測定を通して取得される複数のプリコーディング行列をプリコーダ循環に与えることが可能である。このようにして、より高いダイバーシティ利得が取得されることが可能であり、それによって、データ送信の信頼性を改善するのに役立ち、通信システムのロバストネスを改善するのに役立つ。
【００２６】
ＣＳＩフィードバックが基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【００２７】
第２の態様を参照すると、第２の態様のいくつかの実装では、複数の基準信号の各々は、プリコードされていない基準信号であり、第３の指示情報は、２つのコードブックインデックスを含み、第３の指示情報中の２つのコードブックインデックスは、第１のプリコーディング行列セットを一緒に示すために使用される。
【００２８】
任意選択で、第３の指示情報は、ＰＭＩ中の２つのコードブックインデックスｉ1,1およびｉ1,2であり得、ロングタームエボリューション（Long Term Evolution、ＬＴＥ）プロトコルでは、ｉ1,1およびｉ1,2、は、１つプリコーディング行列セットを示すために一緒に使用され得る。
【００２９】
第２の態様に関して、第２の態様のいくつかの実装では、本方法は、
端末デバイスによって、プリコーダ循環の粒度の指示情報を送るステップをさらに含む。
【００３０】
したがって、ネットワークデバイスは、最適なプリコーダ循環の粒度に基づいてプリコーダ循環を実行し、それによって、ダイバーシティ利得を取得するのをさらに助け、データ送信の信頼性をさらに改善することが可能である。
【００３１】
第２の態様に関して、第２の態様のいくつかの実装では、本方法は、
端末デバイスによって、プリコーダ循環の粒度の少なくとも１つの候補値を受信するステップをさらに含む。
【００３２】
ネットワークデバイスは、端末デバイスにプリコーダ循環の粒度の候補値を事前に送り得、端末デバイスは、少なくとも１つの候補値に基づいて別々に測定を実行して、メトリック基準において最適なプリコーダ循環の粒度を決定し、ネットワークデバイスに最適なプリコーダ循環の粒度をフィードバックし得、したがって、端末デバイスの測定複雑性を低減することが可能である。
【００３３】
本出願のこの実施形態では、フィードバックされる必要があるターゲットプリコーディング行列の数量ｘは、あらかじめ定義され得る（たとえば、プロトコルによって定義され得る）。任意選択で、フィードバックされる必要があるターゲットプリコーディング行列の数量ｘは、ネットワークデバイスと端末デバイスとの中に事前構成され得る。
【００３４】
フィードバックされる必要があるターゲットプリコーディング行列の数量ｘは、代替として、ネットワークデバイスによって決定され、シグナリングを使用することによって端末デバイスに通知され得る。任意選択で、本方法は、端末デバイスによって、第５の指示情報を受信するステップであって、第５の指示情報は、フィードバックされる必要があるターゲットプリコーディング行列の数量ｘを示す、ステップをさらに含む。
【００３５】
第３の態様によれば、データ送信の方法であって、本方法は、ネットワークデバイスと端末デバイスとを含む通信システムに適用され、ネットワークデバイスと端末デバイスとは、複数のプリコーディング行列を事前記憶し、本方法は、
ネットワークデバイスによって、チャネル測定のために使用される少なくとも１つの基準信号を送るステップと、
ネットワークデバイスによって、少なくとも１つの基準信号とＣＳＩフィードバックが基づく送信方式とに基づいて端末デバイスによってフィードバックされた第１の指示情報の複数の部分を受信するステップであって、第１の指示情報の複数の部分は、ｘ個のターゲットプリコーディング行列を示すために使用され、第１の指示情報の複数の部分のうちの少なくとも１つは、１つのターゲットプリコーディング行列を示すために使用され、ｘ個のターゲットプリコーディング行列は、複数のプリコーディング行列に基づいて決定される、ステップと、
ネットワークデバイスによって、第１の指示情報の複数の部分に基づいてｘ個のターゲットプリコーディング行列を決定するステップであって、
ｘは、フィードバックされる必要があるターゲットプリコーディング行列の数量であり、ｘは、１よりも大きい整数である、ステップと
を含む、データ送信の方法を提供する。
【００３６】
したがって、本出願のこの実施形態によれば、端末デバイスは、送信方式に基づいてチャネル測定を実行し、複数のプリコーディング行列を決定するための指示情報をフィードバックし、したがって、ネットワークデバイスは、フィードバックに基づいて、プリコーダ循環のために使用される複数のプリコーディング行列を決定して、送信方式の要件を満たすことが可能である。従来技術と比較して、測定を通して取得される複数のプリコーディング行列をプリコーダ循環に与えることが可能である。このようにして、より高いダイバーシティ利得が取得されることが可能であり、それによって、データ送信の信頼性を改善するのに役立ち、通信システムのロバストネスを改善するのに役立つ。
【００３７】
ＣＳＩフィードバックが基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【００３８】
本出願のこの実施形態では、基準信号は、プリコードされた基準信号またはプリコードされていない基準信号であり得る。
【００３９】
第３の態様に関して、第３の態様のいくつかの実装では、少なくとも１つの基準信号の各々は、プリコーダ循環を受けた基準信号であり、第１の指示情報の複数の部分の各々は、少なくとも１つの基準信号のうちの１つに対応し、プリコーダ循環の粒度にあるプリコーディング行列を示すために使用され、プリコーダ循環の回数の数量は、１以上であり、プリコーダ循環のために使用されるプリコーディング行列の数量は、ｙであり、ｙは、１よりも大きい整数である。
【００４０】
任意選択で、ｙ＝ｘであるとき、ネットワークデバイスによって、第１の指示情報の複数の部分に基づいてｘ個のターゲットプリコーディング行列を決定するステップは、
ネットワークデバイスによって、第１の指示情報の複数の部分とプリコーダ循環のために使用されるｙ個のプリコーディング行列のすべてとに基づいてｘ個のターゲットプリコーディング行列のすべてを決定するステップであって、プリコーダ循環のために使用されるｙ個のプリコーディング行列は、ｘ個のターゲットプリコーディング行列と１対１で対応する、ステップを含む。
【００４１】
任意選択で、ｙ＞ｘであるとき、ネットワークデバイスによって、第１の指示情報の複数の部分に基づいてｘ個のターゲットプリコーディング行列を決定するステップは、
ネットワークデバイスによって、第２の指示情報を受信し、第２の指示情報に基づいて、プリコーダ循環のために使用されるｙ個のプリコーディング行列からｘ個のプリコーディング行列を決定するステップと、
ネットワークデバイスによって、第１の指示情報の複数の部分とプリコーダ循環のために使用されるｘ個のプリコーディング行列のすべてとに基づいてｘ個のターゲットプリコーディング行列のすべてを決定するステップであって、プリコーダ循環のために使用されるｘ個のプリコーディング行列は、ｘ個のターゲットプリコーディング行列と１対１で対応する、ステップと
を含む。
【００４２】
理解しやすいように、一例として１つのプリコーダ循環の粒度を使用することによって説明を本明細書で提供し、プリコーダ循環のために使用されるプリコーディング行列の列の数量は、プリコーダ循環の粒度によって搬送される基準信号の数量に対応し、すなわち、ポートの数量に対応する。端末デバイスは、測定を通して、ターゲットプリコーディング行列中の列ベクトルとしてメトリック基準における最適なポートのプリコーディングベクトルを選択し得る。この場合、第１の指示情報の各部分が１つのプリコーディング列ベクトルを示すために使用され、第１の指示情報の複数の部分によって示される複数のプリコーディング列ベクトルは、１つのターゲットプリコーディング行列を取得するために組み合わされ得る。代替として、複数のポートのプリコーディングベクトルが測定を通して選択され得、ターゲットプリコーディング行列中の列ベクトルを取得するために、線形重ね合わせが実行される。この場合、第１の指示情報の複数の部分が１つのプリコーディング列ベクトルを示すために使用され、第１の指示情報の複数の部分によって示される複数のプリコーディング列ベクトルは、１つのターゲットプリコーディング行列を取得するために組み合わされ得る。
【００４３】
第３の態様に関して、第３の態様のいくつかの実装では、少なくとも１つの基準信号の各々は、プリコードされていない基準信号であり、第１の指示情報の複数の部分の各々は、３つのコードブックインデックスを含み、第１の指示情報の各部分中の３つのコードブックインデックスは、１つのプリコーディング行列を一緒に示すために使用され、第１の指示情報の複数の部分は、ｘ個のターゲットプリコーディング行列と１対１で対応する。
【００４４】
任意選択で、第１の指示情報は、プリコーディング行列インジケータ（precoding matrix indicator、ＰＭＩ）であり、３つのコードブックインデックスはｉ1,1、ｉ1,2、およびｉ2である。
【００４５】
第３の態様に関して、第３の態様のいくつかの実装では、本方法は、
ネットワークデバイスによって、プリコーダ循環の粒度の指示情報を受信するステップをさらに含む。
【００４６】
したがって、ネットワークデバイスは、最適なプリコーダ循環の粒度に基づいてプリコーダ循環を実行し、それによって、ダイバーシティ利得を取得するのをさらに助け、データ送信の信頼性をさらに改善することが可能である。
【００４７】
第３の態様に関して、第３の態様のいくつかの実装では、本方法は、
ネットワークデバイスによって、プリコーダ循環の粒度の少なくとも１つの候補値を送るステップをさらに含む。
【００４８】
ネットワークデバイスは、端末デバイスにプリコーダ循環の粒度の候補値を事前に送り得、端末デバイスは、少なくとも１つの候補値に基づいて別々に測定を実行して、メトリック基準において最適なプリコーダ循環の粒度を決定し、ネットワークデバイスに最適なプリコーダ循環の粒度をフィードバックし得、したがって、端末デバイスの測定複雑性を低減することが可能である。
【００４９】
本出願のこの実施形態では、フィードバックされる必要があるターゲットプリコーディング行列の数量ｘは、あらかじめ定義され得る（たとえば、プロトコルによって定義され得る）。任意選択で、フィードバックされる必要があるターゲットプリコーディング行列の数量ｘは、ネットワークデバイスと端末デバイスとの中に事前構成され得る。
【００５０】
フィードバックされる必要があるターゲットプリコーディング行列の数量ｘは、代替として、ネットワークデバイスによって決定され、シグナリングを使用することによって端末デバイスに通知され得る。任意選択で、本方法は、ネットワークデバイスによって、第５の指示情報を送るステップであって、第５の指示情報は、フィードバックされる必要があるターゲットプリコーディング行列の数量ｘを示す、ステップをさらに含む。
【００５１】
第４の態様によれば、データ送信の方法であって、本方法は、ネットワークデバイスと端末デバイスとを含む通信システムに適用され、ネットワークデバイスと端末デバイスとは、複数のプリコーディング行列セットを事前記憶し、複数のプリコーディング行列セットの各々は、少なくとも１つのプリコーディング行列を含み、本方法は、
ネットワークデバイスによって、チャネル測定のために使用される複数の基準信号を送るステップと、
ネットワークデバイスによって、複数の基準信号とＣＳＩフィードバックが基づく送信方式とに基づいて端末デバイスによってフィードバックされた第３の指示情報と第４の指示情報とを受信するステップであって、第３の指示情報は、複数のプリコーディング行列セット中の第１のプリコーディング行列セットを示すために使用され、第４の指示情報は、第１のプリコーディング行列セット中のｘ個のターゲットプリコーディング行列を示すために使用される、ステップと、
ネットワークデバイスによって、第３の指示情報と第４の指示情報とに基づいてｘ個のターゲットプリコーディング行列を決定するステップであって、
ｘは、フィードバックされる必要があるターゲットプリコーディング行列の数量であり、ｘは、１よりも大きい整数である、ステップと
を含む、データ送信の方法を提供する。
【００５２】
したがって、本出願のこの実施形態によれば、端末デバイスは、送信方式に基づいてチャネル測定を実行し、複数のプリコーディング行列を決定するための指示情報をフィードバックし、したがって、ネットワークデバイスは、フィードバックに基づいて、プリコーダ循環のために使用される複数のプリコーディング行列を決定して、送信方式の要件を満たすことが可能である。従来技術と比較して、測定を通して取得される複数のプリコーディング行列をプリコーダ循環に与えることが可能である。このようにして、より高いダイバーシティ利得が取得されることが可能であり、それによって、データ送信の信頼性を改善するのに役立ち、通信システムのロバストネスを改善するのに役立つ。
【００５３】
ＣＳＩフィードバックが基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【００５４】
第４の態様に関して、第４の態様のいくつかの実装では、複数の基準信号の各々は、プリコードされていない基準信号であり、第３の指示情報は、２つのコードブックインデックスを含み、第３の指示情報中の２つのコードブックインデックスは、第１のプリコーディング行列セットを一緒に示すために使用される。
【００５５】
任意選択で、第３の指示情報は、ＰＭＩ中の２つのコードブックインデックスｉ1,1およびｉ1,2であり得、ＬＴＥプロトコルでは、ｉ1,1およびｉ1,2、は、１つプリコーディング行列セットを示すために一緒に使用され得る。
【００５６】
第４の態様に関して、第４の態様のいくつかの実装では、本方法は、
ネットワークデバイスによって、プリコーダ循環の粒度の指示情報を受信するステップをさらに含む。
【００５７】
したがって、ネットワークデバイスは、最適なプリコーダ循環の粒度に基づいてプリコーダ循環を実行し、それによって、ダイバーシティ利得を取得するのをさらに助け、データ送信の信頼性をさらに改善することが可能である。
【００５８】
第４の態様に関して、第４の態様のいくつかの実装では、本方法は、
ネットワークデバイスによって、プリコーダ循環の粒度の少なくとも１つの候補値を送るステップをさらに含む。
【００５９】
ネットワークデバイスは、端末デバイスにプリコーダ循環の粒度の候補値を事前に送り得、端末デバイスは、少なくとも１つの候補値に基づいて別々に測定を実行して、メトリック基準において最適なプリコーダ循環の粒度を決定し、ネットワークデバイスに最適なプリコーダ循環の粒度をフィードバックし得、したがって、端末デバイスの測定複雑性を低減することが可能である。
【００６０】
本出願のこの実施形態では、フィードバックされる必要があるターゲットプリコーディング行列の数量ｘは、あらかじめ定義され得る（たとえば、プロトコルによって定義され得る）。任意選択で、フィードバックされる必要があるターゲットプリコーディング行列の数量ｘは、ネットワークデバイスと端末デバイスとの中に事前構成され得る。
【００６１】
フィードバックされる必要があるターゲットプリコーディング行列の数量ｘは、代替として、ネットワークデバイスによって決定され、シグナリングを使用することによって端末デバイスに通知され得る。任意選択で、本方法は、ネットワークデバイスによって、第５の指示情報を送るステップであって、第５の指示情報は、フィードバックされる必要があるターゲットプリコーディング行列の数量ｘを示す、ステップをさらに含む。
【００６２】
第５の態様によれば、データ送信の方法であって、本方法は、ネットワークデバイスと端末デバイスとを含む通信システムに適用され、ネットワークデバイスと端末デバイスとは、複数のプリコーディング行列を事前記憶し、本方法は、
ネットワークデバイスによって、チャネル測定のために使用される少なくとも１つの基準信号を受信するステップと、
ネットワークデバイスによって、少なくとも１つの基準信号とＣＳＩ測定が基づく送信方式とに基づいて第６の指示情報の複数の部分を送るステップであって、第６の指示情報の複数の部分は、ｘ個のターゲットプリコーディング行列を示すために使用され、第６の指示情報の複数の部分のうちの少なくとも１つは、１つのターゲットプリコーディング行列を示すために使用され、ｘ個のターゲットプリコーディング行列は、複数のプリコーディング行列に基づいて決定され、
ｘは、示される必要があるターゲットプリコーディング行列の数量であり、ｘは、１よりも大きい整数である、ステップと
を含む、データ送信の方法を提供する。
【００６３】
したがって、本出願のこの実施形態によれば、ネットワークデバイスは、送信方式に基づいてチャネル測定を実行し、複数のプリコーディング行列を決定するための指示情報を送り、したがって、端末デバイスは、指示情報に基づいて、プリコーダ循環のために使用される複数のプリコーディング行列を決定して、送信方式の要件を満たすことが可能である。従来技術と比較して、測定を通して取得される複数のプリコーディング行列をプリコーダ循環に与えることが可能である。このようにして、より高いダイバーシティ利得が取得されることが可能であり、それによって、データ送信の信頼性を改善するのに役立ち、通信システムのロバストネスを改善するのに役立つ。
【００６４】
ＣＳＩ測定が基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【００６５】
本出願のこの実施形態では、基準信号は、プリコードされた基準信号またはプリコードされていない基準信号であり得る。
【００６６】
第５の態様に関して、第５の態様のいくつかの実装では、少なくとも１つの基準信号の各々は、プリコーダ循環を受けた基準信号であり、第６の指示情報の複数の部分の各々は、少なくとも１つの基準信号のうちの１つに対応し、プリコーダ循環の粒度にあるプリコーディング行列を示すために使用され、プリコーダ循環の回数の数量は、１以上であり、プリコーダ循環のために使用されるプリコーディング行列の数量は、ｙであり、ｙは、１よりも大きい整数である。
【００６７】
任意選択で、ｙ＝ｘであるとき、プリコーダ循環のために使用されるｙ個のプリコーディング行列の各々は、ｘ個のターゲットプリコーディング行列のうちの１つを決定するために使用され、ｙ個のプリコーディング行列は、ｘ個のターゲットプリコーディング行列と１対１で対応する。
【００６８】
任意選択で、ｙ＞ｘであるとき、本方法は、
ネットワークデバイスによって、第７の指示情報を送るステップであって、第７の指示情報は、プリコーダ循環のために使用されるｙ個のプリコーディング行列中のｘ個のプリコーディング行列を示すために使用され、プリコーダ循環のために使用されるｘ個のプリコーディング行列の各々は、ｘ個のターゲットプリコーディング行列のうちの１つを決定するために使用され、プリコーダ循環のために使用されるｘ個のプリコーディング行列は、ｘ個のターゲットプリコーディング行列と１対１で対応する、ステップをさらに含む。
【００６９】
理解しやすいように、一例として１つのプリコーダ循環の粒度を使用することによって説明を本明細書で提供し、プリコーダ循環のために使用されるプリコーディング行列の列の数量は、プリコーダ循環の粒度によって搬送される基準信号の数量に対応し、すなわち、ポートの数量に対応する。ネットワークデバイスは、測定を通して、ターゲットプリコーディング行列中の列ベクトルとしてメトリック基準における最適なポートのプリコーディングベクトルを選択し得る。この場合、第６の指示情報の各部分が１つのプリコーディング列ベクトルを示すために使用され、第６の指示情報の複数の部分によって示される複数のプリコーディング列ベクトルは、ターゲットプリコーディング行列を取得するために組み合わされ得る。代替として、複数のポートのプリコーディングベクトルが測定を通して選択され得、ターゲットプリコーディング行列中の列ベクトルを取得するために、線形重ね合わせが実行される。この場合、第６の指示情報の複数の部分が１つのプリコーディング列ベクトルを示すために使用され、第６の指示情報の複数の部分によって示される複数のプリコーディング列ベクトルは、ターゲットプリコーディング行列を取得するために組み合わされ得る。
【００７０】
ポート選択は、可能な実装にすぎず、ネットワークデバイスは、ポート選択を実行することなしに端末デバイスにプリコーダ循環のために使用されるプリコーディング行列を直接示し得ることを理解されたい。
【００７１】
第５の態様に関して、第５の態様のいくつかの実装では、少なくとも１つの基準信号の各々は、プリコードされていない基準信号であり、第６の指示情報の複数の部分の各々は、３つのコードブックインデックスを含み、第６の指示情報の各部分中の３つのコードブックインデックスは、１つのプリコーディング行列を一緒に示すために使用され、第６の指示情報の複数の部分は、ｘ個のターゲットプリコーディング行列と１対１で対応する。
【００７２】
任意選択で、第６の指示情報は、ＰＭＩであり、３つのコードブックインデックスはｉ1,1、ｉ1,2、およびｉ2である。
【００７３】
第５の態様に関して、第５の態様のいくつかの実装では、本方法は、
ネットワークデバイスによって、プリコーダ循環の粒度の指示情報を送るステップをさらに含む。
【００７４】
したがって、端末デバイスは、最適なプリコーダ循環の粒度に基づいてプリコーダ循環を実行し、それによって、ダイバーシティ利得を取得するのをさらに助け、データ送信の信頼性をさらに改善する。
【００７５】
本出願のこの実施形態では、示される必要があるターゲットプリコーディング行列の数量ｘは、あらかじめ定義され得る（たとえば、プロトコルによって定義され得る）か、またはネットワークデバイスによって決定され得る。これは、本出願では限定されない。
【００７６】
第６の態様によれば、データ送信の方法であって、本方法は、ネットワークデバイスと端末デバイスとを含む通信システムに適用され、ネットワークデバイスと端末デバイスとは、複数のプリコーディング行列セットを事前記憶し、複数のプリコーディング行列セットの各々は、少なくとも１つのプリコーディング行列を含み、本方法は、
ネットワークデバイスによって、チャネル測定のために使用される複数の基準信号を受信するステップと、
ネットワークデバイスによって、複数の基準信号とＣＳＩ測定が基づく送信方式とに基づいて第８の指示情報と第９の指示情報とを送るステップであって、第８の指示情報は、複数のプリコーディング行列セット中の第１のプリコーディング行列セットを示すために使用され、第９の指示情報は、第１のプリコーディング行列セット中のｘ個のターゲットプリコーディング行列を示すために使用され、
ｘは、示される必要があるターゲットプリコーディング行列の数量であり、ｘは、１よりも大きい整数である、ステップと
を含む、データ送信の方法を提供する。
【００７７】
したがって、本出願のこの実施形態によれば、ネットワークデバイスは、送信方式に基づいてチャネル測定を実行し、複数のプリコーディング行列を決定するための指示情報を送り、したがって、端末デバイスは、指示情報に基づいて、プリコーダ循環のために使用される複数のプリコーディング行列を決定して、送信方式の要件を満たすことが可能である。従来技術と比較して、測定を通して取得される複数のプリコーディング行列をプリコーダ循環に与えることが可能である。このようにして、より高いダイバーシティ利得が取得されることが可能であり、それによって、データ送信の信頼性を改善するのに役立ち、通信システムのロバストネスを改善するのに役立つ。
【００７８】
ＣＳＩ測定が基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【００７９】
第６の態様を参照すると、第６の態様のいくつかの実装では、複数の基準信号の各々は、プリコードされていない基準信号であり、第８の指示情報は、２つのコードブックインデックスを含み、第８の指示情報中の２つのコードブックインデックスは、第１のプリコーディング行列セットを一緒に示すために使用される。
【００８０】
任意選択で、第８の指示情報は、ＰＭＩ中の２つのコードブックインデックスｉ1,1およびｉ1,2であり得、ＬＴＥプロトコルでは、ｉ1,1およびｉ1,2、は、１つプリコーディング行列セットを示すために一緒に使用され得る。
【００８１】
第６の態様に関して、第６の態様のいくつかの実装では、本方法は、
ネットワークデバイスによって、プリコーダ循環の粒度の指示情報を送るステップをさらに含む。
【００８２】
したがって、端末デバイスは、最適なプリコーダ循環の粒度に基づいてプリコーダ循環を実行し、それによって、ダイバーシティ利得を取得するのをさらに助け、データ送信の信頼性をさらに改善することが可能である。
【００８３】
本出願のこの実施形態では、示される必要があるターゲットプリコーディング行列の数量ｘは、あらかじめ定義され得る（たとえば、プロトコルによって定義され得る）か、またはネットワークデバイスによって決定され得る。これは、本出願では限定されない。
【００８４】
第７の態様によれば、データ送信の方法であって、本方法は、ネットワークデバイスと端末デバイスとを含む通信システムに適用され、ネットワークデバイスと端末デバイスとは、複数のプリコーディング行列を事前記憶し、本方法は、
端末デバイスによって、チャネル測定のために使用される少なくとも１つの基準信号を送るステップと、
端末デバイスによって、少なくとも１つの基準信号とＣＳＩ測定が基づく送信方式とに基づいてネットワークデバイスによって送られた第６の指示情報の複数の部分を受信するステップであって、第６の指示情報の複数の部分は、ｘ個のターゲットプリコーディング行列を示すために使用され、第６の指示情報の複数の部分のうちの少なくとも１つは、１つのターゲットプリコーディング行列を示すために使用され、ｘ個のターゲットプリコーディング行列は、複数のプリコーディング行列に基づいて決定される、ステップと、
端末デバイスによって、第６の指示情報の複数の部分に基づいてｘ個のターゲットプリコーディング行列を決定するステップであって、
ｘは、示される必要があるターゲットプリコーディング行列の数量であり、ｘは、１よりも大きい整数である、ステップと
を含む、データ送信の方法を提供する。
【００８５】
したがって、本出願のこの実施形態によれば、ネットワークデバイスは、送信方式に基づいてチャネル測定を実行し、複数のプリコーディング行列を決定するための指示情報を送り、したがって、端末デバイスは、指示情報に基づいて、プリコーダ循環のために使用される複数のプリコーディング行列を決定して、送信方式の要件を満たすことが可能である。従来技術と比較して、測定を通して取得される複数のプリコーディング行列をプリコーダ循環に与えることが可能である。このようにして、より高いダイバーシティ利得が取得されることが可能であり、それによって、データ送信の信頼性を改善するのに役立ち、通信システムのロバストネスを改善するのに役立つ。
【００８６】
ＣＳＩ測定が基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【００８７】
本出願のこの実施形態では、基準信号は、プリコードされた基準信号またはプリコードされていない基準信号であり得る。
【００８８】
第７の態様に関して、第７の態様のいくつかの実装では、少なくとも１つの基準信号の各々は、プリコーダ循環を受けた基準信号であり、第６の指示情報の複数の部分の各々は、少なくとも１つの基準信号のうちの１つに対応し、プリコーダ循環の粒度にあるプリコーディング行列を示すために使用され、プリコーダ循環の回数の数量は、１以上であり、プリコーダ循環のために使用されるプリコーディング行列の数量は、ｙであり、ｙは、１よりも大きい整数である。
【００８９】
任意選択で、ｙ＝ｘであるとき、プリコーダ循環のために使用されるｙ個のプリコーディング行列の各々は、ｘ個のターゲットプリコーディング行列のうちの１つを決定するために使用され、ｙ個のプリコーディング行列は、ｘ個のターゲットプリコーディング行列と１対１で対応する。
【００９０】
任意選択で、ｙ＞ｘであるとき、端末デバイスによって、第６の指示情報の複数の部分に基づいてｘ個のターゲットプリコーディング行列を決定するステップは、
端末デバイスによって、第７の指示情報を受信し、第７の指示情報に基づいて、プリコーダ循環のために使用されるｙ個のプリコーディング行列からｘ個のプリコーディング行列を決定するステップと、
端末デバイスによって、第６の指示情報の複数の部分とプリコーダ循環のために使用されるｘ個のプリコーディング行列のすべてとに基づいてｘ個のターゲットプリコーディング行列のすべてを決定するステップであって、プリコーダ循環のために使用されるｘ個のプリコーディング行列は、ｘ個のターゲットプリコーディング行列と１対１で対応する、ステップと
を含む。
【００９１】
理解しやすいように、一例として１つのプリコーダ循環の粒度を使用することによって説明を本明細書で提供し、プリコーダ循環のために使用されるプリコーディング行列の列の数量は、プリコーダ循環の粒度によって搬送される基準信号の数量に対応し、すなわち、ポートの数量に対応する。ネットワークデバイスは、測定を通して、ターゲットプリコーディング行列中の列ベクトルとしてメトリック基準における最適なポートのプリコーディングベクトルを選択し得る。この場合、第６の指示情報の各部分が１つのプリコーディング列ベクトルを示すために使用され、第６の指示情報の複数の部分によって示される複数のプリコーディング列ベクトルは、ターゲットプリコーディング行列を取得するために組み合わされ得る。代替として、複数のポートのプリコーディングベクトルが測定を通して選択され得、ターゲットプリコーディング行列中の列ベクトルを取得するために、線形重ね合わせが実行される。この場合、第６の指示情報の複数の部分が１つのプリコーディング列ベクトルを示すために使用され、第６の指示情報の複数の部分によって示される複数のプリコーディング列ベクトルは、ターゲットプリコーディング行列を取得するために組み合わされ得る。
【００９２】
ポート選択は、可能な実装にすぎず、ネットワークデバイスは、ポート選択を実行することなしに端末デバイスにプリコーダ循環のために使用されるプリコーディング行列を直接示し得ることを理解されたい。
【００９３】
第７の態様に関して、第７の態様のいくつかの実装では、少なくとも１つの基準信号の各々は、プリコードされていない基準信号であり、第６の指示情報の複数の部分の各々は、３つのコードブックインデックスを含み、第６の指示情報の各部分中の３つのコードブックインデックスは、１つのプリコーディング行列を一緒に示すために使用され第６の指示情報の複数の部分は、ｘ個のターゲットプリコーディング行列と１対１で対応する。
【００９４】
任意選択で、第６の指示情報は、ＰＭＩであり、３つのコードブックインデックスはｉ1,1、ｉ1,2、およびｉ2である。
【００９５】
第７の態様に関して、第７の態様のいくつかの実装では、本方法は、
端末デバイスによって、プリコーダ循環の指示情報を受信するステップをさらに含む。
【００９６】
したがって、端末デバイスは、最適なプリコーダ循環の粒度に基づいてプリコーダ循環を実行し、それによって、ダイバーシティ利得を取得するのをさらに助け、データ送信の信頼性をさらに改善する。
【００９７】
本出願のこの実施形態では、示される必要があるターゲットプリコーディング行列の数量ｘは、あらかじめ定義され得る（たとえば、プロトコルによって定義され得る）か、またはネットワークデバイスによって決定され得る。これは、本出願では限定されない。
【００９８】
第８の態様によれば、データ送信の方法であって、本方法は、ネットワークデバイスと端末デバイスとを含む通信システムに適用され、ネットワークデバイスと端末デバイスとは、複数のプリコーディング行列セットを事前記憶し、複数のプリコーディング行列セットの各々は、少なくとも１つのプリコーディング行列を含み、本方法は、
端末デバイスによって、チャネル測定のために使用される複数の基準信号を送るステップと、
端末デバイスによって、複数の基準信号とＣＳＩ測定が基づく送信方式とに基づいてネットワークデバイスによって送られた第８の指示情報と第９の指示情報とを受信するステップであって、第８の指示情報は、複数のプリコーディング行列セット中の第１のプリコーディング行列セットを示すために使用され、第９の指示情報は、第１のプリコーディング行列セット中のｘ個のターゲットプリコーディング行列を示すために使用される、ステップと、
端末デバイスによって、第８の指示情報と第９の指示情報とに基づいてｘ個のターゲットプリコーディング行列を決定するステップであって、
ｘは、示される必要があるターゲットプリコーディング行列の数量であり、ｘは、１よりも大きい整数である、ステップと
を含む、データ送信の方法を提供する。
【００９９】
したがって、本出願のこの実施形態によれば、ネットワークデバイスは、送信方式に基づいてチャネル測定を実行し、複数のプリコーディング行列を決定するための指示情報を送り、したがって、端末デバイスは、指示情報に基づいて、プリコーダ循環のために使用される複数のプリコーディング行列を決定して、送信方式の要件を満たすことが可能である。従来技術と比較して、測定を通して取得される複数のプリコーディング行列をプリコーダ循環に与えることが可能である。このようにして、より高いダイバーシティ利得が取得されることが可能であり、それによって、データ送信の信頼性を改善するのに役立ち、通信システムのロバストネスを改善するのに役立つ。
【０１００】
ＣＳＩ測定が基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【０１０１】
第８の態様に関して、第８の態様のいくつかの実装では、複数の基準信号の各々は、プリコードされていない基準信号であり、第８の指示情報は、２つのコードブックインデックスを含み、第８の指示情報中の２つのコードブックインデックスは、第１のプリコーディング行列セットを一緒に示すために使用される。
【０１０２】
任意選択で、第８の指示情報は、ＰＭＩ中の２つのコードブックインデックスｉ1,1およびｉ1,2であり得、ＬＴＥプロトコルでは、ｉ1,1およびｉ1,2、は、１つプリコーディング行列セットを示すために一緒に使用され得る。
【０１０３】
第８の態様に関して、第８の態様のいくつかの実装では、本方法は、
端末デバイスによって、プリコーダ循環の粒度の指示情報を受信するステップをさらに含む。
【０１０４】
したがって、端末デバイスは、最適なプリコーダ循環の粒度に基づいてプリコーダ循環を実行し、それによって、ダイバーシティ利得を取得するのをさらに助け、データ送信の信頼性をさらに改善することが可能である。
【０１０５】
第９の態様によれば、チャネル測定指示の方法であって、
端末デバイスによって、第１０の指示情報を受信するステップであって、第１０の指示情報は、チャネル測定が基づく周波数帯域の粒度を示し、１つの周波数帯域の粒度に対応する周波数帯域は、１つのプリコーディング行列に対応する、ステップと、
端末デバイスによって、第１０の指示情報に基づいて周波数帯域の粒度を決定するステップと
を含むチャネル測定指示の方法を提供する。
【０１０６】
本出願のこの実施形態では、測定帯域幅は、少なくとも１つの周波数帯域の粒度を含む。測定帯域幅は、チャネル測定基準信号を送信するための帯域幅であり得るか、または測定後にＣＳＩをフィードバックするために使用される帯域幅であり得る。言い換えれば、測定帯域幅は、チャネル測定基準信号を送信するための帯域幅の全部または一部であり得る。
【０１０７】
したがって、端末デバイスは、周波数帯域の粒度に基づいてチャネル測定を実行し、したがって、チャネル測定が不正確なとき、測定帯域幅に対して複数のプリコーディング行列を使用することによってプリコーディングが実行される等価チャネルが測定されて、比較的正確なＣＳＩを取得し、それによって、データ送信の信頼性を改善するのに役立ち、システムのロバストネスを改善する。
【０１０８】
第９の態様に関して、第９の態様のいくつかの実装では、本方法は、端末デバイスによって、周波数帯域の粒度に基づいて測定帯域幅に対してチャネル測定を実行するステップであって、測定帯域幅は、チャネル状態情報ＣＳＩをフィードバックするための帯域幅である、ステップをさらに含む。
【０１０９】
言い換えれば、端末デバイスは、ネットワークデバイスによって示される周波数帯域の粒度に基づいてチャネル測定を実行し、測定帯域幅全体に対する測定を通して取得された結果に基づいてＣＳＩフィードバックを実行し得る。
【０１１０】
第９の態様に関して、第９の態様のいくつかの実装では、ＣＳＩをフィードバックするための帯域幅は、基準信号を送信するための帯域幅の全部または一部である。
【０１１１】
第９の態様に関して、第９の態様のいくつかの実装では、周波数帯域の粒度は、プリコーディングリソースブロックグループＰＲＧの帯域幅サイズである。
【０１１２】
第９の態様に関して、第９の態様のいくつかの実装では、プリコーディング行列は、あらかじめ定義されたコードブックから端末デバイスによってランダムに選択される。
【０１１３】
第９の態様に関して、第９の態様のいくつかの実装では、端末デバイスによって、周波数帯域の粒度に基づいて測定帯域幅に対してチャネル測定を実行するステップは、
端末デバイスによって、プリコーダ循環の粒度として周波数帯域の粒度を使用し、プリコーダ循環の送信方式に基づいて測定帯域幅に対してチャネル測定を実行するステップを含む。
【０１１４】
第９の態様に関して、第９の態様のいくつかの実装では、第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される。
【０１１５】
第９の態様に関して、第９の態様のいくつかの実装では、同じ周波数帯域の粒度を有する任意の２つの隣接する周波数帯域に対応するプリコーディング行列は異なる。
【０１１６】
第１０の態様によれば、データ送信の方法であって、
ネットワークデバイスによって、チャネル測定が基づく周波数帯域の粒度を決定するステップであって、１つの周波数帯域の粒度に対応する周波数帯域は、１つのプリコーディング行列に対応する、ステップと、
ネットワークデバイスによって、第１０の指示情報を送るステップであって、第１０の指示情報は、周波数帯域の粒度を示す、ステップと
を含むデータ送信の方法を提供する。
【０１１７】
本出願のこの実施形態では、測定帯域幅は、少なくとも１つの周波数帯域の粒度を含む。測定帯域幅は、チャネル測定基準信号を送信するための帯域幅であり得るか、または測定後にＣＳＩをフィードバックするために使用される帯域幅であり得る。言い換えれば、測定帯域幅は、チャネル測定基準信号を送信するための帯域幅の全部または一部であり得る。
【０１１８】
したがって、端末デバイスは、周波数帯域の粒度に基づいてチャネル測定を実行し、したがって、チャネル測定が不正確なとき、測定帯域幅に対して複数のプリコーディング行列を使用することによってプリコーディングが実行される等価チャネルが測定されて、比較的正確なＣＳＩを取得し、それによって、データ送信の信頼性を改善するのに役立ち、システムのロバストネスを改善する。
【０１１９】
第１０の態様に関して、第１０の態様のいくつかの実装では、周波数帯域の粒度は、プリコーディングリソースブロックグループＰＲＧの帯域幅サイズである。
【０１２０】
第１０の態様に関して、第１０の態様のいくつかの実装では、第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される。
【０１２１】
第１０の態様に関して、第１０の態様のいくつかの実装では、同じ周波数帯域の粒度を有する任意の２つの隣接する周波数帯域に対応するプリコーディング行列は異なる。
【０１２２】
第１１の態様によれば、端末デバイスを提供し、端末デバイスは、第１の態様もしくは第１の態様の可能な実装のうちのいずれか１つにおけるデータ送信の方法を実行するためのモジュール、または第２の態様もしくは第２の態様の可能な実装のうちのいずれか１つにおけるデータ送信の方法を実行するためのモジュール、または第７の態様もしくは第７の態様の可能な実装のうちのいずれか１つにおけるデータ送信の方法を実行するためのモジュール、または第８の態様もしくは第８の態様の可能な実装のうちのいずれか１つにおけるデータ送信の方法を実行するためのモジュール、または第９の態様もしくは第９の態様の可能な実装のうちのいずれか１つにおけるデータ送信の方法を実行するためのモジュールを含む。
【０１２３】
第１２の態様によれば、ネットワークデバイスを提供し、ネットワークデバイスは、第３の態様もしくは第３の態様の可能な実装のうちのいずれか１つにおけるデータ送信の方法を実行するためのモジュール、または第４の態様もしくは第４の態様の可能な実装のうちのいずれか１つにおけるデータ送信の方法を実行するためのモジュール、または第５の態様もしくは第５の態様の可能な実装のうちのいずれか１つにおけるデータ送信の方法を実行するためのモジュール、または第６の態様もしくは第６の態様の可能な実装のうちのいずれか１つにおけるデータ送信の方法を実行するためのモジュール、または第１０の態様もしくは第１０の態様の可能な実装のうちのいずれか１つにおけるデータ送信の方法を実行するためのモジュールを含む。
【０１２４】
第１３の態様によれば、トランシーバと、プロセッサと、メモリとを含む端末デバイスを提供する。プロセッサは、信号を受信し送信するようにトランシーバを制御するように構成される。メモリは、コンピュータプログラムを記憶するように構成される。プロセッサは、メモリからコンピュータプログラムを呼び出し、コンピュータプログラムを実行して、ネットワークデバイスが、第１の態様もしくは第１の態様の可能な実装のうちのいずれか１つにおける方法、または第２の態様もしくは第２の態様の可能な実装のうちのいずれか１つにおける方法、または第７の態様もしくは第７の態様の可能な実装のうちのいずれか１つにおける方法、または第８の態様もしくは第８の態様の可能な実装のうちのいずれか１つにおける方法、または第９の態様もしくは第９の態様の可能な実装のうちのいずれか１つにおけるデータ送信方法を実行するように、ように構成される。
【０１２５】
第１４の態様によれば、トランシーバと、プロセッサと、メモリとを含むネットワークデバイスを提供する。プロセッサは、信号を受信し送信するようにトランシーバを制御するように構成される。メモリは、コンピュータプログラムを記憶するように構成される。プロセッサは、メモリからコンピュータプログラムを呼び出し、コンピュータプログラムを実行して、端末デバイスが、第３の態様もしくは第３の態様の可能な実装のうちのいずれか１つにおける方法、または第４の態様もしくは第４の態様の可能な実装のうちのいずれか１つにおける方法、または第５の態様もしくは第５の態様の可能な実装のうちのいずれか１つにおける方法、または第６の態様もしくは第６の態様の可能な実装のうちのいずれか１つにおける方法、または第１０の態様もしくは第１０の態様の可能な実装のうちのいずれか１つにおけるデータ送信方法を実行するように、ように構成される。
【０１２６】
特定の実装処理では、第１３の態様または第１４の態様におけるプロセッサは、たとえば、限定はしないが、ベースバンド関連の処理を実行するように構成され得る。受信機と送信機とは、たとえば、限定はしないが、無線周波数の送信および受信を実行するように別々に構成され得る。上記のデバイスは、互いに無関係であるチップ上に別々に配設され得るか、またはデバイスの少なくとも一部または全部が同じチップ上に配設される。たとえば、受信機と送信機とは、互いに無関係である受信機チップと送信機チップとの上に配置され得るか、またはトランシーバチップ上に配設されるためにトランシーバに統合され得る。別の例では、プロセッサは、アナログベースバンドプロセッサとデジタルベースバンドプロセッサとにさらに分割され得る。アナログベースバンドプロセッサとトランシーバとは、同じチップに統合され得、デジタルベースバンドプロセッサは、独立したチップ上に配設され得る。統合回路技術は、絶え間なく発展しているので、ますます多くのデバイスが同じチップに統合され得る。たとえば、デジタルベースバンドプロセッサと複数のタイプのプロセッサ（たとえば、限定はしないが、グラフィックス処理ユニットおよびマルチメディアプロセッサ）とが同じチップに統合され得る。そのようなチップは、システムオンチップ（System on Chip）と呼ばれることがある。デバイスが異なるチップ上に独立して配設されるのか、または１つもしくは複数のチップに統合されるのかは、通常、製品設計の特定の要件に依存する。本出願のこの実施形態は、上記のデバイスの特定の実装にいかなる制限も課さない。
【０１２７】
第１５の態様によれば、入力回路と、出力回路と、処理回路とを含むプロセッサを提供する。処理回路は、入力回路を使用することによって信号を受信し、出力回路を使用することによって信号を送信するように構成され、したがって、プロセッサは、第１の態様から第１０の態様および第１の態様から第１０の態様の可能な実装のうちのいずれか１つにおける方法を実行する。
【０１２８】
特定の実装処理では、上記のプロセッサは、チップであり得、入力回路は、入力ピンであり得、出力回路は、出力ピンであり得、処理回路は、トランジスタ、ゲート回路、トリガ、様々な論理回路などであり得る。入力回路によって受信された入力信号は、たとえば、限定はしないが、受信機によって受信され、入力され得、出力回路によって出力された信号は、たとえば、限定はしないが、送信機に出力され、送信機によって送信され得る。さらに、入力回路と出力回路とは、同じ回路であり得、回路は、異なる瞬間に別々に入力回路および出力回路として使用される。本出願のこの実施形態は、プロセッサおよび様々な回路の特定の実装にいかなる制限も課さない。
【０１２９】
第１６の態様によれば、メモリと、プロセッサとを含む処理装置を提供する。プロセッサは、第１の態様から第１０の態様および第１の態様から第１０の態様の可能な実装のうちのいずれか１つにおける方法を実行するために、メモリ中に記憶された命令を読み取り、受信機を使用することによって信号を受信し、送信機を使用することによって信号を送信するように構成される。
【０１３０】
任意選択で、１つまたは複数のプロセッサがあり、１つまたは複数のメモリがある。
【０１３１】
任意選択で、メモリとプロセッサとは、統合され得るか、またはメモリとプロセッサとは、別々に配設され得る。
【０１３２】
特定の実装処理では、メモリは、非一時的（non-transitory）メモリ、たとえば、読取り専用メモリ（Read Only Memory、ＲＯＭ）であり得る。メモリとプロセッサとは、同じチップに統合され得るか、または異なるチップ上に別々に配設され得る。本出願のこの実施形態は、メモリのタイプと、メモリとプロセッサとが配設される方式とにいかなる制限も課さない。
【０１３３】
第１７の態様によれば、プロセッサと、メモリとを含むチップを提供する。メモリは、コンピュータプログラムを記憶するように構成される。プロセッサは、メモリからコンピュータプログラムを呼び出し、コンピュータプログラムを実行するように構成され、コンピュータプログラムは、第１の態様から第１０の態様および第１の態様から第１０の態様の可能な実装のうちのいずれか１つにおける方法を実装するために使用される。
【０１３４】
第１８の態様によれば、コンピュータプログラム製品を提供し、コンピュータプログラム製品は、コンピュータプログラム（または、コードまたは命令と呼ばれることがある）を含む。コンピュータプログラムが動作するとき、コンピュータは、第１の態様から第１０の態様および第１の態様から第１０の態様の可能な実装のうちのいずれか１つにおける方法を実行することを可能にされる。
【０１３５】
第１９の態様によれば、コンピュータ可読媒体を提供し、コンピュータ可読媒体は、コンピュータプログラム（または、コードまたは命令と呼ばれることがある）を記憶する。コンピュータプログラムがコンピュータ上で動作するとき、コンピュータは、第１の態様から第１０の態様および第１の態様から第１０の態様の可能な実装のうちのいずれか１つにおける方法を実行することを可能にされる。
【０１３６】
コンピュータ可読記憶媒体は、非一時的媒体である。
【０１３７】
上記の設計に基づいて、本出願の実施形態では、チャネル測定は、送信方式に基づいて実行されることが可能で、複数のプリコーディング行列を決定するための指示情報がフィードバックされて、プリコーダ循環の送信方式の要件を満たし、それによって、データ送信の信頼性を改善するのに役立ち、通信システムのロバストネスを改善する。
【図面の簡単な説明】
【０１３８】
【図１】本出願の実施形態におけるデータ送信の方法に適用可能な通信システムの概略図、
【図２】既存のＬＴＥシステムにおいて使用されるダウンリンク物理チャネル処理プロシージャの概略図、
【図３】本出願の一実施形態による、データ送信の方法の概略フローチャート、
【図４】本出願の一実施形態による、ビットマップの概略図、
【図５】本出願の別の実施形態による、データ送信の方法の概略フローチャート、
【図６】本出願のさらに別の実施形態による、データ送信の方法の概略フローチャート、
【図７】本出願のまた別の実施形態による、データ送信の方法の概略フローチャート、
【図８】本出願の一実施形態による、データ送信の装置の概略ブロック図、
【図９】本出願の一実施形態による、端末デバイスの概略構造図、
【図１０】本出願の別の実施形態による、データ送信の装置の概略ブロック図、
【図１１】本出願の別の実施形態による、ネットワークデバイスの概略構造図、
【図１２】本出願の一実施形態による、チャネル測定指示の方法の概略フローチャート、
【図１３】本出願の一実施形態による、チャネル測定指示の装置の概略ブロック図、
【図１４】本出願の一実施形態による、チャネル測定指示の装置の概略ブロック図である。
【発明を実施するための形態】
【０１３９】
以下に、添付の図面を参照しながら本出願における技術的解決策について説明する。
【０１４０】
本出願の実施形態における技術的解決策は、グローバルシステムフォーモバイルコミュニケーションズ（Global System for Mobile Communications（ＧＳＭ））システム、符号分割多元接続（Code Division Multiple Access、ＣＤＭＡ）システム、広帯域符号分割多元接続（Wideband Code Division Multiple Access、ＷＣＤＭＡ）システム、汎用パケット無線サービス（general packet radio service、ＧＰＲＳ）、ロングタームエボリューション（Long Term Evolution、ＬＴＥ）システム、ＬＴＥ周波数分割複信（frequency division duplex、ＦＤＤ）システム、ＬＴＥ時分割複信（time division duplex、ＴＤＤ）、ユニバーサルモバイル通信システム（Universal Mobile Telecommunication System、ＵＭＴＳ）、ワールドワイドインターオペラビリティフォーマイクロウェーブアクセス（Worldwide Interoperability for Microwave Access、ＷｉＭＡＸ）通信システム、または将来の５Ｇシステムまたは新無線（new radio、ＮＲ）などの様々な通信システムに適用可能である。
【０１４１】
本出願の実施形態について理解しやすいように、本出願の実施形態に適用可能な通信システムについて、図１を参照しながら最初に詳細に説明する。図１は、本出願の実施形態におけるデータ送信の方法および装置に適用可能な通信システムの概略図である。図１に示すように、通信システム１００は、ネットワークデバイス１０２を含む。ネットワークデバイス１０２は、複数のアンテナ、たとえば、アンテナ１０４、１０６、１０８、１１０、１１２、および１１４を含み得る。さらに、ネットワークデバイス１０２は、送信機リンクと受信機リンクとを含み得る。送信機リンクと受信機リンクとの両方が信号の送信と受信とに関係する（プロセッサ、変調器、マルチプレクサ、復調器、デマルチプレクサ、またはアンテナなどの）複数の構成要素を含み得ることを、当業者は理解し得る。
【０１４２】
ネットワークデバイスは、無線トランシーバ機能を有する任意のデバイスまたはデバイス中に配設され得るチップであり得ることを理解されたい。デバイスは、限定はしないが、（ノードＢ（ＮｏｄｅＢ）、発展型ノードＢ（ｅＮｏｄｅＢ））などの基地局、５Ｇ通信システムにおける（送信ポイント（transmission point、ＴＰ）もしくは送信受信ポイント（transmission reception point、ＴＲＰ）、基地局、またはスモールセルデバイスなどの）ネットワークデバイス、将来の通信システムにおけるネットワークデバイス、ワイヤレスフィデリティー（Wireless-Fidelity、Ｗｉ−Ｆｉ）システムにおけるアクセスポイント、無線リレーノード、ワイヤレスバックホールノードなどを含む。
【０１４３】
ネットワークデバイス１０２は、（端末デバイス１１６および端末デバイス１２２などの）複数の端末デバイスと通信することが可能である。ネットワークデバイス１０２は、端末デバイス１１６または１２２と同様に任意の数量の端末デバイスと通信することが可能である。
【０１４４】
端末デバイスは、ユーザ機器（user equipment、ＵＥ）、アクセス端末、加入者ユニット、加入者局、移動局、リモート局、リモート端末、モバイルデバイス、ユーザ端末、端末、ワイヤレス通信デバイス、ユーザエージェント、またはユーザ装置と呼ばれることもあることを理解されたい。本出願の実施形態における端末デバイスは、モバイルフォン（mobile phone）、タブレットコンピュータ（Ｐａｄ）、無線トランシーバ機能を有するコンピュータ、バーチャルリアリティ（Virtual Reality、ＶＲ）端末デバイス、拡張現実（Augmented Reality、ＡＲ）端末デバイス、産業制御（industrial control）におけるワイヤレス端末、自己駆動（self driving）のワイヤレス端末、遠隔医療（remote medical）におけるワイヤレス端末、スマートグリッド（smart grid）におけるワイヤレス端末、輸送安全（transportation safety）におけるワイヤレス端末、スマート都市（smart city）におけるワイヤレス端末、スマートホーム（smart home）におけるワイヤレス端末などであり得る。本出願の実施形態は、応用シナリオにいかなる制限も課さない。本出願では、上記の端末デバイスと上記の端末デバイス中に配設され得るチップとは、端末デバイスと総称される。
【０１４５】
図１に示すように、端末デバイス１１６は、アンテナ１１２および１１４と通信し、ここで、アンテナ１１２および１１４は、順方向リンク１１８を使用することによって端末デバイス１１６に情報を送り、逆方向リンク１２０を使用することによって端末デバイス１１６から情報を受信する。さらに、端末デバイス１２２は、アンテナ１０４およびアンテナ１０６と通信し、ここで、アンテナ１０４および１０６は、順方向リンク１２４を使用することによって端末デバイス１２２に情報を送り、逆方向リンク１２６を使用することによって端末デバイス１２２から情報を受信する。
【０１４６】
本出願の実施形態は、ダウンリンクデータ送信に適用可能であるか、またはアップリンクデータ送信に適用可能であるか、またはデバイス間（device to device、Ｄ２Ｄ）データ送信に適用可能である。たとえば、ダウンリンクデータ送信の場合、送信端デバイスは、基地局であり、対応する受信端デバイスは、ＵＥであり、アップリンクデータ送信の場合、送信端デバイスは、ＵＥであり、対応する受信端デバイスは基地局であり、Ｄ２Ｄデータ送信の場合、送信デバイスはＵＥであり、対応する受信デバイスはやはりＵＥである。これは、本出願の実施形態では限定されない。
【０１４７】
たとえば、周波数分割複信（frequency division duplex、ＦＤＤ）システムでは、順方向リンク１１８は、逆方向リンク１２０によって使用される周波数帯域とは異なる周波数帯域を使用し得、順方向リンク１２４は、逆方向リンク１２６によって使用される周波数帯域とは異なる周波数帯域を使用し得る。
【０１４８】
別の例では、時分割複信（time division duplex、ＴＤＤ）システムおよび全二重（full duplex）システムでは、順方向リンク１１８と逆方向リンク１２０とは、同じ周波数帯域を使用し得、順方向リンク１２４と逆方向リンク１２６とは、同じ周波数帯域を使用し得る。
【０１４９】
通信のために設計された各アンテナ（または複数のアンテナを含むアンテナグループ）および／またはエリアは、ネットワークデバイス１０２のセクタと呼ばれる。たとえば、アンテナグループは、ネットワークデバイス１０２のカバレージエリアのセクタ中の端末デバイスと通信するように設計され得る。ネットワークデバイス１０２が、それぞれ、順方向リンク１１８および順方向リンク１２４を使用することによって端末デバイス１１６および端末デバイス１２２と通信する処理では、ネットワークデバイス１０２の送信アンテナは、ビームフォーミングを通して順方向リンク１１８の信号対雑音比と順方向リンク１２４の信号対雑音比とを改善することが可能である。さらに、ネットワークデバイスが単一のアンテナを使用することによってすべての端末デバイスに信号を送る方式と比較して、ネットワークデバイス１０２が、ビームフォーミングを通して、関連するカバレージエリア中にランダムに分散された端末デバイス１１６と端末デバイス１２２とに信号を送るとき、隣接セル中のモバイルデバイスは、あまり干渉されない。
【０１５０】
ネットワークデバイス１０２、端末デバイス１１６、または端末デバイス１２２は、ワイヤレス通信送信装置および／またはワイヤレス通信受信装置であり得る。データを送るとき、ワイヤレス通信送信装置は、送信のためにデータを符号化し得る。詳細には、ワイヤレス通信送信装置は、チャネルを通してワイヤレス通信受信装置に送られる必要がある特定の数量のデータビットを取得し得る（たとえば、生成し得るか、別の通信装置から受信し得るか、またはメモリ中に記憶し得る）。データビットは、データのトランスポートブロック（または複数のトランスポートブロック）中に含まれ得る。トランスポートブロックは、複数のコードブロックを生成するためにセグメント化され得る。
【０１５１】
さらに、通信システム１００は、パブリックランドモバイルネットワーク（ＰＬＭＮ）ネットワーク、またはデバイス間（device to device、Ｄ２Ｄ）ネットワーク、または機械間（machine to machine、Ｍ２Ｍ）ネットワーク、または別のネットワークであり得る。図１は、理解しやすいように一例として使用される簡略概略図にすぎず、ネットワークは、図１に描かれていない別のネットワークデバイスをさらに含み得る。
【０１５２】
本出願の実施形態について理解しやすいように、以下に、図２を参照しながらＬＴＥシステムにおけるダウンリンク物理チャネル処理プロシージャについて手短に説明する。図２は、既存のＬＴＥシステムにおいて使用されるダウンリンク物理チャネル処理プロシージャの概略図である。ダウンリンク物理チャネル処理プロシージャの処理対象物は、コードワードである。コードワードは、通常、（少なくともチャネルコーディングを含む）符号化されたビットストリームである。スクランブル（scrambling）がコードワード（code word）に対して実行された後、スクランブルされたビットストリームが生成される。変調マッピング（modulation mapping）が、スクランブルされたビットストリームに対して実行された後、変調されたシンボルストリームは取得される。変調されたシンボルストリームは、レイヤマッピング（layer mapping）の後に複数のレイヤ（layer）にマッピングされる。区別および説明を容易にするために、本出願の実施形態では、レイヤマッピングの後のシンボルストリームは、レイヤマッピング空間レイヤと呼ばれることがある（またはレイヤマッピング空間ストリームまたはレイヤマッピングシンボルストリームと呼ばれることがある）。プリコーディング（precoding）がレイヤマッピング空間レイヤに対して実行された後、複数のプリコードされたデータストリーム（またはプリコードされたシンボルストリームと呼ばれる）が取得される。プリコードシンボルストリームは、リソース要素（resource element、ＲＥ）マッピングの後に、複数のＲＥ上にマッピングされる。次いで、直交周波数分割多重（orthogonal frequency division multiplexing、ＯＦＤＭ）変調がこれらのＲＥに対して実行されて、ＯＦＤＭシンボルストリームを生成する。ＯＦＤＭシンボルストリームは、次いで、アンテナポート（antenna port）を使用することによって送信される。
【０１５３】
チャネル状態が知られているとき、プリコーディング技術は、送信端における送信されるべき信号の前処理、すなわち、チャネルリソースに一致するプリコーディング行列を使用することによる送信されるべき信号の処理のことを指すことがあり、したがって、プリコードされた送信されるべき信号は、チャネルに適応し、受信端によるチャネル間での干渉の消去の複雑性が低減される。したがって、（信号対干渉雑音比（signal to interference plus noise ratio、ＳＩＮＲ）などの）受信信号品質が送信信号のプリコーディング処理を通して改善される。したがって、プリコーディング技術を使用することによって、送信端デバイスと複数の受信端デバイスとが同じ時間周波数リソース上での送信を実装することが可能となり、すなわち、マルチユーザ多入力多出力（multiple user multiple input multiple output、ＭＵ−ＭＩＭＯ）が実装される。プリコーディング技術についての関連説明は、一例として使用されるにすぎず、本出願の実施形態の保護範囲を限定するものではないことに留意されたい。特定の実装処理では、プリコーディングは、別の方式で実行され得（たとえば、チャネル行列を学習することができないとき、プリコーディングは、プリセットされたプリコーディング行列を使用することによって、または加重処理方式で実行され）、詳細な内容については本明細書に記載されていない。
【０１５４】
ただし、チャネル状態が迅速に変化するとき、または他の場合にはＣＳＩを取得することができないとき、受信端は、通常、ロングタームブロードバンドのＣＳＩをフィードバックする。そのようなＣＳＩフィードバックに基づいて決定されたプリコーディング行列は、不正確であり、現在のチャネル状態に正確に適応することができない。したがって、プリコーディングされた送信されるべき信号は、受信端によって正常に復調されることができず、受信信号の品質に劣化を生じる。
【０１５５】
現在知られている送信方式は、同じデータストリームに対してプリコーダ循環を実行するために複数のプリコーディングベクトルを使用し、ダイバーシティ利得が複数のプリコーディングベクトルの循環を通して取得され、それにより、チャネル状態が迅速に変化するシナリオ、またはＣＳＩを正確に取得することができないシナリオに適用可能になる。この送信方式は、プリコーダ循環と呼ばれることがある。プリコーダ循環がダイバーシティ送信の送信方式であることが理解され得る。
【０１５６】
しかしながら、現在の技術では、プリコーダ循環の送信方式を使用するときに、送信端は、送信方式に基づく測定を通して取得されるＣＳＩを取得しない。実際には、チャネル測定中に、受信端は、通常、閉ループ空間多重化（closed-loop spatial multiplexing、ＣＬＳＭ）の送信方式に基づくチャネル測定を実行し、フィードバックされたＣＳＩは、通常、ＣＬＳＭの送信方式に適用可能であり、ダイバーシティ送信要件を満たすことができない。
【０１５７】
したがって、プリコーダ循環の送信方式に基づいてＣＳＩをフィードバックするための解決策を提供する必要があり、したがって、送信端デバイスは、現在のチャネル状態に適応することが可能である複数のプリコーディング行列を取得して、プリコーダ循環を実行し、それによって、信号の受信品質を改善することが可能となる。
【０１５８】
通常、チャネルに適応することが可能であるプリコーディング行列を取得するために、送信端は、事前にチャネル測定を実行するために基準信号を送り得、チャネル測定を通して受信端によって取得されるＣＳＩを取得し、したがって、送られるべきデータに対してプリコーディング処理を実行するために比較的正確なプリコーディング行列が決定される。
【０１５９】
本出願では、基準信号は、プリコードされていない（non-precoded）基準信号またはプリコードされた基準信号（またはビームフォーミングされた（beamformed）基準信号と呼ばれる）であり得る。プリコードされていない基準信号は、ＬＴＥプロトコルにおけるクラスＡ（Class A）基準信号と同様であり、プリコードされた基準信号はＬＴＥプロトコルにおけるクラスＢ（Class B）基準信号と同様である。本出願の実施形態では、２つの信号間の差は、チャネル測定後にフィードバックされる（または示される）ＣＳＩが異なることにある。
【０１６０】
詳細には、受信端は、プリコードされていない基準信号に基づいて送信アンテナと受信アンテナとの間の完全チャネルを推定することが可能であり、ＣＳＩは、完全チャネルの測定に基づいて取得される。受信端は、プリコードされた基準信号に基づいて等価チャネルを測定することが可能であり、ＣＳＩは、等価チャネルの測定に基づいて取得される。したがって、受信端が両方のタイプの基準信号に基づいてＣＳＩをフィードバックするが、異なる基準信号に基づくチャネル測定を通してフィードバックされる（または示される）ＣＳＩ中に含まれるコンテンツは。異なり得ることが理解され得る。
【０１６１】
複数アンテナの技術開発とともに、比較的大きい数量のアンテナポートがあるので、高いパイロットオーバーヘッドは、プリコードされていない基準信号を使用したチャネル測定（詳細には、ＣＳＩ測定）によって生じ、各基準信号の送信電力が比較的低くなり、チャネル測定精度が比較的低くなる。プリコードされた基準信号が、等価なチャネル行列を測定するために使用され得、端末デバイスは、測定を通してビームフォーミングされた等価チャネルを取得し、したがって、アンテナポートの数量は低減され、パイロットオーバーヘッドが比較的低くなる。したがって、送信電力が増加し、チャネル測定精度が改善される。
【０１６２】
したがって、プリコードされていない基準信号とプリコードされた基準信号との両方がプリコーディング行列を決定するために使用され得る。プリコードされていない基準信号の場合、プリコーディング行列は、完全チャネルの測定に基づいて決定され、プリコーディング行列は、データに対してプリコーディングを実行するために送信端デバイスによって使用され得る。プリコードされた基準信号の場合、アンテナポート（すなわち、ビーム）に対応するプリコーディングベクトルは、等価チャネルの測定に基づいて決定され、すなわち、データ送信のためのアンテナポートに対応するプリコーディングベクトルが決定される。言い換えれば、プリコードされた基準信号は、プリコーディングベクトルの選択、すなわち、アンテナポートの選択またはビームの選択のために使用される。本出願では、基準信号がプリコードされた基準信号である場合、１つのアンテナポートが１つのプリコーディングベクトルに対応し得る。送信端が、１つのアンテナポートに対応するプリコーディングベクトルに基づいてプリコードされた基準信号を送信するとき、送信されたプリコードされた基準信号は方向性を有する。したがって、アンテナポートを使用することによって送られたプリコードされた基準信号は、特定の方向のビームとして理解され得る。要するに、１つのアンテナポートが１つのビームに対応する。
【０１６３】
基準信号が適用可能である通信方式または基準信号のタイプが本出願では特に限定されないことを理解されたい。たとえば、ダウンリンクデータ送信の場合、送信端は、ネットワークデバイスであり得、受信端は、端末デバイスであり得、基準信号は、たとえば、チャネル状態情報基準信号（channel state information reference signal、ＣＳＩ−ＲＳ）であり得、アップリンクデータ送信の場合、送信端は、端末デバイスであり得、受信端は、ネットワークデバイスであり得、基準信号は、たとえば、サウンディング基準信号（sounding reference signal、ＳＲＳ）であり得、デバイス間（device to device、Ｄ２Ｄ）データ送信の場合、送信端は、端末デバイスであり得、受信端は、やはり端末デバイスであり得、基準信号は、たとえば、ＳＲＳであり得る。ただし、上記に記載した基準信号のタイプは、説明のために使用される一例にすぎず、本出願にいかなる限定も構成せず、同じまたは同様の機能を実装するために別の基準信号を使用する可能性を本出願では排除しないことを理解されたい。
【０１６４】
本出願の実施形態では、アンテナポート（または、略してポート）が基準信号ポートとして理解され得、１つの基準信号が１つのアンテナポートに対応することに留意されたい。本明細書における基準信号は、たとえば、チャネル状態情報基準信号ＣＳＩ−ＲＳポートもしくはＤＭＲＳポートを含み得るか、またはＳＲＳポートもしくはＤＭＲＳポートを含み得る。異なるタイプの基準信号が異なる機能を実装するために使用される。本出願におけるアンテナポートの記述は、ＣＳＩ−ＲＳポート、またはＤＭＲＳポート、またはＳＲＳポート、またはＤＭＲＳポートであり得、当業者は、それらの意味を理解することが可能である。
【０１６５】
本出願の実施形態では、送信方式（または、送信方法または送信機構と呼ばれる）は、既存のプロトコル（たとえば、ＬＴＥプロトコル）において定義されている送信方式であり得るか、または将来の５Ｇにおける関連するプロトコルにおいて定義されている送信方式であり得、これは、本出願の実施形態では特に限定されないことにさらに留意されたい。送信方式がデータ送信のために使用される技術的解決策を表すための名前として理解され得、本出願の実施形態にいかなる限定も構成せず、送信方式を置き換えるために将来のプロトコルにおいて別の名前を使用する可能性を本出願の実施形態では排除しないことを理解されたい。
【０１６６】
以下に、例としてプリコードされていない基準信号とプリコードされた基準信号とを別々に使用することによって添付の図面を参照しながら本出願で提供されるデータ送信の方法について説明する。
【０１６７】
本出願における技術的解決策が複数のアンテナ技術を使用するワイヤレス通信システムに適用可能であることを理解されたい。たとえば、ワイヤレス通信システムは、図１に示された通信システム１００であり得る。通信システムは、少なくとも１つのネットワークデバイスと少なくとも１つの端末デバイスとを含み得、ネットワークデバイスと端末デバイスとは、ワイヤレスエアインターフェースを使用することによって通信し得る。たとえば、通信システムにおけるネットワークデバイスは、図１に示されたネットワークデバイス１０２に対応し得、端末デバイスは、図１に示された端末デバイス１１６または１２２に対応し得る。
【０１６８】
上記で説明したワイヤレス通信システムでは、ネットワークデバイスと端末デバイスとは、同じコードブック（codebook）を事前に記憶し得、複数のプリコーディング行列と複数のインデックス（たとえば、ＰＭＩ）との間での１対１の対応は、コードブック中に記憶され得る。複数のプリコーディング行列と複数のＰＭＩとの間での１対１の対応は、あらかじめ定義され（たとえば、プロトコルによって定義され）、ネットワークデバイスと端末デバイスとの中に構成され得るか、またはネットワークデバイスによってあらかじめ定義され、シグナリングを使用することによって事前に端末デバイスに通知され得、したがって、端末デバイスは、複数のプリコーディング行列と複数のＰＭＩとの間での１対１の対応を記憶することが理解され得る。
【０１６９】
以下に、図３から図７を参照しながら本出願の実施形態におけるデータ送信の方法について詳細に説明する。
【０１７０】
図３は、デバイス対話の観点からの本出願の一実施形態による、データ送信の方法２００の概略フローチャートである。詳細には、図３に、ダウンリンクデータ送信のシナリオを示す。図３に示すように、図３に示す方法２００は、ステップ２１０からステップ２６０を含み得る。
【０１７１】
ステップ２１０において、ネットワークデバイスは、チャネル測定のために使用される少なくとも１つの基準信号を送る。
【０１７２】
相応して、ステップ２１０において、端末デバイスは、チャネル測定のために使用される少なくとも１つの基準信号を受信する。
【０１７３】
詳細には、少なくとも１つの基準信号は、同じ基準信号リソース上で搬送される基準信号であり得る。１つの基準信号リソースが複数の基準信号を搬送するとき、基準信号リソース上で搬送される複数の基準信号のリソース構成方式は、時分割多重（time division multiplexing、ＴＤＭ）であり得るか、または周波数分割多重化（frequency division multiplexing、ＦＤＭ）であり得るか、または符号分割多重化（code division multiplexing、ＣＤＭ）であり得る。言い換えれば、ネットワークデバイスは、ＴＤＭ、ＦＤＭ、ＣＤＭなどを使用することによって異なるアンテナポートを区別し得る。ＦＤＭまたはＴＤＭが使用される場合、異なるアンテナポートの基準信号によって占有される周波数領域リソースまたは時間領域リソースは異なり得る。ＣＤＭが使用される場合、異なるアンテナポートの基準信号によって占有される時間周波数リソースは同じであり得、異なるアンテナポートが多重化コードを使用することによって区別される。少なくとも１つの第１の基準信号のリソース構成方式は、本出願では特に限定されない。
【０１７４】
限定ではなく一例として、ダウンリンクデータ送信では、基準信号は、たとえば、ＣＳＩ−ＲＳであり得、基準信号リソースは、たとえば、ＣＳＩ−ＲＳリソース（CSI-RS resource）であり得る。
【０１７５】
ステップ２２０において、端末デバイスは、少なくとも１つの基準信号とＣＳＩフィードバックが基づく送信方式とに基づいて第１の指示情報の複数の部分をフィードバックし、ここで、第１の指示情報の複数の部分は、ｘ個のプリコーディング行列を示すために使用される。
【０１７６】
相応して、ステップ２２０において、ネットワークデバイスは、少なくとも１つの基準信号とＣＳＩフィードバックが基づく送信方式とに基づいて端末デバイスによってフィードバックされた第１の指示情報の複数の部分を受信する。次いで、ステップ２３０において、ネットワークデバイスは、第１の指示情報の複数の部分に基づいてｘ個のターゲットプリコーディング行列を決定する。
【０１７７】
ｘは、フィードバックされる必要があるターゲットプリコーディング行列の数量であり、ｘは、１よりも大きい整数である。
【０１７８】
詳細には、端末デバイスは、少なくとも一部分の第１の指示情報を使用することによってｘ個のターゲットプリコーディング行列のうちの１つを示し得、ネットワークデバイスは、事前記憶されたコードブックと少なくとも一部分の第１の指示情報とに基づいてｘ個のターゲットプリコーディング行列のうちの１つを決定し得る。言い換えれば、１つのターゲットプリコーディング行列は、第１の指示情報の一部分によって示され得る（または決定される）か、または第１の指示情報の複数の部分によって示され得る（または決定される）。
【０１７９】
ｘ個のターゲットプリコーディング行列が互いに異なり得るか、または部分的に同じであり得ることを理解されたい。これは、本出願では限定されない。
【０１８０】
本出願のこの実施形態では、ＣＳＩフィードバックが基づく送信方式は、事前に同意され（たとえば、プロトコルによって定義され）、ネットワークデバイスと端末デバイスとの中に構成され得るか、またはネットワークデバイスによって決定され、端末デバイスに通知され得る。
【０１８１】
ＣＳＩフィードバックが基づく送信方式をネットワークデバイスが決定するとき、ネットワークデバイスは、シグナリングを使用することによって、ＣＳＩフィードバックが基づく送信方式について端末デバイスに明示的に示し得る。任意選択で、本方法は、ステップ２４０、ネットワークデバイスは、ＣＳＩフィードバックが基づく送信方式の指示情報を送る、をさらに含む。
【０１８２】
端末デバイスは、指示情報によって示された送信方式に基づいて測定とフィードバックとを実行し得る。したがって、ＣＳＩフィードバックが基づく送信方式の指示情報は、フィードバックタイプ（feedback type）の指示情報と呼ばれることもある。
【０１８３】
限定ではなく一例として、ＣＳＩフィードバックが基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【０１８４】
ＣＳＩフィードバックが基づく送信方式は、送信方式の想定として理解され得、端末デバイスは、想定された送信方式に基づいてＣＳＩの測定とフィードバックとを実行することを理解されたい。
【０１８５】
本出願のこの実施形態では、基準信号は、プリコードされていない基準信号（場合１）またはプリコードされた基準信号（場合２）であり得る。以下に、場合１および場合２に関して第１の指示情報を使用することによってプリコーディング行列を示す（または決定する）ための特定の方法について説明する。
【０１８６】
場合１：基準信号は、プリコードされていない基準信号である。
【０１８７】
場合１では、ネットワークデバイスは、ステップ２１０において、複数のプリコードされていない基準信号を送り得、ステップ２２０において、端末デバイスは、ネットワークデバイスによって送られた複数のプリコードされていない基準信号に基づいてチャネル測定を実行する。チャネル測定は、送信アンテナと受信アンテナとの間での完全チャネルの測定であり得る。端末デバイスは、チャネル測定に基づいて複数のプリコーディング行列を決定し、第１の指示情報の複数の部分をフィードバックすることによって複数のターゲットプリコーディング行列を示す。
【０１８８】
任意選択で、第１の指示情報は、ＰＭＩであり、複数のＰＭＩの各々は、３つのコードブックインデックスｉ1,1、ｉ1,2、およびｉ2を含み、各ＰＭＩ中の３つのコードブックインデックスは、１つのプリコーディング行列を一緒に示すために使用され、ｘ個のＰＭＩは、ｘ個のプリコーディング行列と１対１で対応する。
【０１８９】
代替として、場合によっては、各ＰＭＩは、２つのＰＭＩ値（PMI value）であるｉ1とｉ2とを含む。
【０１９０】
ｉ1は、コードブック中のインデックスのペア｛ｉ1,1，ｉ1,2｝に対応し、インデックスのペア｛ｉ1,1，ｉ1,2｝は、１つプリコーディング行列セットを決定するために使用され得、プリコーディング行列セットは、少なくとも１つのプリコーディング行列を含み得、少なくとも１つのプリコーディング行列は、ターゲットプリコーディング行列を含み、ｉ2は、コードブック中のｉ2に対応し、インデックスのペア｛ｉ1,1，ｉ1,2｝によって示されるプリコーディング行列セットからターゲットプリコーディング行列をさらに決定するために使用され得る。したがって、言い換えれば、ｉ1およびｉ2は、１つのターゲットプリコーディング行列を示すために一緒に使用され得る。
【０１９１】
したがって、場合１では、１つのＰＭＩが、１つターゲットプリコーディング行列を決定するために使用され得、ｘ個のターゲットプリコーディング行列が、ｘ個のＰＭＩを使用することによって示され得る。
【０１９２】
ステップ２３０において、ｘ個のＰＭＩを受信すると、ネットワークデバイスは、各ＰＭＩ中に含まれる２つのＰＭＩ値に基づいて対応するインデックスを決定し、次いで、ターゲットプリコーディング行列として各ＰＭＩによって示されるプリコーディング行列を決定し得る。
【０１９３】
場合２：基準信号は、プリコーダ循環を受けた基準信号である。
【０１９４】
場合２では、ネットワークデバイスは、ステップ２１０において少なくとも１つのプリコードされた基準信号を送り得る。ステップ２２０において、端末デバイスは、ネットワークデバイスによって送られた少なくとも１つのプリコードされた基準信号に基づいてチャネル測定を実行し得る。チャネル測定は、等価チャネルの測定であり得る。端末デバイスは、等価なチャネル測定に基づいてｘ個のターゲットプリコーディング行列を決定する。
【０１９５】
任意選択で、少なくとも１つの基準信号の各々は、プリコーダ循環を受けた基準信号であり得る。
【０１９６】
プリコーダ循環は、少なくとも２つの異なるプリコーディング行列を使用することによる基準信号リソース上での基準信号のプリコーディングとして理解され得る。プリコーダ循環を表すためのパラメータは、プリコーダ循環の粒度とプリコーディング行列の数量とを含み得る。プリコーダ循環の粒度（またはプリコーダ循環サイズと呼ばれる）は、同じプリコーディング行列を使用することによってプリコーディングが実行される連続するリソースユニットの数量を示す。プリコーディング行列の数量は、１つの基準信号リソース上で使用される異なるプリコーディング行列の数量を示す。本出願のこの実施形態では、プリコーディング行列の数量は、ｙとして示され、ｙは、１よりも大きい整数である。本出願のこの実施形態では、ｙ個のプリコーディング行列を別々に使用することによってｙリソースグループに対してプリコーダ循環が実行される処理は、１つの循環期間として記録される。１つの循環期間は、循環回数の数量が１であるか、または循環が１回実行されることを示す。
【０１９７】
本明細書におけるリソースユニットは、物理レイヤ送信のための最小スケジューリングユニットとして理解され得る。各リソースユニットは、ＬＴＥプロトコルにおいて定義されているリソースブロックＲＢ（resource block、ＲＢ）であり得るか、または複数のＲＢを含むＲＢグループ（RB group、ＲＢＧ）であり得るか、または１／２のＲＢもしくは１／４のＲＢであり得るか、または１つもしくは複数のリソース要素（resource element、ＲＥ）であり得、本出願では特に限定されない。リソースユニットがＲＢである場合、プリコーダ循環の粒度は、プリコーディングリソースブロックグループサイズ(precoding resource block group size、PRG size）または循環ＰＲＧサイズ（cycling PRG size）と呼ばれることもある。
【０１９８】
さらに、少なくとも１つの基準信号が少なくとも１つのポートと１対１で対応することにさらに留意されたい。１つの基準信号しかない場合、基準信号のプリコーディング行列はただ一列のベクトルを含む。Ｒ個の基準信号がある場合、Ｒ個の基準信号のプリコーディング行列はＲ個の列ベクトルを含む。
【０１９９】
本出願のこの実施形態では、基準信号の測定帯域幅は、複数の物理リソースグループ（または、略して、リソースグループ）に分割され得、各リソースグループは、少なくとも１つのリソースユニットを含み得る。ｙ個のリソースグループは、周波数領域中で分割され得るか、または時間領域中で分割され得、これは、本出願では特に限定されない。
【０２００】
少なくとも１つのプリコードされた基準信号は、複数のリソースグループ中で搬送され得、各リソースグループは、少なくとも１つのプリコードされた基準信号を搬送し、任意の２つの隣接するリソースグループ中で搬送される信号に対応するプリコーディング行列は異なる。リソースグループがプリコーダ循環の粒度の一例であることが理解され得る。
【０２０１】
たとえば、測定帯域幅は４つの連続するサブバンド（subband）に分割され（サブバンドは、周波数領域中で分割されたリソースグループであることを理解されたい）、４つの連続するサブバンドは、連続的にサブバンド＃１、サブバンド＃２、サブバンド＃３、およびサブバンド＃４である。同じプリコーディング行列が、各サブバンドに対してプリコードするために使用され、サブバンド＃１に対して使用されるプリコーディング行列は、サブバンド＃３に対して使用されるプリコーディング行列と同じであり、サブバンド＃２に対して使用されるプリコーディング行列は、サブバンド＃４に対して使用されるプリコーディング行列と同じである。したがって、プリコーダ循環の粒度は、１つのサブバンドであり、プリコーディング行列の数量ｙは、２である。
【０２０２】
本出願のこの実施形態では、端末デバイスは、プリコーダ循環を受けた受信された基準信号に対応するｙ個のプリコーディング行列に基づいてｘ個のターゲットプリコーディング行列を決定し得る。可能な設計では、端末デバイスは、ｘ個のターゲットプリコーディング行列としてプリコーダ循環のために使用されるｙ個のプリコーディング行列中のｘ個のプリコーディング行列を直接使用し得る。この場合、端末デバイスは、ネットワークデバイスに、プリコーディング行列の数量ｘを搬送する一部分の指示情報を直接フィードバックし得る。ネットワークデバイスは、プリコーダ循環のために使用されるｙ個のプリコーディング行列からの指示情報に基づいて、データ送信のためのｘ個のプリコーディング行列を選択し得る。別の可能な設計では、端末デバイスは、プリコーダ循環のために使用されるｙ個のプリコーディング行列に基づいてｘ個のターゲットプリコーディング行列を決定し得、ここで、各ターゲットプリコーディング行列は、プリコーダ循環のために使用される少なくとも１つのプリコーディング行列に基づいてポート選択を通して取得され得る。言い換えれば、（たとえば、ＰBとして示される）１つのターゲットプリコーディング行列が、（たとえば、ＰAとして示される）１つのプリコーディング行列に基づいて決定されるとき、ＰBは、ＰA中の全部または一部の列ベクトルを組み合わせることによって形成され得、（たとえば、ＰDとして示される）１つのターゲットプリコーディング行列が、（たとえば、ＰAおよびＰCとして示される）少なくとも１つのプリコーディング行列に基づいて決定されるとき、ＰBは、ＰAおよびＰC中の一部または全部の列ベクトルを線形的に重ね合わせることによって形成され得る。
【０２０３】
以下に、ポート選択を通してｘ個のターゲットプリコーディング行列を決定し、第１の指示情報の複数の部分をフィードバックするための特定の方法について詳細に説明する。
【０２０４】
本出願のこの実施形態では、プリコーダ循環のために使用されるプリコーディング行列の数量ｙが、フィードバックされる必要があるプリコーディング行列の数量ｘに等しい、すなわち、ｙ＝ｘである場合、端末デバイスは、測定帯域幅中のリソースグループに対応するプリコーディング行列に基づいてｘ個のターゲットプリコーディング行列を決定し、すなわち、各リソースグループによって搬送される少なくとも１つのプリコードされた基準信号に基づいて１つのターゲットプリコーディング行列を決定し得る。プリコーダ循環が基準信号に対して実行されるので、循環回数の数量が１よりも大きいとき、複数のリソースグループが同じプリコーディング行列に対応し得ることが理解され得る。
【０２０５】
この場合、プリコーダ循環のために使用されるｙ個のプリコーディング行列の各々は、ｘ個のターゲットプリコーディング行列のうちの１つを決定するために使用され、ｙ個のプリコーディング行列は、ｘ個のターゲットプリコーディング行列と１対１で対応する。
【０２０６】
任意選択で、第１の指示情報は、ＰＭＩであり、複数のＰＭＩの各々は、１つのプリコードされた基準信号に対応するポートを示すために使用される。
【０２０７】
詳細には、場合２では、各ＰＭＩは、インデックスを含み、インデックスは、行列を示すために使用され得、行列は、少なくとも１つの列ベクトルを含み得、行列の列の数量はランク（rank）に関係づけられる。ランクがＲである場合、行列は、Ｒ個の列ベクトルを含む。各列ベクトルは、１つのプリコーディングベクトルを決定するために使用され、Ｒ個の列をもつ行列は、Ｒのランクをもつターゲットプリコーディング行列を決定するために使用され得る。
【０２０８】
ステップ２３０において、複数のＰＭＩを受信すると、ネットワークデバイスは、各ＰＭＩ中のインデックスによって示される行列に基づいて、各ＰＭＩによって示されるプリコーディング行列を決定して、ｘ個のターゲットプリコーディング行列を決定し得る。以下に、ターゲットプリコーディング行列を示す（または、決定する）ためにＰＭＩが使用される場合２における一例を示す。
【０２０９】
ＰＭＩ中に含まれるコードブックインデックスに対応する行列は、ランクが１である場合、
【０２１０】
【数１】
2020526093.tif 000003
【０２１１】
となり、またはランクが１よりも大きい（たとえば、ランクが２である）場合、
【０２１２】
【数２】
2020526093.tif 000004
【０２１３】
となると仮定する。
【０２１４】
したがって、上記に記載した行列は、４つのアンテナポートについてランクが１および２であるときのＰＭＩに対応する行列である。
【０２１５】
ランクが１である場合、列ベクトルは、選択されたポートのプリコーディングベクトルを決定するために使用され、プリコーディングベクトルは、ターゲットプリコーディング行列である。４は、ポートの数量を表し、３は、現在選択されたポートを表す。
【０２１６】
ランクが１よりも大きい（たとえば、ランクが２である）場合、行列中の各列ベクトルは、選択されたポートのプリコーディングベクトルを決定するために使用され、行列は、２つの列をもつターゲットプリコーディング行列を決定するために使用され得る。４は、ポートの数量を表し、第１の列中の３は、第１のデータレイヤのために使用される現在選択されたポートを表し、第２の列中の０は、第２のデータレイヤのために使用される現在選択されたポートを表す。
【０２１７】
以下に、ターゲットプリコーディング行列を示す（または、決定する）ためにＰＭＩが使用される場合２における別の例を示す。
【０２１８】
ＰＭＩ中に含まれるコードブック（codebook）のインデックス値は、１２であり、１２のインデックスに対応する行列は、ランクが１である場合、
【０２１９】
【数３】
2020526093.tif 000005
【０２２０】
となり、またはランクが１よりも大きい（たとえば、ランクが２である）場合、
【０２２１】
【数４】
2020526093.tif 000006
【０２２２】
となると仮定する。
【０２２３】
したがって、上記に記載した行列は、８つのアンテナポートについてランクが１および２であるときのＰＭＩに対応する行列である。
【０２２４】
ランクが１である場合、列ベクトルは、選択されたポートのプリコーディングベクトルを決定するために使用され、プリコーディングベクトルは、２つの偏波方向に対応し得、ここで、４は、ポートの数量を表し、３は、現在選択されたポートを表し、２つの
【０２２５】
【数５】
2020526093.tif 000007
【０２２６】
は、分極アンテナの位相ファクタ（同相）αを使用することによって区別され、分極アンテナの位相ファクタαの値は、［１，−１，ｊ，−ｊ］中の任意の値であり得る。列ベクトルは、データ送信のための使用されるプリコーディングベクトルを決定するために使用され得、すなわち、第１の偏波方向のポート３に対応するプリコーディングベクトルと第２の偏波方向のポート３に対応するプリコーディングベクトルとが、プリコーディングベクトルを形成するために接合される。たとえば、第１の偏波方向のポート３に対応するプリコーディングベクトルは、Ｐ1であり、第２の偏波方向のポート３に対応するプリコーディングベクトルは、Ｐ2であり、したがって、列ベクトルに基づいて決定されたプリコーディングベクトルは、
【０２２７】
【数６】
2020526093.tif 000008
【０２２８】
となり、プリコーディングベクトルは、ターゲットプリコーディング行列である。
【０２２９】
ランクが１よりも大きい（たとえば、ランクが２である）場合、行列中の各列ベクトルは、選択されたポートのプリコーディングベクトルを決定するために使用され、行列は、２つの列をもつターゲットプリコーディング行列を決定するために使用され得る。ターゲットプリコーディング行列中の各プリコーディングベクトルは、２つの偏波方向に対応し得、ここで、４は、ポートの数量を表し、第１の列中の０は、第１のデータレイヤのために使用される現在選択されたポートを表し、第２の列中の３は、第２のデータレイヤのために使用される現在選択されたポートを表し、各列ベクトルは、分極アンテナの位相ファクタαを使用することによって区別され得る。第１の偏波方向のポート３に対応するプリコーディングベクトルは、Ｐ1であり、第２の偏波方向のポート３に対応するプリコーディングベクトルは、Ｐ2であり、第１の偏波方向のポート０に対応するプリコーディングベクトルは、Ｐ3であり、第２の偏波方向のポート０に対応するプリコーディングベクトルは、Ｐ4であると仮定する。行列に基づいて決定されたターゲットプリコーディング行列は、
【０２３０】
【数７】
2020526093.tif 000009
【０２３１】
である。
【０２３２】
端末デバイスによってフィードバックされた第１の指示情報に基づいて決定されたターゲットプリコーディング行列中の各列ベクトルは、ネットワークデバイスによって構成されたポートと１対１で対応し得ることに留意されたい。この場合、第１の指示情報に基づいてネットワークデバイスによって決定されるターゲットプリコーディング行列中の各列ベクトルは、対応するポートによって使用されるプリコーディングベクトルである。代替として、端末デバイスによってフィードバックされたプリコーディングベクトルは、ネットワークデバイスによって構成された複数のポート（すなわち、ポートの組合せ）に対応し得る。この場合、プリコーディングベクトルは、複数のポートによって使用されるプリコーディングベクトルの線形重ね合わせであり得る。この場合、端末デバイスは、ネットワークデバイスに複数のポートと線形結合係数とをフィードバックし得、したがって、ネットワークデバイスは、プリコーディングベクトルを決定する。
【０２３３】
端末デバイスによるポートの組合せのための方法は、従来技術における方法と同じであり得ることを理解されたい。簡潔のために、ポートの組合せの特定の処理についての詳細な説明は、本明細書では省略される。
【０２３４】
本出願のこの実施形態では、プリコーダ循環のために使用されるプリコーディング行列の数量ｙが、フィードバックされる必要があるプリコーディング行列の数量ｘよりも大きい、すなわち、ｙ＞ｘである場合、端末デバイスは、最初に、ｙ個のプリコーディング行列からｘ個のプリコーディング行列を選択し、第２の指示情報を使用することによってｘ個のプリコーディング行列についてネットワークデバイスに通知し得、次いで、端末デバイスは、ｘ個のプリコーディング行列に基づいてｘ個のターゲットプリコーディング行列を決定し、第１の指示情報を使用することによってネットワークデバイスにｘ個のターゲットプリコーディング行列をフィードバックし得る。
【０２３５】
任意選択で、本方法は、
端末デバイスによって、第２の指示情報を送るステップであって、第２の指示情報は、プリコーダ循環のために使用されるｙ個のプリコーディング行列中のｘ個のプリコーディング行列を示し、プリコーダ循環のために使用されるｘ個のプリコーディング行列の各々は、ｘ個のターゲットプリコーディング行列のうちの１つを決定するために使用され、プリコーダ循環のために使用されるｘ個のプリコーディング行列は、ｘ個のターゲットプリコーディング行列と１対１で対応する、ステップをさらに含む。
【０２３６】
相応して、ネットワークデバイスは、第２の指示情報を受信し、第２の指示情報に基づいて、プリコーダ循環のために使用されるｙ個のプリコーディング行列からｘ個のプリコーディング行列を決定する。
【０２３７】
ネットワークデバイスは、第１の指示情報の複数の部分とプリコーダ循環のために使用されるｘ個のプリコーディング行列のすべてとに基づいてｘ個のターゲットプリコーディング行列のすべてを決定する。
【０２３８】
可能な実装では、第２の指示情報は、ビットマップであり得、ビットマップ中の複数のビットは、ｙ個のプリコーディング行列と１対１で対応するか、または測定帯域幅中に含まれる１つの循環期間中のｙ個のリソースグループと１対１で対応し、各ビットの値は、対応するプリコーディング行列が選択されるのかどうかを示すために使用されるか、または対応するリソースグループによって搬送される基準信号のプリコーディング行列が選択されるのかどうかを示すために使用される。たとえば、ビットマップ中のビットは、「０」に設定され、対応するプリコーディング行列が選択されないことを示し、ビットマップ中のビットは、「１」に設定され、対応するプリコーディング行列が選択されることを示す。プリコーダ循環が基準信号に対して実行されるので、循環回数の数量が１よりも大きいとき、複数のリソースグループが同じプリコーディング行列に対応し得ることが理解され得る。
【０２３９】
たとえば、４つのサブバンド（すなわち、リソースグループの一例）があり、プリコーディング行列の数量ｙが４であると仮定する。循環回数の数量は１であり、４つのサブバンドは、４つのプリコーディング行列と１対１で対応し、フィードバックされる必要があるターゲットプリコーディング行列の数量ｘは２である。図４は、本出願の一実施形態による、ビットマップの概略図である。図４に示すように、ビットマップ中の４つのビットは、「０１０１」であり、サブバンド＃１およびサブバンド＃３に対応するプリコーディング行列が選択されず、サブバンド＃２およびサブバンド＃４に対応するプリコーディング行列が選択されることを示す。
【０２４０】
ｘ個の選択されたプリコーディング行列を示すためにビットマップを使用する方法は、可能な実装にすぎず、本出願にいかなる限定も構成せず、ｘ個の選択されたリソースグループを示すために本出願では別の方法が使用され得ることを理解されたい。
【０２４１】
第１の指示情報を使用することによってターゲットプリコーディング行列を示す（または決定する）ための特定の方法について場合１および場合２に関して上記で詳細に説明した。第１の指示情報を使用することによってターゲットプリコーディング行列を示すための上記の説明した方法は、間接的な指示方法であり、ネットワークデバイスは、複数の受信された第１の指示情報に基づいてｘ個のターゲットプリコーディング行列を決定することが可能であることが理解され得る。
【０２４２】
本出願のこの実施形態では、端末デバイスは、ＣＳＩフィードバックが基づく送信方式に基づいて複数のターゲットプリコーディング行列を測定し、決定することが可能である。ターゲットプリコーディング行列の数量ｘは、事前に同意される（たとえば、プロトコルによって定義される）か、または現在のチャネル状態に基づいてネットワークデバイスによって決定され、シグナリングを使用することによって端末デバイスに通知され得る。
【０２４３】
ネットワークデバイスが、ターゲットプリコーディング行列の数量ｘを決定するとき、任意選択で、方法２００は、ステップ２５０、ネットワークデバイスは、第５の指示情報を送り、ここで、第５の指示情報は、ターゲットプリコーディング行列の数量ｘを示す、をさらに含む。
【０２４４】
任意選択で、第５の指示情報は、無線リソース制御（radio resource control、ＲＲＣ）メッセージ、媒体アクセス制御（Media Access Control、ＭＡＣ）制御要素（control element、ＣＥ）、またはダウンリンク制御情報（downlink control information、ＤＣＩ）のシグナリングのうちのいずれか１つ中で搬送され得る。
【０２４５】
任意選択で、方法２００は、ステップ２６０、ネットワークデバイスは、ターゲットプリコーディング行列の数量ｃの最大値ｃの指示情報を送り、ここで、ｃ≧ｘであり、ｃは整数である、をさらに含む。
【０２４６】
ネットワークデバイスは、端末デバイスによってフィードバックされたターゲットプリコーディング行列の数量の最大値をさらに制限して、端末デバイスのフィードバックによって生じるシグナリングオーバーヘッドを制限し得る。
【０２４７】
任意選択で、ターゲットプリコーディング数量の最大値ｃの指示情報は、ＲＲＣメッセージ、ＭＡＣ−ＣＥ、またはＤＣＩのシグナリングのうちのいずれか１つ中で搬送され得る。
【０２４８】
指示情報を搬送するための上記に記載したシグナリングは、説明のために使用される一例にすぎず、本出願にいかなる限定も構成しないことを理解されたい。
【０２４９】
任意選択で、方法２００は、ステップ２７０、ネットワークデバイスは、ステップ２３０において決定されたｘ個のターゲットプリコーディング行列に基づいて送られるべきデータに対してプリコーダ循環を実行し、プリコーダ循環を受けたデータを送る、をさらに含む。
【０２５０】
詳細には、ネットワークデバイスはステップ２３０において決定されたｘ個のターゲットプリコーディング行列に基づいて送られるべきデータに対してプリコーディングを直接実行するか、またはステップ２３０において決定されたｘ個のターゲットプリコーディング行列に基づいて数学的変換もしくは数学的計算を実行して、プリコーディング演算のために使用される複数のプリコーディング行列を取得し、複数の取得されたプリコーディング行列に基づいて送られるべきデータに対してプリコーダ循環を実行し得る。データに対してプリコーダ循環を実行した後に、ネットワークデバイスは、プリコーダ循環を受けたデータを取得し、送る。
【０２５１】
本出願のこの実施形態では、ダウンリンクデータ送信のために使用される送信方式は、事前に同意され（たとえば、プロトコルによって定義され）、ネットワークデバイスと端末デバイスとの中に構成され得るか、または端末デバイスによって測定され、フィードバックされたＣＳＩに基づいてネットワークデバイスによって決定され得る。
【０２５２】
本出願のこの実施形態では、説明を容易にするために、ＣＳＩフィードバックが基づく送信方式が、ダウンリンクデータ送信のために使用される送信方式と同じであり、両方とも、プリコーダ循環であると仮定することを理解されたい。ただし、これは、本出願にいかなる限定も構成せず、ＣＳＩフィードバックが基づく送信方式は、ダウンリンクデータ送信のために使用される送信方式と同じであることも、それとは異なることもある。これは、本出願では限定されない。
【０２５３】
任意選択で、方法２００は、ステップ２８０、端末デバイスは、プリコーダ循環の粒度の指示情報を送る、をさらに含む。
【０２５４】
ダウンリンクデータ送信のために使用される送信方式を学んだ後に、端末デバイスは、ネットワークデバイスにプリコーダ循環の粒度の指示情報をさらにフィードバックし得る。詳細には、端末デバイスは、複数の可能なプリコーダ循環の粒度を使用することによって測定を実行し得、ネットワークデバイスにメトリック基準で最適なプリコーダ循環の粒度をフィードバックし得る。ネットワークデバイスは、最適なプリコーダ循環の粒度に基づいてプリコーダ循環を実行し、それによって、ダイバーシティ利得を取得するのをさらに助け、データ送信の信頼性をさらに改善する。
【０２５５】
メトリック基準は、限定はしないが、信号対干渉雑音比（signal-to-interference-plus-noise ratio、ＳＩＮＲ）の最大化、シャノン容量の最大化、またはＰＭＩに対応する量子化された等価なチャネル行列と測定された等価なチャネル行列との間の平均２乗誤差（mean square error、ＭＳＥ）の最小化を含み得る。簡潔のために、同じまたは同様の場合の説明を以下では省略する。
【０２５６】
さらに、端末デバイスは、プリコーダ循環の粒度の少なくとも１つの候補値からメトリック基準で最適なプリコーダ循環の粒度を選択し得る。プリコーダ循環の粒度の少なくとも１つの候補値は、あらかじめ決定され得る（たとえば、プロトコルによって定義され得る）か、またはネットワークデバイスによって決定され、シグナリングを使用することによって端末デバイスに通知され得る。
【０２５７】
ネットワークデバイスが、シグナリングを使用することによって端末デバイスに通知するとき、任意選択で、方法２００は、ステップ２９０、ネットワークデバイスは、プリコーダ循環の粒度の少なくとも１つの候補値を送る、をさらに含む。
【０２５８】
ネットワークデバイスは、端末デバイスにプリコーダ循環の粒度の候補値を事前に送り得、端末デバイスは、少なくとも１つの候補値に基づいて別々に測定を実行して、メトリック基準において最適なプリコーダ循環の粒度を決定し、ネットワークデバイスに最適なプリコーダ循環の粒度をフィードバックし得る。
【０２５９】
したがって、端末デバイスは、比較的小さい範囲で最適なプリコーダ循環の粒度を選択し得、したがって、端末デバイスの測定の複雑性を低減することが可能である。
【０２６０】
したがって、本出願のこの実施形態によれば、端末デバイスは、複数のターゲットプリコーディング行列を決定するために使用される指示情報をフィードバックし、したがって、ネットワークデバイスは、フィードバックに基づいて、プリコーダ循環のために使用される複数のターゲットプリコーディング行列を決定して、送信方式の要件を満たすことが可能である。このようにして、より高いダイバーシティ利得が取得されることが可能であり、それによって、データ送信の信頼性を改善するのに役立ち、通信システムのロバストネスを改善するのに役立つ。
【０２６１】
図５は、デバイス対話の観点からの本出願の別の実施形態による、データ送信の方法３００の概略フローチャートである。詳細には、図５に、アップリンクデータ送信のシナリオを示す。図５に示すように、図５に示す方法３００は、ステップ３１０からステップ３５０を含み得る。
【０２６２】
ステップ３１０において、端末デバイスは、チャネル測定のために使用される少なくとも１つの基準信号を送る。
【０２６３】
相応して、ステップ３１０において、ネットワークデバイスは、チャネル測定のために使用される少なくとも１つの基準信号を受信する。
【０２６４】
詳細には、少なくとも１つの基準信号は、同じ基準信号リソース上で搬送される基準信号であり得る。１つの基準信号リソースが複数の基準信号を搬送するとき、基準信号リソース上で搬送される複数の基準信号のリソース構成方式は、ＴＤＭであり得るか、またはＦＤＭであり得るか、またはＣＤＭであり得る。
【０２６５】
限定ではなく一例として、アップリンクデータ送信では、基準信号は、たとえば、ＳＲＳであり得、基準信号リソースは、たとえば、ＳＲＳリソース（SRS resource）であり得る。
【０２６６】
ステップ３１０の特定の処理は、方法２００中のステップ２１０の特定の処理と同様であることを理解されたい。簡潔のために、詳細をここで再び説明しない。
【０２６７】
ステップ３２０において、ネットワークデバイスは、少なくとも１つの基準信号とＣＳＩ測定が基づく送信方式とに基づいて第６の指示情報の複数の部分を送り、ここで、第６の指示情報の複数の部分は、ｘ個のターゲットプリコーディング行列を示すために使用される。
【０２６８】
限定ではなく一例として、ＣＳＩ測定が基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【０２６９】
ＣＳＩ測定が基づく送信方式は、送信方式の想定として理解され得、ネットワークデバイスは、想定された送信方式に基づいてＣＳＩの測定と指示とを実行することを理解されたい。
【０２７０】
ｘは、示される必要があるターゲットプリコーダ循環の数量である。ネットワークデバイスは、現在のチャネル状態に基づいて、循環を実行するのに何個のプリコーディング行列が必要とされるのかを決定し、すなわち、示される必要があるターゲットプリコーディング行列の数量ｘを決定し得る。したがって、ネットワークデバイスは、ターゲットプリコーダ循環の数量ｘに基づいて、ｘ個のターゲットプリコーディング行列を直接決定し得る。
【０２７１】
本出願のこの実施形態では、ＬＴＥでのダウンリンクチャネル測定およびフィードバック方法はまた、特定のアップリンクチャネル測定および指示方法として使用されることが可能であり、プリコーディング行列は、ＰＭＩを使用することによって示される。たとえば、プリコードされていない基準信号の場合、３つのコードブックインデックスが、１つのプリコーディング行列を一緒に示すために使用され、プリコードされた基準信号の場合、ＰＭＩによって示されるポートは、プリコーディング行列を決定するために使用され得る。
【０２７２】
ステップ３２０の特定の処理は、方法２００中のステップ２２０の特定の処理と同じであることを理解されたい。簡潔のために、詳細をここで再び説明しない。
【０２７３】
相応して、端末デバイスは、ステップ３２０において第６の指示情報の複数の部分を受信し、ステップ３３０において、端末デバイスは、第６の指示情報の複数の部分に基づいてｘ個のターゲットプリコーディング行列を決定する。
【０２７４】
本出願のこの実施形態では、基準信号は、プリコードされていない基準信号またはプリコードされた基準信号であり得る。２つのタイプの基準信号の指示情報（すなわち、第６の指示情報）を使用することによってターゲットプリコーディング行列を決定するための方法は異なる。
【０２７５】
任意選択で、ｙ＝ｘであるとき、プリコーダ循環のために使用されるｙ個のプリコーディング行列の各々は、ｘ個のターゲットプリコーディング行列のうちの１つを決定するために使用され、ｙ個のプリコーディング行列は、ｘ個のターゲットプリコーディング行列と１対１で対応する。
【０２７６】
任意選択で、ｙ＞ｘであるとき、方法３００は、
ネットワークデバイスによって、第７の指示情報を送るステップであって、第７の指示情報は、プリコーダ循環のために使用されるｙ個のプリコーディング行列中のｘ個のプリコーディング行列を示すために使用され、プリコーダ循環のために使用されるｘ個のプリコーディング行列の各々は、ｘ個のターゲットプリコーディング行列のうちの１つを決定するために使用され、プリコーダ循環のために使用されるｘ個のプリコーディング行列は、ｘ個のターゲットプリコーディング行列と１対１で対応する、ステップをさらに含む。
【０２７７】
第１の指示情報を使用することによってｘ個のターゲットプリコーディング行列を決定するための特定の方法は、場合１および場合２に関して上記の方法２００で詳細に説明され、この実施形態では、第６の指示情報および第７の指示情報と第１の指示情報および第２の指示情報とは、アップリンクとダウンリンクとの間を区別するのを容易にするために指名される指示情報であり、同じ機能を有することを理解されたい。したがって、第６の指示情報の複数の部分を受信すると、端末デバイスは、第６の指示情報の複数の部分に基づいてｘ個のターゲットプリコーディング行列を決定し得るか、または第６の指示情報と第７の指示情報とを受信すると、端末デバイスは、第６の指示情報と第７の指示情報とに基づいてｘ個のターゲットプリコーディング行列を決定し得る。
【０２７８】
ステップ３３０において第６の指示情報の複数の部分に基づいて端末デバイスによってｘ個のターゲットプリコーディング行列を決定するための特定の方法は、間接的にｘ個のターゲットプリコーディング行列を示すために方法２００中のステップ２３０において第１の指示情報の複数の部分に基づいてネットワークデバイスによってｘ個のターゲットプリコーディング行列を決定するための特定の方法と同じであり、ステップ３３０において第６の指示情報と第７の指示情報とに基づいて端末デバイスによってｘ個のターゲットプリコーディング行列を決定するための特定の方法は、方法２００中のステップ２３０において第６の指示情報と第７の指示情報とに基づいてネットワークデバイスによってｘ個のターゲットプリコーディング行列を決定するための特定の方法と同じであることを理解されたい。簡潔のために、詳細をここで再び説明しない。
【０２７９】
本出願のこの実施形態では、アップリンクデータ送信のために使用される送信方式は、事前に同意され（たとえば、プロトコルによって定義され）、ネットワークデバイスと端末デバイスとの中に構成され得るか、またはネットワークデバイスによって決定され、シグナリングを使用することによって端末デバイスに通知され得る。
【０２８０】
ネットワークデバイスが、送信方式を決定するとき、任意選択で、方法３００は、ステップ３４０、ネットワークデバイスは、送信方式の指示情報に使用されたアップリンクデータ送信を送る、をさらに含む。
【０２８１】
したがって、端末デバイスは、プリコーダ循環の送信方式に基づく受信された第６の指示情報の複数の部分に基づいてｘ個のプリコーディング行列を決定することが可能である。
【０２８２】
ネットワークデバイスによるＣＳＩ測定が基づく送信方式は、アップリンクデータ送信のために使用される送信方式と同じであることも、それとは異なることもあることが理解され得る。たとえば、ネットワークデバイスは、複数の送信方式に基づいて測定を実行し、データ送信のためのメトリック基準に基づいて最適な送信方式を選択し得る。これは、本出願では限定されない。
【０２８３】
アップリンクデータ送信のために使用される送信方式がプリコーダ循環であると仮定する。任意選択で、本方法は、ステップ３５０、端末デバイスは、ｘ個のターゲットプリコーディング行列に基づいて送られるべきデータに対してプリコーダ循環を実行し、プリコーダ循環を受けたデータを送る、をさらに含む。
【０２８４】
ステップ３５０の特定の処理は、方法２００中のステップ２７０の特定の処理と同じであることを理解されたい。簡潔のために、詳細をここで再び説明しない。
【０２８５】
任意選択で、方法３００は、ステップ３６０、ネットワークデバイスは、プリコーダ循環の粒度の指示情報を送る、をさらに含む。
【０２８６】
詳細には、ネットワークデバイスは、測定を通して、メトリック基準で最適なプリコーダ循環の粒度を決定し、指示情報を使用することによってプリコーダ循環の粒度について端末デバイスに通知し得る。プリコーダ循環の粒度を学んだ後に、端末デバイスは、プリコーダ循環の粒度とステップ３３０における決定を通して取得されたｘ個のターゲットプリコーディング行列に基づいて、送られるべきデータに対してプリコーダ循環を実行し得る。
【０２８７】
したがって、本出願のこの実施形態では、ネットワークデバイスは、複数のターゲットプリコーディング行列を決定するための指示情報を送り、したがって、端末デバイスは、指示情報に基づいて、プリコーダ循環のために使用される複数のターゲットプリコーディング行列を決定して、プリコーダ循環の送信方式の要件を満たすことが可能である。このようにして、より高いダイバーシティ利得が取得されることが可能であり、それによって、データ送信の信頼性を改善するのに役立ち、通信システムのロバストネスを改善するのに役立つ。
【０２８８】
図６は、デバイス対話の観点からの本出願のさらに別の実施形態による、データ送信の方法４００の概略フローチャートである。詳細には、図６に、ダウンリンクデータ送信のシナリオを示す。図６に示すように、図６に示す方法４００は、ステップ４１０からステップ４９０を含み得る。
【０２８９】
ステップ４１０において、ネットワークデバイスは、チャネル測定のために使用される複数の基準信号を送る。
【０２９０】
相応して、ステップ４１０において、端末デバイスは、チャネル測定のために使用される複数の基準信号を受信する。
【０２９１】
詳細には、複数の基準信号は、同じ基準信号リソース上で搬送される基準信号であり得る。ステップ４１０の特定の処理は、方法２００中のステップ２１０の特定の処理と同じである。簡潔のために、詳細をここで再び説明しない。
【０２９２】
本出願のこの実施形態では、ネットワークデバイスによって送られた基準信号はプリコードされていない基準信号であり得、端末デバイスは、ネットワークデバイスによって送られた複数のプリコードされていない基準信号とＣＳＩフィードバックが基づく送信方式とに基づいてチャネル測定を実行し得る。チャネル測定は、送信アンテナと受信アンテナとの間での完全チャネルの測定であり得る。端末デバイスは、ステップ４２０において、チャネル測定に基づいてｘ個のターゲットプリコーディング行列を決定し、ネットワークデバイスにｘ個のターゲットプリコーディング行列の指示情報をフィードバックする。
【０２９３】
ｘは、フィードバックされる必要があるターゲットプリコーディング行列の数量であり、ｘは、１よりも大きい整数である。
【０２９４】
限定ではなく一例として、ＣＳＩフィードバックが基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【０２９５】
ＣＳＩフィードバックが基づく送信方式は、送信方式の想定として理解され得、端末デバイスは、想定された送信方式に基づいてＣＳＩの測定とフィードバックとを実行することを理解されたい。
【０２９６】
詳細には、方法２００で説明したように、プリコードされていない基準信号に基づいてフィードバックされるＰＭＩは、２つのＰＭＩ値を含み得、ここで、１つのＰＭＩ値ｉ1は、コードブック中のインデックスのペア｛ｉ1,1，ｉ1,2｝に対応し得、１つのプリコーディング行列セットは、インデックスのペア｛ｉ1,1，ｉ1,2｝を使用することによって決定され得、プリコーディング行列セットは、少なくとも１つのプリコーディング行列を含み得る。
【０２９７】
本出願のこの実施形態では、ｘ個のターゲットプリコーディング行列を示すために使用される指示情報（すなわち、第３の指示情報）は、上記のＰＭＩ中でＰＭＩ値ｉ1であり得る。ＰＭＩ値ｉ1は、（区別および説明を容易にするために、第１のプリコーディング行列セットとして示される）１つプリコーディング行列セットを示すために使用され得、第１のプリコーディング行列セットは、ｚ個のプリコーディング行列を含み得、ここで、ｚ＞１であり、ｙは整数である。
【０２９８】
第１のプリコーディング行列セット中に含まれるプリコーディング行列の数量が、ターゲットプリコーディング行列の数量ｘに等しい、すなわち、ｚ＝ｘであるとき、端末デバイスは、第３の指示情報のみをフィードバックして、第３の指示情報を使用することによって第１のプリコーディング行列セットを示し得る。
【０２９９】
第１のプリコーディング行列セット中に含まれるプリコーディング行列の数量が、ターゲットプリコーディング行列の数量ｘよりも大きい、すなわち、ｚ＞ｘであるとき、端末デバイスは、さらに、第３の指示情報によって示された第１のプリコーディング行列セットからｘ個のターゲットプリコーディング行列を選択し、第４の指示情報を使用することによってネットワークデバイスに通知し得る。
【０３００】
可能な実装では、コードブック中の各プリコーディング行列セット中に含まれる少なくとも１つのプリコーディング行列は、複数のグループに分割され得、各グループは、少なくとも１つのプリコーディング行列を含む。本出願のこの実施形態では、各グループは、ｘ個のプリコーディング行列を含み得る。複数のグループと複数のインデックスとの間での１対１の対応は、コードブック中にあらかじめ定義されている。端末デバイスは、ネットワークデバイスに、ｘ個の選択されたプリコーディング行列が属するグループのインデックスを送り得、すなわち、第４の指示情報は、プリコーディング行列が属するグループのインデックスであり得る。
【０３０１】
たとえば、第１のプリコーディング行列は、（たとえば、Ｐ1、Ｐ2、Ｐ3、およびＰ4として示される）４つのプリコーディング行列を含み、４つのプリコーディング行列は、２つのグループに分割され、各グループは、２つのプリコーディング行列を含み、各グループ中に含まれるプリコーディング行列と各グループのインデックスとの間での１対１の対応を以下の表に示す。
【０３０２】
【表１】
2020526093.tif 000010
【０３０３】
言い換えれば、端末デバイスは、第３の指示情報を使用することによってプリコーディング行列とインデックスとの間の対応のマッピングテーブルを示し、次いで、第４の指示情報を使用することによってマッピングテーブル中のプリコーディング行列のグループをさらに示す。
【０３０４】
別の可能な実装では、第４の指示情報は、ビットマップであり得る。ビットマップ中の複数のビットは、プリコーディング行列セット中に含まれる複数のプリコーディング行列と１対１で対応し、各ビットの値は、対応するプリコーディング行列が選択されるのかどうかを示すために使用される。
【０３０５】
たとえば、第１のプリコーディング行列セットが（たとえば、Ｐ1、Ｐ2、Ｐ3、およびＰ4として示される）４つのプリコーディング行列を含む場合、ビットマップは、４つのプリコーディング行列と１対１で対応する４つのビットを含む。ビットマップ中のビットは、「０」に設定され、対応するプリコーディング行列が選択されないことを示し、ビットマップ中のビットは、「１」に設定され、対応するプリコーディング行列が選択されることを示す。たとえば、図４に示すビットマップは、プリコーディング行列Ｐ2およびＰ4が選択されたことを示すことが理解され得る。
【０３０６】
上記の説明に基づいて、端末デバイスは、ネットワークデバイスに、第３の指示情報と第４の指示情報とを使用することによってｘ個のターゲットプリコーディング行列を示し得る。同じ方法に基づいて、ステップ４３０において、ネットワークデバイスは、第３の指示情報と第４の指示情報とに基づいてｘ個のターゲットプリコーディング行列を決定する。
【０３０７】
本出願のこの実施形態では、ＣＳＩフィードバックが基づく送信方式は、事前に同意され（たとえば、プロトコルによって定義され）、ネットワークデバイスと端末デバイスとの中に構成され得るか、またはネットワークデバイスによって決定され、端末デバイスに通知され得る。
【０３０８】
ＣＳＩフィードバックが基づく送信方式をネットワークデバイスが決定するとき、ネットワークデバイスは、シグナリングを使用することによって、ＣＳＩフィードバックが基づく送信方式について端末デバイスに明示的に示し得る。任意選択で、本方法は、ステップ４４０、ネットワークデバイスは、ＣＳＩフィードバックが基づく送信方式の指示情報を送る、をさらに含む。
【０３０９】
端末デバイスは、指示情報によって示された送信方式に基づいて測定とフィードバックとを実行し得る。したがって、ＣＳＩフィードバックが基づく送信方式の指示情報は、フィードバックタイプ（feedback type）の指示情報と呼ばれることもある。
【０３１０】
限定ではなく一例として、ＣＳＩフィードバックが基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【０３１１】
ＣＳＩフィードバックが基づく送信方式は、ダウンリンクデータ送信のために使用される送信方式と同じであることも、それとは異なることもあることが理解され得る。これは、本出願では限定されない。
【０３１２】
本出願のこの実施形態では、端末デバイスは、ＣＳＩフィードバックが基づく送信方式に基づいて複数のターゲットプリコーディング行列を測定し、決定することが可能である。ターゲットプリコーディング行列の数量ｘは、事前に同意される（たとえば、プロトコルによって定義される）か、または現在のチャネル状態に基づいてネットワークデバイスによって決定され、シグナリングを使用することによって端末デバイスに通知され得る。
【０３１３】
ネットワークデバイスが、ターゲットプリコーディング行列の数量ｘを決定するとき、任意選択で、方法４００は、ステップ４５０、ネットワークデバイスは、第５の指示情報を送り、ここで、第５の指示情報は、フィードバックされる必要があるターゲットプリコーディング行列の数量ｘを示す、をさらに含む。
【０３１４】
任意選択で、第５の指示情報は、ＲＲＣメッセージ、ＭＡＣ−ＣＥ、またはＤＣＩのシグナリングのうちのいずれか１つ中で搬送され得る。
【０３１５】
任意選択で、方法４００は、ステップ４６０、ネットワークデバイスは、ターゲットプリコーディング行列の数量ｃの最大値の指示情報を送る、をさらに含む。
【０３１６】
ネットワークデバイスは、端末デバイスによってフィードバックされたターゲットプリコーディング行列の数量の最大値をさらに制限して、端末デバイスのフィードバックによって生じるシグナリングオーバーヘッドを制限し得る。
【０３１７】
任意選択で、ターゲットプリコーディング数量の最大値ｃの指示情報は、ＲＲＣメッセージ、ＭＡＣ−ＣＥ、またはＤＣＩのシグナリングのうちのいずれか１つ中で搬送され得る。
【０３１８】
指示情報を搬送するための上記に記載したシグナリングは、説明のために使用される一例にすぎず、本出願にいかなる限定も構成しないことを理解されたい。
【０３１９】
任意選択で、方法４００は、ステップ４７０、ネットワークデバイスは、ステップ４３０において決定されたｘ個のターゲットプリコーディング行列に基づいて送られるべきプリコードされたデータに対してプリコーダ循環を実行し、プリコーダ循環を受けたデータを送る、をさらに含む。
【０３２０】
詳細には、ネットワークデバイスはステップ４３０において決定されたｘ個のターゲットプリコーディング行列に基づいて送られるべきデータに対してプリコーディングを直接実行するか、またはステップ４３０において決定されたｘ個のターゲットプリコーディング行列に基づいて数学的変換もしくは数学的計算を実行して、プリコーディング演算のために使用される複数のプリコーディング行列を取得し、複数の取得されたプリコーディング行列に基づいて送られるべきデータに対してプリコーダ循環を実行し得る。データに対してプリコーダ循環を実行した後に、ネットワークデバイスは、プリコーダ循環を受けたデータを取得し、送る。
【０３２１】
端末デバイスによってフィードバックされたｘ個のターゲットプリコーディング行列は、データに対してプリコーダ循環を実行するために使用されるとは限らないことを理解されたい。たとえば、第３の指示情報と第４の指示情報とに基づいてｘ個のターゲットプリコーディング行列を決定した後に、ネットワークデバイスは、ｘ個のターゲットプリコーディング行列から、データに対してプリコーディングを実行するために使用されるプリコーディング行列をさらに選択し得る（たとえば、ランダムに選択し得る）。本出願は、ｘ個のターゲットプリコーディング行列の機能にいかなる制限も課さない。
【０３２２】
本出願のこの実施形態では、ダウンリンクデータ送信のために使用される送信方式は、事前に同意され（たとえば、プロトコルによって定義され）、ネットワークデバイスと端末デバイスとの中に構成され得るか、または端末デバイスによって測定され、フィードバックされたＣＳＩに基づいてネットワークデバイスによって決定され得る。
【０３２３】
本出願のこの実施形態では、説明を容易にするために、ＣＳＩフィードバックが基づく送信方式が、ダウンリンクデータ送信のために使用される送信方式と同じであり、両方とも、プリコーダ循環であると仮定することを理解されたい。ただし、これは、本出願にいかなる限定も構成せず、ＣＳＩフィードバックが基づく送信方式は、ダウンリンクデータ送信のために使用される送信方式と同じであることも、それとは異なることもある。これは、本出願では限定されない。
【０３２４】
任意選択で、方法４００は、ステップ４８０、端末デバイスは、プリコーダ循環の粒度の指示情報を送る、をさらに含む。
【０３２５】
ダウンリンクデータ送信のために使用される送信方式を学んだ後に、端末デバイスは、ネットワークデバイスにプリコーダ循環の粒度の指示情報をさらにフィードバックし得る。詳細には、端末デバイスは、複数の可能なプリコーダ循環の粒度を使用することによって測定を実行し得、ネットワークデバイスにメトリック基準で最適なプリコーダ循環の粒度をフィードバックし得る。ネットワークデバイスは、最適なプリコーダ循環の粒度に基づいてプリコーダ循環を実行し、それによって、ダイバーシティ利得を取得するのをさらに助け、データ送信の信頼性をさらに改善する。
【０３２６】
さらに、端末デバイスは、プリコーダ循環の粒度の少なくとも１つの候補値からメトリック基準で最適なプリコーダ循環の粒度を選択し得る。プリコーダ循環の粒度の少なくとも１つの候補値は、あらかじめ決定され得る（たとえば、プロトコルによって定義され）か、またはネットワークデバイスによって決定され、シグナリングを使用することによって端末デバイスに通知され得る。
【０３２７】
ネットワークデバイスが、シグナリングを使用することによって端末デバイスに通知するとき、任意選択で、方法４００は、ステップ４９０、ネットワークデバイスは、プリコーダ循環の粒度の少なくとも１つの候補値を送る、をさらに含む。
【０３２８】
ネットワークデバイスは、端末デバイスにプリコーダ循環の粒度の候補値を事前に送り得、端末デバイスは、少なくとも１つの候補値に基づいて別々に測定を実行して、メトリック基準において最適なプリコーダ循環の粒度を決定し、ステップ４６０において、ネットワークデバイスに最適なプリコーダ循環の粒度をフィードバックし得る。
【０３２９】
したがって、端末デバイスは、比較的小さい範囲で最適なプリコーダ循環の粒度を選択し得、したがって、端末デバイスの測定の複雑性を低減することが可能である。
【０３３０】
したがって、本出願のこの実施形態によれば、端末デバイスは、複数のターゲットプリコーディング行列を決定するために使用される指示情報をフィードバックし、したがって、ネットワークデバイスは、フィードバックに基づいて、プリコーダ循環のために使用される複数のターゲットプリコーディング行列を決定して、プリコーダ循環の送信方式の要件を満たすことが可能である。このようにして、より高いダイバーシティ利得が取得されることが可能であり、それによって、データ送信の信頼性を改善するのに役立ち、通信システムのロバストネスを改善するのに役立つ。
【０３３１】
図７は、デバイス対話の観点からの本出願のまた別の実施形態による、データ送信の方法５００の概略フローチャートである。詳細には、図７に、アップリンクデータ送信のシナリオを示す。図７に示すように、図７に示す方法５００は、ステップ５１０からステップ５５０を含み得る。
【０３３２】
ステップ５１０において、端末デバイスは、チャネル測定のために使用される複数の基準信号を送る。
【０３３３】
相応して、ステップ５１０において、ネットワークデバイスは、チャネル測定のために使用される複数の基準信号を受信する。
【０３３４】
ステップ５１０の特定の処理は、方法２００中のステップ２１０の特定の処理と同様であることを理解されたい。簡潔のために、詳細をここで再び説明しない。
【０３３５】
ステップ５２０において、ネットワークデバイスは、複数の基準信号とＣＳＩ測定が基づく送信方式とに基づいて第８の指示情報と第９の指示情報とを送り、ここで、第８の指示情報と第９の指示情報とは、ｘ個のプリコーディング行列を決定するために使用される。
【０３３６】
限定ではなく一例として、ＣＳＩ測定が基づく送信方式は、プリコーダ循環、プリコーダ循環ベースの時空間送信ダイバーシティ、プリコーダ循環ベースの空間周波数送信ダイバーシティ、プリコーダ循環ベースの巡回遅延ダイバーシティ、または別のプリコーダ循環ベースの送信方式を含む。
【０３３７】
ＣＳＩ測定が基づく送信方式は、送信方式の想定として理解され得、ネットワークデバイスは、想定された送信方式に基づいてＣＳＩの測定と指示とを実行することを理解されたい。
【０３３８】
本出願のこの実施形態では、ＬＴＥでのダウンリンクチャネル測定およびフィードバック方法はまた、特定のアップリンクチャネル測定および指示方法として使用されることが可能である。たとえば、プリコーディング行列セットが、最初に、指示情報の一部分（たとえば、インデックス）を使用することによって示され、次いで、プリコーディング行列セット中のプリコーディング行列が、指示情報の一部分（たとえば、インデックスまたはビットマップ）を使用することによって示される。
【０３３９】
ステップ５２０の特定の処理は、方法４００中のステップ４２０の特定の処理と同様であることを理解されたい。簡潔のために、詳細をここで再び説明しない。方法４００における第８の指示情報および第９の指示情報と第３の指示情報および第４の指示情報とは、アップリンクとダウンリンクとの間を区別するために指名され、同じ機能を有する。したがって、第８の指示情報と第９の指示情報とを受信すると、ネットワークデバイスは、ステップ５３０において第８の指示情報と第９の指示情報とに基づいてｘ個のプリコーディング行列を決定し得る。
【０３４０】
ステップ５３０において第８の指示情報と第９の指示情報とに基づいて端末デバイスによってｘ個のプリコーディング行列を決定するための特定の方法は、方法４００中のステップ４３０において第３の指示情報と第４の指示情報とに基づいてネットワークデバイスによってｘ個のプリコーディング行列を決定するための特定の方法と同じであることを理解されたい。簡潔のために、詳細をここで再び説明しない。
【０３４１】
任意選択で、方法５００は、ステップ５４０、ネットワークデバイスは、アップリンクデータ送信に使用するための送信方式の指示情報を送る、をさらに含む。
【０３４２】
任意選択で、方法５００は、ステップ５５０、端末デバイスは、ｘ個のプリコーディング行列に基づいて送られるべきデータに対してプリコーダ循環を実行し、プリコーダ循環を受けたデータを送る、をさらに含む。
【０３４３】
ネットワークデバイスによって示されたｘ個のターゲットプリコーディング行列がデータに対してプリコーダ循環を実行するために使用されるとは限らないことを理解されたい。たとえば、第８の指示情報と第９の指示情報とに基づいてｘ個のターゲットプリコーディング行列を決定した後に、端末デバイスは、ｘ個のターゲットプリコーディング行列から、データに対してプリコーディングを実行するために使用される１つのターゲットプリコーディング行列をさらに選択し得る（たとえば、ランダムに選択し得る）。本出願は、ｘ個のターゲットプリコーディング行列の機能にいかなる制限も課さない。
【０３４４】
任意選択で、方法５００は、ステップ５６０、ネットワークデバイスは、プリコーダ循環の粒度の指示情報を送る、をさらに含む。
【０３４５】
ステップ５４０からステップ５６０の特定の処理は、方法３００中のステップ３４０からステップ３６０の特定の処理と同様であることを理解されたい。簡潔のために、詳細をここで再び説明しない。
【０３４６】
したがって、本出願のこの実施形態では、ネットワークデバイスは、複数のターゲットプリコーディング行列を決定するための指示情報を送り、したがって、端末デバイスは、指示情報に基づいて、プリコーダ循環のために使用される複数のターゲットプリコーディング行列を決定して、プリコーダ循環の送信方式の要件を満たすことが可能である。このようにして、より高いダイバーシティ利得が取得されることが可能であり、それによって、データ送信の信頼性を改善するのに役立ち、通信システムのロバストネスを改善するのに役立つ。
【０３４７】
本出願の様々な実施形態では、上記の処理におけるシーケンス番号は、実行シーケンスを示さず、各処理の実行シーケンスは、それの機能および内部論理に基づいて決定され、これは、本出願の実施形態の実装処理にいかなる限定も構成しないことを理解されたい。
【０３４８】
上記に、図３から図７を参照しながら本出願の実施形態におけるデータ送信の方法について詳細に説明した。以下に、図８から図１１を参照しながら本出願の実施形態におけるデータ送信の装置について詳細に説明する。
【０３４９】
上記の方法に基づき、図８は、本出願の一実施形態による、装置１０の概略ブロック図である。図８に示すように、装置１０は、端末デバイスであり得るか、またはチップもしくは回路、たとえば、端末デバイス中に配設され得るチップまたは回路であり得る。端末デバイスは、上記の方法における端末デバイスに対応し得る。
【０３５０】
詳細には、装置１０は、ネットワークデバイスと装置１０とを含む通信システム中に構成され得、ネットワークデバイスと装置１０とは、複数のプリコーディング行列を事前記憶する。装置１０は、受信モジュール１１と送信モジュール１２とを含み得る。
【０３５１】
受信モジュール１１は、チャネル測定のために使用される複数の基準信号を受信するように構成される。
【０３５２】
送信モジュール１２は、複数の基準信号とＣＳＩフィードバックが基づく送信方式とに基づいて第１の指示情報の複数の部分を送ることであって、第１の指示情報の複数の部分は、ｘ個のターゲットプリコーディング行列を示すために使用され、第１の指示情報の複数の部分のうちの少なくとも１つは、１つのターゲットプリコーディング行列を示すために使用され、ｘ個のターゲットプリコーディング行列は、複数のプリコーディング行列に基づいて決定される、送ることを行うように構成される。
【０３５３】
ｘは、フィードバックされる必要があるターゲットプリコーディング行列の数量であり、ｘは、１よりも大きい整数である。
【０３５４】
任意選択で、少なくとも１つの基準信号の各々は、プリコーダ循環を受けた基準信号であり、第１の指示情報の複数の部分の各々は、少なくとも１つの基準信号のうちの１つに対応し、プリコーダ循環の粒度にあるプリコーディング行列を示すために使用され、プリコーダ循環の回数の数量は、１以上であり、プリコーダ循環のために使用されるプリコーディング行列の数量は、ｙであり、ｙは、１よりも大きい整数である。
【０３５５】
任意選択で、ｙ＝ｘであるとき、プリコーダ循環のために使用されるｙ個のプリコーディング行列の各々は、ｘ個のターゲットプリコーディング行列のうちの１つを決定するために使用され、ｙ個のプリコーディング行列は、ｘ個のターゲットプリコーディング行列と１対１で対応する。
【０３５６】
任意選択で、ｙ＞ｘであるとき、送信モジュール１２は、第２の指示情報を送ることであって、第２の指示情報は、プリコーダ循環のために使用されるｙ個のプリコーディング行列中のｘ個のプリコーディング行列を示し、プリコーダ循環のために使用されるｘ個のプリコーディング行列の各々は、ｘ個のターゲットプリコーディング行列のうちの１つを決定するために使用され、プリコーダ循環のために使用されるｘ個のプリコーディング行列は、ｘ個のターゲットプリコーディング行列と１対１で対応するようにさらに構成される。
【０３５７】
任意選択で、少なくとも１つの基準信号の各々は、プリコードされていない基準信号であり、第１の指示情報の複数の部分の各々は、３つのコードブックインデックスを含み、第１の指示情報の各部分中の３つのコードブックインデックスは、１つのプリコーディング行列を一緒に示すために使用され、第１の指示情報の複数の部分は、ｘ個のターゲットプリコーディング行列と１対１で対応する。
【０３５８】
任意選択で、送信モジュール１２は、プリコーダ循環の粒度の指示情報を送るようにさらに構成される。
【０３５９】
任意選択で、受信モジュール１１は、プリコーダ循環の粒度の少なくとも１つの候補値を受信するようにさらに構成される。
【０３６０】
任意選択で、受信モジュール１１は、第５の指示情報を受信することであって、第５の指示情報は、フィードバックされる必要があるターゲットプリコーディング行列の数量ｘを示すようにさらに構成される。
【０３６１】
任意選択で、フィードバックされる必要があるターゲットプリコーディング行列の数量ｘは、装置１０とネットワークデバイスとの中に事前構成される。
【０３６２】
装置１０は、本出願の実施形態において提供されるデータ送信の方法２００における端末デバイスに対応し得、装置１０は、図３中のデータ送信の方法２００における端末デバイスによって実行される方法を実行するためのモジュールを含み得ることを理解されたい。さらに、装置１０中のモジュールと上記の他の動作および／または機能とは、別個に、図３中のデータ送信の方法２００の対応する処理を実装するためのものである。詳細には、受信モジュール１１は、方法２００中のステップ２１０、ステップ２４０からステップ２６０、ステップ２７０、およびステップ２９０を実行するように構成され、送信モジュール１２は、方法２００中のステップ２２０およびステップ２８０を実行するように構成される。モジュールが上記の対応するステップを実行する特定の処理について、方法２００において詳細に説明した。簡潔のために、詳細をここで再び説明しない。
【０３６３】
代替として、装置１０は、ネットワークデバイスと装置１０とを含む通信システム中に構成され得、ネットワークデバイスと装置１０とは、複数のプリコーディング行列セットを事前記憶し、複数のプリコーディング行列セットの各々は、少なくとも１つのプリコーディング行列を含む。装置１０は、受信モジュール１１と、送信モジュール１２と、処理モジュールとを含み得る。
【０３６４】
送信モジュール１２は、チャネル測定のために使用される少なくとも１つの基準信号を送るように構成される。
【０３６５】
受信モジュール１１は、少なくとも１つの基準信号とＣＳＩ測定が基づく送信方式とに基づいてネットワークデバイスによって送られた第６の指示情報の複数の部分を受信することであって、第６の指示情報の複数の部分は、ｘ個のターゲットプリコーディング行列を示すために使用され、第６の指示情報の複数の部分のうちの少なくとも１つは、１つのターゲットプリコーディング行列を示すために使用され、ｘ個のターゲットプリコーディング行列は、複数のプリコーディング行列に基づいて決定されるように構成される。
【０３６６】
処理モジュール１３は、第６の指示情報の複数の部分に基づいてｘ個のターゲットプリコーディング行列を決定するように構成される。
【０３６７】
ｘは、示される必要があるターゲットプリコーディング行列の数量であり、ｘは、１よりも大きい整数である。
【０３６８】
任意選択で、少なくとも１つの基準信号の各々は、プリコーダ循環を受けた基準信号であり、第６の指示情報の複数の部分の各々は、少なくとも１つの基準信号のうちの１つに対応し、プリコーダ循環の粒度にあるプリコーディング行列を示すために使用され、プリコーダ循環の回数の数量は、１以上であり、プリコーダ循環のために使用されるプリコーディング行列の数量は、ｙであり、ｙは、１よりも大きい整数である。
【０３６９】
任意選択で、ｙ＝ｘであるとき、プリコーダ循環のために使用されるｙ個のプリコーディング行列の各々は、ｘ個のターゲットプリコーディング行列のうちの１つを決定するために使用され、ｙ個のプリコーディング行列は、ｘ個のターゲットプリコーディング行列と１対１で対応する。
【０３７０】
任意選択で、ｙ＞ｘであるとき、受信モジュール１１は、第７の指示情報を受信するようにさらに構成される。
【０３７１】
処理モジュール１３は、第７の指示情報に基づいて、プリコーダ循環のために使用されるｙ個のプリコーディング行列からｘ個のプリコーディング行列を決定するようにさらに構成される。
【０３７２】
処理モジュール１３は、第６の指示情報の複数の部分とプリコーダ循環のために使用されるｘ個のプリコーディング行列のすべてとに基づいてｘ個のターゲットプリコーディング行列のすべてを決定することであって、プリコーダ循環のために使用されるｘ個のプリコーディング行列は、ｘ個のターゲットプリコーディング行列と１対１で対応するように特に構成される。
【０３７３】
任意選択で、少なくとも１つの基準信号の各々は、プリコードされていない基準信号であり、第６の指示情報の複数の部分の各々は、３つのコードブックインデックスを含み、第６の指示情報の各部分中の３つのコードブックインデックスは、１つのプリコーディング行列を一緒に示すために使用され、第６の指示情報の複数の部分は、ｘ個のターゲットプリコーディング行列と１対１で対応する。
【０３７４】
任意選択で、受信モジュール１１は、プリコーダ循環の指示情報を受信するようにさらに構成される。
【０３７５】
任意選択で、示される必要があるターゲットプリコーディング行列の数量ｘは、ネットワークデバイスと装置１０との中に事前構成される。
【０３７６】
装置１０は、本出願の実施形態におけるデータ送信の方法３００における端末デバイスに対応し得、装置１０は、図５中のデータ送信の方法３００における端末デバイスによって実行される方法を実行するためのモジュールを含み得ることを理解されたい。さらに、装置１０中のモジュールと上記の他の動作および／または機能とは、別個に、図５中のデータ送信の方法３００の対応する処理を実装するためのものである。詳細には、送信モジュール１２は、方法３００中のステップ３１０およびステップ３４０からステップ３６０を実行するように構成され、受信モジュール１１は、方法３００中のステップ３２０を実行するように構成され、処理モジュール１３は、方法３００中のステップ３３０を実行するように構成される。モジュールが上記の対応するステップを実行する特定の処理について、方法３００において詳細に説明した。簡潔のために、詳細をここで再び説明しない。
【０３７７】
代替として、装置１０は、ネットワークデバイスと装置１０とを含む通信システム中に構成され得、ネットワークデバイスと装置１０とは、複数のプリコーディング行列セットを事前記憶し、複数のプリコーディング行列セットの各々は、少なくとも１つのプリコーディング行列を含む。装置１０は、受信モジュール１１と送信モジュール１２とを含み得る。
【０３７８】
受信モジュール１１は、チャネル測定のために使用される複数の基準信号を受信するように構成される。
【０３７９】
送信モジュール１２は、複数の基準信号とＣＳＩフィードバックが基づく送信方式とに基づいて第３の指示情報と第４の指示情報とを送ることであって、第３の指示情報は、複数のプリコーディング行列セット中の第１のプリコーディング行列セットを示すために使用され、第４の指示情報は、第１のプリコーディング行列セット中のｘ個のターゲットプリコーディング行列を示すために使用され、ｘは、フィードバックされる必要があるターゲットプリコーディング行列の数量であり、ｘは、１よりも大きい整数であるように構成される。
【０３８０】
任意選択で、複数の基準信号の各々は、プリコードされていない基準信号であり、第３の指示情報は、２つのコードブックインデックスを含み、第３の指示情報中の２つのコードブックインデックスは、第１のプリコーディング行列セットを一緒に示すために使用される。
【０３８１】
任意選択で、送信モジュール１２は、プリコーダ循環の粒度の指示情報を送るようにさらに構成される。
【０３８２】
任意選択で、受信モジュール１１は、第５の指示情報を受信することであって、第５の指示情報は、フィードバックされる必要があるターゲットプリコーディング行列の数量ｘを示すようにさらに構成される。
【０３８３】
任意選択で、フィードバックされる必要があるターゲットプリコーディング行列の数量ｘは、ネットワークデバイスと装置１０との中に事前構成される。装置１０は、本出願の実施形態におけるデータ送信の方法４００における端末デバイスに対応し得、装置１０は、図６中のデータ送信の方法４００における端末デバイスによって実行される方法を実行するためのモジュールを含み得ることを理解されたい。さらに、装置１０中のモジュールと上記の他の動作および／または機能とは、別個に、図６中のデータ送信の方法４００の対応する処理を実装するためのものである。詳細には、受信モジュール１１は、方法４００中のステップ４１０、ステップ４４０からステップ４７０、およびステップ４９０を実行するように構成され、送信モジュール１２は、方法４００中のステップ４２０およびステップ４８０を実行するように構成される。モジュールが上記の対応するステップを実行する特定の処理について、方法３００において詳細に説明した。簡潔のために、詳細をここで再び説明しない。
【０３８４】
代替として、装置１０は、ネットワークデバイスと装置１０とを含む通信システム中に構成され得、ネットワークデバイスと装置１０とは、複数のプリコーディング行列セットを事前記憶し、複数のプリコーディング行列セットの各々は、少なくとも１つのプリコーディング行列を含む。装置１０は、送信モジュール１２と、受信モジュール１１と、処理モジュール１３とを含み得る。
【０３８５】
送信モジュール１２は、チャネル測定のために使用される複数の基準信号を送るように構成される。
【０３８６】
受信モジュール１１は、複数の基準信号とＣＳＩ測定が基づく送信方式とに基づいてネットワークデバイスによって送られた第８の指示情報と第９の指示情報とを受信することであって、第８の指示情報は、複数のプリコーディング行列セット中の第１のプリコーディング行列セットを示すために使用され、第９の指示情報は、第１のプリコーディング行列セット中のｘ個のターゲットプリコーディング行列を示すために使用されるように構成される。
【０３８７】
処理モジュール１３は、第８の指示情報と第９の指示情報とに基づいてｘ個のターゲットプリコーディング行列を決定するように構成される。
【０３８８】
ｘは、示される必要があるターゲットプリコーディング行列の数量であり、ｘは、１よりも大きい整数である。
【０３８９】
任意選択で、複数の基準信号の各々は、プリコードされていない基準信号であり、第８の指示情報は、２つのコードブックインデックスを含み、第８の指示情報中の２つのコードブックインデックスは、第１のプリコーディング行列セットを一緒に示すために使用される。
【０３９０】
任意選択で、受信モジュール１１は、プリコーダ循環の粒度の指示情報を受信するようにさらに構成される。
【０３９１】
任意選択で、示される必要があるターゲットプリコーディング行列の数量ｘは、ネットワークデバイスと装置１０との中に構成される。
【０３９２】
装置１０は、本出願の実施形態におけるデータ送信の方法５００における端末デバイスに対応し得、装置１０は、図７中のデータ送信の方法５００における端末デバイスによって実行される方法を実行するためのモジュールを含み得ることを理解されたい。さらに、装置１０中のモジュールと上記の他の動作および／または機能とは、別個に、図７中のデータ送信の方法５００の対応する処理を実装するためのものである。詳細には、送信モジュール１２は、方法５００中のステップ５１０およびステップ５４０からステップ５６０を実行するように構成され、受信モジュール１１は、方法５００中のステップ５２０を実行するように構成され、処理モジュール１３は、方法５００中のステップ５３０を実行するように構成される。モジュールが上記の対応するステップを実行する特定の処理について、方法３００において詳細に説明した。簡潔のために、詳細をここで再び説明しない。
【０３９３】
図９は、本出願の一実施形態による、端末デバイスの概略構造図である。図９に示されているように、端末デバイスは、プロセッサ７０１とトランシーバ７０２とを含む。任意選択で、端末デバイスは、メモリ７０３をさらに含む。プロセッサ７０２と、トランシーバ７０２と、メモリ７０３とは、外部接続経路を使用することによって互いに通信して、制御信号および／またはデータ信号を転送する。メモリ７０３は、コンピュータプログラムを記憶するように構成される。プロセッサ７０１は、メモリ７０３からコンピュータプログラムを呼び出し、コンピュータプログラムを実行し、信号を受信および送信するようにトランシーバ７０２を制御するように構成される。
【０３９４】
プロセッサ７０１とメモリ７０３とは、処理装置に組み合わされ得る。プロセッサ７０１は、上記の機能を実装するためにメモリ７０３中に記憶されたプログラムコードを実行するように構成される。特定の実装中に、メモリ７０３はまた、プロセッサ７０１に統合されるか、またはプロセッサ７０１とは無関係であり得る。上記の端末デバイスは、無線信号を使用することによって、トランシーバ７０２によって出力されたアップリンクデータまたはアップリンク制御シグナリングを送るように構成されたアンテナ７０４をさらに含み得る。
【０３９５】
詳細には、端末デバイスは、本出願の実施形態において提供されるデータ送信の方法２００における端末デバイスに対応し得、端末デバイスは、図３中のデータ送信の方法２００における端末デバイスによって実行される方法を実行するためのモジュールを含み得る。さらに、端末デバイス中のモジュールと上記の他の動作および／または機能とは、別個に、図３中のデータ送信の方法２００の対応する処理を実装するためのものである。詳細には、メモリ７０３は、プログラムコードを記憶するように構成され、したがって、プログラムコードを実行するとき、プロセッサ７０１は、アンテナ７０４を使用することによって方法２００中のステップ２１０、ステップ２２０、およびステップ２４０からステップ２９０を実行するようにトランシーバ７０２を制御する。モジュールが上記の対応するステップを実行する特定の処理について、方法２００において詳細に説明した。簡潔のために、詳細をここで再び説明しない。
【０３９６】
代替として、端末デバイスは、本出願の実施形態において提供されるデータ送信の方法３００における端末デバイスに対応し得、端末デバイスは、図５中のデータ送信の方法３００における端末デバイスによって実行される方法を実行するためのモジュールを含み得る。さらに、端末デバイス中のモジュールと上記の他の動作および／または機能とは、別個に、図５中のデータ送信の方法３００の対応する処理を実装するためのものである。詳細には、メモリ７０３は、プログラムコードを記憶するように構成され、したがって、プログラムコードを実行するとき、プロセッサ７０１は、アンテナ７０４を使用することによって方法３００中のステップ３１０、ステップ３２０、およびステップ３４０からステップ３６０を実行し、ステップ３３０を実行するようにトランシーバ７０２を制御する。モジュールが上記の対応するステップを実行する特定の処理について、方法３００において詳細に説明した。簡潔のために、詳細をここで再び説明しない。
【０３９７】
代替として、端末デバイスは、本出願の実施形態において提供されるデータ送信の方法４００における端末デバイスに対応し得、端末デバイスは、図６中のデータ送信の方法４００における端末デバイスによって実行される方法を実行するためのモジュールを含み得る。さらに、端末デバイス中のモジュールと上記の他の動作および／または機能とは、別個に、図６中のデータ送信の方法４００の対応する処理を実装するためのものである。詳細には、メモリ７０３は、プログラムコードを記憶するように構成され、したがって、プログラムコードを実行するとき、プロセッサ７０１は、アンテナ７０４を使用することによって方法４００中のステップ４１０、ステップ４２、およびステップ４４０からステップ４９０を実行するようにトランシーバ７０２を制御する。モジュールが上記の対応するステップを実行する特定の処理について、方法４００において詳細に説明した。簡潔のために、詳細をここで再び説明しない。
【０３９８】
代替として、端末デバイスは、本出願の実施形態において提供されるデータ送信の方法５００における端末デバイスに対応し得、端末デバイスは、図７中のデータ送信の方法５００における端末デバイスによって実行される方法を実行するためのモジュールを含み得る。さらに、端末デバイス中のモジュールと上記の他の動作および／または機能とは、別個に、図７中のデータ送信の方法５００の対応する処理を実装するためのものである。詳細には、メモリ７０３は、プログラムコードを記憶するように構成され、したがって、プログラムコードを実行するとき、プロセッサ７０１は、アンテナ７０４を使用することによって方法５００中のステップ５１０、ステップ５２０、およびステップ５４０からステップ５６０を実行し、ステップ５３０を実行するようにトランシーバ７０２を制御する。モジュールが上記の対応するステップを実行する特定の処理について、方法３００において詳細に説明した。簡潔のために、詳細をここで再び説明しない。
【０３９９】
上記のプロセッサ７０１は、端末内に実装され、上記の方法実施形態に記載されている行為を実行するように構成され得、トランシーバ７０２は、端末からネットワークデバイスに向けた、上記の方法実施形態に記載されている送信または送る行為を実行するように構成され得る。詳細については上記の方法実施形態における説明を参照されたく、詳細をここで再び説明しない。
【０４００】
プロセッサ７０１とメモリ７０３とは、処理装置に統合され得る。プロセッサ７０１は、上記の機能を実装するためにメモリ７０３中に記憶されたプログラムコードを実行するように構成される。特定の実装中に、メモリ７０３はまた、プロセッサ７０１に統合され得る。
【０４０１】
上記の端末デバイスは、端末中の様々なデバイスまたは回路に電力を与えるように構成された電源７０５をさらに含み得る。
【０４０２】
さらに、端末デバイスの機能をより完全にするために、端末デバイスは、入力ユニット７０６、ディスプレイユニット７０７、オーディオ周波数回路７０８、カメラ７０９、センサ７１０などのうちの１つまたは複数をさらに含み得る。オーディオ周波数回路は、スピーカ７０８２、マイクロフォン７０８４などをさらに含み得る。
【０４０３】
図１０は、本出願の一実施形態による、装置２０の概略ブロック図である。図１０に示すように、装置２０は、ネットワークデバイスであり得るか、またはチップもしくは回路、たとえば、ネットワークデバイス中に配設され得るチップまたは回路であり得る。装置２０は、上記の方法におけるネットワークデバイスに対応する。
【０４０４】
詳細には、装置２０は、端末デバイスと装置２０とを含む通信システム中に構成され得る。端末デバイスと装置２０とは、複数のプリコーディング行列を事前記憶する。装置２０は、送信モジュール２１と、受信モジュール２２と、処理モジュール２３とを含み得る。
【０４０５】
送信モジュール２１は、チャネル測定のために使用される少なくとも１つの基準信号を送るように構成される。
【０４０６】
受信モジュール２２は、少なくとも１つの基準信号とＣＳＩフィードバックが基づく送信方式とに基づいて端末デバイスによってフィードバックされた第１の指示情報の複数の部分を受信することであって、第１の指示情報の複数の部分は、ｘ個のターゲットプリコーディング行列を示すために使用され、第１の指示情報の複数の部分のうちの少なくとも１つは、１つのターゲットプリコーディング行列を示すために使用され、ｘ個のターゲットプリコーディング行列は、複数のプリコーディング行列に基づいて決定されるように構成される。
【０４０７】
処理モジュール２３は、第１の指示情報の複数の部分に基づいてｘ個のターゲットプリコーディング行列を決定するように構成される。
【０４０８】
ｘは、フィードバックされる必要があるターゲットプリコーディング行列の数量であり、ｘは、１よりも大きい整数である。
【０４０９】
少なくとも１つの基準信号の各々は、プリコーダ循環を受けた基準信号であり、第１の指示情報の複数の部分の各々は、少なくとも１つの基準信号のうちの１つに対応し、プリコーダ循環の粒度にあるプリコーディング行列を示すために使用され、プリコーダ循環の回数の数量は、１以上であり、プリコーダ循環のために使用されるプリコーディング行列の数量は、ｙであり、ｙは、１よりも大きい整数である。
【０４１０】
任意選択で、ｙ＝ｘであるとき、処理モジュール２３は、第１の指示情報の複数の部分とプリコーダ循環のために使用されるｙ個のプリコーディング行列のすべてとに基づいてｘ個のターゲットプリコーディング行列のすべてを決定することであって、プリコーダ循環のために使用されるｙ個のプリコーディング行列は、ｘ個のターゲットプリコーディング行列と１対１で対応するように特に構成される。
【０４１１】
任意選択で、ｙ＞ｘであるとき、受信モジュール２２は、第２の指示情報を受信するようにさらに構成される。
【０４１２】
処理モジュール２３は、第２の指示情報に基づいて、プリコーダ循環のために使用されるｙ個のプリコーディング行列からｘ個のプリコーディング行列を決定するようにさらに構成される。
【０４１３】
処理モジュール２３は、第１の指示情報の複数の部分とプリコーダ循環のために使用されるｘ個のプリコーディング行列のすべてとに基づいてｘ個のターゲットプリコーディング行列のすべてを決定することであって、プリコーダ循環のために使用されるｘ個のプリコーディング行列は、ｘ個のターゲットプリコーディング行列と１対１で対応するように特に構成される。
【０４１４】
任意選択で、少なくとも１つの基準信号の各々は、プリコードされていない基準信号であり、第１の指示情報の複数の部分の各々は、３つのコードブックインデックスを含み、第１の指示情報の各部分中の３つのコードブックインデックスは、１つのプリコーディング行列を一緒に示すために使用され、第１の指示情報の複数の部分は、ｘ個のターゲットプリコーディング行列と１対１で対応する。
【０４１５】
任意選択で、受信モジュール２２は、プリコーダ循環の粒度の指示情報を受信するようにさらに構成される。
【０４１６】
任意選択で、送信モジュール２１は、第５の指示情報を送ることであって、第５の指示情報は、フィードバックされる必要があるターゲットプリコーディング行列の数量ｘを示すようにさらに構成される。
【０４１７】
任意選択で、フィードバックされる必要があるターゲットプリコーディング行列の数量ｘは、装置２０と端末デバイスとの中に事前構成される。
【０４１８】
装置２０は、本出願の実施形態において提供されるデータ送信の方法２００におけるネットワークデバイスに対応し得、装置２０は、図４中のデータ送信の方法２００におけるネットワークデバイスによって実行される方法を実行するためのモジュールを含み得ることを理解されたい。さらに、装置２０中のモジュールと上記の他の動作および／または機能とは、別個に、図４中のデータ送信の方法２００の対応する処理を実装するためのものである。詳細には、送信モジュール２１は、方法２００中のステップ２１０、ステップ２４０、ステップ２７０、およびステップ２９０を実行するように構成され、受信モジュール２２は、方法２００中のステップ２２０およびステップ２８０を実行するように構成され、処理モジュール２３は、方法２００中のステップ２３０を実行するように構成される。モジュールが上記の対応するステップを実行する特定の処理について、方法２００において詳細に説明した。簡潔のために、詳細をここで再び説明しない。
【０４１９】
代替として、装置２０は、端末デバイスと装置２０とを含む通信システム中に構成され得る。端末デバイスと装置２０とは、複数のプリコーディング行列を事前記憶する。装置２０は、送信モジュール２１と受信モジュール２２とを含み得る。
【０４２０】
受信モジュール２２は、チャネル測定のために使用される少なくとも１つの基準信号を受信するように構成される。
【０４２１】
送信モジュール２１は、少なくとも１つの基準信号とＣＳＩ測定が基づく送信方式とに基づいて第６の指示情報の複数の部分を送ることであって、第６の指示情報の複数の部分は、ｘ個のターゲットプリコーディング行列を示すために使用され、第６の指示情報の複数の部分のうちの少なくとも１つは、１つのターゲットプリコーディング行列を示すために使用され、ｘ個のターゲットプリコーディング行列は、複数のプリコーディング行列に基づいて決定されるように構成される。
【０４２２】
ｘは、示される必要があるターゲットプリコーディング行列の数量であり、ｘは、１よりも大きい整数である。
【０４２３】
少なくとも１つの基準信号の各々は、プリコーダ循環を受けた基準信号であり、第６の指示情報の複数の部分の各々は、少なくとも１つの基準信号のうちの１つに対応し、プリコーダ循環の粒度にあるプリコーディング行列を示すために使用され、プリコーダ循環の回数の数量は、１以上であり、プリコーダ循環のために使用されるプリコーディング行列の数量は、ｙであり、ｙは、１よりも大きい整数である。
【０４２４】
任意選択で、ｙ＝ｘであるとき、プリコーダ循環のために使用されるｙ個のプリコーディング行列の各々は、ｘ個のターゲットプリコーディング行列のうちの１つを決定するために使用され、ｙ個のプリコーディング行列は、ｘ個のターゲットプリコーディング行列と１対１で対応する。
【０４２５】
任意選択で、ｙ＞ｘであるとき、送信モジュール２１は、端末デバイスによって、第７の指示情報を送ることであって、第７の指示情報は、プリコーダ循環のために使用されるｙ個のプリコーディング行列中のｘ個のプリコーディング行列を示すために使用され、プリコーダ循環のために使用されるｘ個のプリコーディング行列の各々は、ｘ個のターゲットプリコーディング行列のうちの１つを決定するために使用され、プリコーダ循環のために使用されるｘ個のプリコーディング行列は、ｘ個のターゲットプリコーディング行列と１対１で対応するようにさらに構成される。
【０４２６】
任意選択で、少なくとも１つの基準信号の各々は、プリコードされていない基準信号であり、第６の指示情報の複数の部分の各々は、３つのコードブックインデックスを含み、第６の指示情報の各部分中の３つのコードブックインデックスは、１つのプリコーディング行列を一緒に示すために使用され、第６の指示情報の複数の部分は、ｘ個のターゲットプリコーディング行列と１対１で対応する。
【０４２７】
任意選択で、送信モジュール２１は、プリコーダ循環の粒度の指示情報を送るようにさらに構成される。
【０４２８】
任意選択で、示される必要があるターゲットプリコーディング行列の数量ｘは、装置２０と端末デバイスとの中に事前構成される。装置２０は、本出願の実施形態において提供されるデータ送信の方法３００におけるネットワークデバイスに対応し得、装置２０は、図５中のデータ送信の方法３００におけるネットワークデバイスによって実行される方法を実行するためのモジュールを含み得ることを理解されたい。さらに、装置２０中のモジュールと上記の他の動作および／または機能とは、別個に、図５中のデータ送信の方法３００の対応する処理を実装するためのものである。詳細には、受信モジュール２２は、方法３００中のステップ３１０およびステップ３４０からステップ３６０を実行するように構成され、送信モジュール２１は、方法３００中のステップ３２０を実行するように構成される。モジュールが上記の対応するステップを実行する特定の処理について、方法３００において詳細に説明した。簡潔のために、詳細をここで再び説明しない。
【０４２９】
代替として、装置２０は、端末デバイスと装置２０とを含む通信システム中に構成され得る。端末デバイスと装置２０とは、複数のプリコーディング行列セットを事前記憶し、複数のプリコーディング行列セットの各々は、少なくとも１つのプリコーディング行列を含む。装置２０は、送信モジュール２１と、受信モジュール２２と、処理モジュール２３とを含み得る。
【０４３０】
送信モジュール２１は、チャネル測定のために使用される複数の基準信号を送るように構成される。
【０４３１】
受信モジュール２２は、複数の基準信号とＣＳＩフィードバックが基づく送信方式とに基づいて端末デバイスによってフィードバックされた第３の指示情報と第４の指示情報とを受信することであって、第３の指示情報は、複数のプリコーディング行列セット中の第１のプリコーディング行列セットを示すために使用され、第４の指示情報は、第１のプリコーディング行列セット中のｘ個のターゲットプリコーディング行列を示すために使用されるように構成される。
【０４３２】
処理モジュール２３は、第３の指示情報と第４の指示情報とに基づいてｘ個のターゲットプリコーディング行列を決定するように構成される。
【０４３３】
ｘは、フィードバックされる必要があるターゲットプリコーディング行列の数量であり、ｘは、１よりも大きい整数である。
【０４３４】
任意選択で、複数の基準信号の各々は、プリコードされていない基準信号であり、第３の指示情報は、２つのコードブックインデックスを含み、第３の指示情報中の２つのコードブックインデックスは、第１のプリコーディング行列セットを一緒に示すために使用される。
【０４３５】
任意選択で、受信モジュール２２は、プリコーダ循環の粒度の指示情報を受信するようにさらに構成される。
【０４３６】
任意選択で、送信モジュール２１は、第５の指示情報を送ることであって、第５の指示情報は、フィードバックされる必要があるターゲットプリコーディング行列の数量ｘを示すようにさらに構成される。
【０４３７】
任意選択で、フィードバックされる必要があるターゲットプリコーディング行列の数量ｘは、装置２０と端末デバイスとの中に事前構成される。
【０４３８】
装置２０は、本出願の実施形態において提供されるデータ送信の方法４００におけるネットワークデバイスに対応し得、装置２０は、図６中のデータ送信の方法５００におけるネットワークデバイスによって実行される方法を実行するためのモジュールを含み得ることを理解されたい。さらに、装置２０中のモジュールと上記の他の動作および／または機能とは、別個に、図６中のデータ送信の方法４００の対応する処理を実装するためのものである。詳細には、送信モジュール２１は、方法４００中のステップ４１０、ステップ４４０からステップ４７０、およびステップ４９０を実行するように構成され、受信モジュール２２は、方法４００中のステップ４２０およびステップ４８０を実行するように構成され、処理モジュール２３は、方法４００中のステップ４３０を実行するように構成される。モジュールが上記の対応するステップを実行する特定の処理について、方法４００において詳細に説明した。簡潔のために、詳細をここで再び説明しない。
【０４３９】
代替として、装置２０は、端末デバイスと装置２０とを含む通信システム中に構成され得る。端末デバイスと装置２０とは、複数のプリコーディング行列セットを事前記憶し、複数のプリコーディング行列セットの各々は、少なくとも１つのプリコーディング行列を含む。装置２０は、送信モジュール２１と受信モジュール２２とを含み得る。
【０４４０】
受信モジュール２２は、チャネル測定のために使用される複数の基準信号を受信するように構成される。
【０４４１】
送信モジュール２１は、複数の基準信号とＣＳＩ測定が基づく送信方式とに基づいて第８の指示情報と第９の指示情報とを送ることであって、第８の指示情報は、複数のプリコーディング行列セット中の第１のプリコーディング行列セットを示すために使用され、第９の指示情報は、第１のプリコーディング行列セット中のｘ個のターゲットプリコーディング行列を示すために使用されるように構成される。
【０４４２】
ｘは、示される必要があるターゲットプリコーディング行列の数量であり、ｘは、１よりも大きい整数である。
【０４４３】
任意選択で、複数の基準信号の各々は、プリコードされていない基準信号であり、第８の指示情報は、２つのコードブックインデックスを含み、第８の指示情報中の２つのコードブックインデックスは、第１のプリコーディング行列セットを一緒に示すために使用される。
【０４４４】
任意選択で、送信モジュール２１は、プリコーダ循環の粒度の指示情報を送るようにさらに構成される。
【０４４５】
任意選択で、示される必要があるターゲットプリコーディング行列の数量ｘは、装置２０と端末デバイスとの中に事前構成される。
【０４４６】
装置２０は、本出願の実施形態において提供されるデータ送信の方法５００におけるネットワークデバイスに対応し得、装置２０は、図７中のデータ送信の方法５００におけるネットワークデバイスによって実行される方法を実行するためのモジュールを含み得ることを理解されたい。さらに、装置２０中のモジュールと上記の他の動作および／または機能とは、別個に、図７中のデータ送信の方法５０の対応する処理を実装するためのものである。詳細には、送信モジュール２１は、方法５００中のステップ５２０を実行するように構成され、受信モジュール２２は、方法５００中のステップ５１０およびステップ５４０からステップ５６０を実行するように構成される。モジュールが上記の対応するステップを実行する特定の処理について、方法５００において詳細に説明した。簡潔のために、詳細をここで再び説明しない。
【０４４７】
図１１は、本出願の一実施形態による、ネットワークデバイスの概略構造図である。図１１に示されているように、ネットワークデバイスは、プロセッサ６１０とトランシーバ６２０とを含む。任意選択で、ネットワークデバイスは、メモリ６３０をさらに含む。プロセッサ６１０と、トランシーバ６２０と、メモリ６３０とは、外部接続経路を使用することによって互いに通信して、制御信号および／またはデータ信号を転送する。メモリ６３０は、コンピュータプログラムを記憶するように構成される。プロセッサ６１０は、メモリ６３０からコンピュータプログラムを呼び出し、コンピュータプログラムを実行し、信号を受信および送信するようにトランシーバ６２０を制御するように構成される。
【０４４８】
プロセッサ６１０とメモリ６３０とは、処理装置に組み合わされ得る。プロセッサ６１０は、上記の機能を実装するためにメモリ６３０中に記憶されたプログラムコードを実行するように構成される。特定の実装中に、メモリ６３０はまた、プロセッサ６１０に統合されるか、またはプロセッサ６１０とは無関係であり得る。
【０４４９】
ネットワークデバイスは、無線信号を使用することによって、トランシーバ６２０によって出力されたダウンリンクデータまたはダウンリンク制御シグナリングを送るように構成されたアンテナ６４０をさらに含み得る。
【０４５０】
詳細には、ネットワークデバイスは、本出願の実施形態において提供されるデータ送信の方法２００におけるネットワークデバイスに対応し得、ネットワークデバイスは、図４中のデータ送信の方法２００におけるネットワークデバイスによって実行される方法を実行するためのモジュールを含み得る。さらに、ネットワークデバイス中のモジュールと上記の他の動作および／または機能とは、別個に、図４中のデータ送信の方法２００の対応する処理を実装するためのものである。詳細には、メモリ６３０は、プログラムコードを記憶するように構成され、したがって、プログラムコードを実行するとき、プロセッサ６１０は、アンテナ６４０を使用することによって方法２００中のステップ２１０、ステップ２２０、およびステップ２４０からステップ２９０を実行し、方法２００中のステップ２３０を実行するようにトランシーバ６２０を制御する。モジュールが上記の対応するステップを実行する特定の処理について、方法２００において詳細に説明した。簡潔のために、詳細をここで再び説明しない。
【０４５１】
代替として、ネットワークデバイスは、本出願の実施形態において提供されるデータ送信の方法３００におけるネットワークデバイスに対応し得、ネットワークデバイスは、図５中のデータ送信の方法３００におけるネットワークデバイスによって実行される方法を実行するためのモジュールを含み得る。さらに、ネットワークデバイス中のモジュールと上記の他の動作および／または機能とは、別個に、図５中のデータ送信の方法３００の対応する処理を実装するためのものである。詳細には、メモリ６３０は、プログラムコードを記憶するように構成され、したがって、プログラムコードを実行するとき、プロセッサ６１０は、アンテナ６４０を使用することによって方法３００中のステップ３１０、ステップ３２０、およびステップ３４０からステップ３６０を実行するようにトランシーバ６２０を制御する。モジュールが上記の対応するステップを実行する特定の処理について、方法３００において詳細に説明した。簡潔のために、詳細をここで再び説明しない。
【０４５２】
代替として、ネットワークデバイスは、本出願の実施形態において提供されるデータ送信の方法４００におけるネットワークデバイスに対応し得、ネットワークデバイスは、図６中のデータ送信の方法４００におけるネットワークデバイスによって実行される方法を実行するためのモジュールを含み得る。さらに、ネットワークデバイス中のモジュールと上記の他の動作および／または機能とは、別個に、図６中のデータ送信の方法４００の対応する処理を実装するためのものである。詳細には、メモリ６３０は、プログラムコードを記憶するように構成され、したがって、プログラムコードを実行するとき、プロセッサ６１０は、アンテナ６４０を使用することによって方法３００中のステップ４１０、ステップ４２０、およびステップ４４０からステップ４９０を実行し、ステップ４３０を実行するようにトランシーバ６２０を制御する。モジュールが上記の対応するステップを実行する特定の処理について、方法３００において詳細に説明した。簡潔のために、詳細をここで再び説明しない。
【０４５３】
代替として、ネットワークデバイスは、本出願の実施形態において提供されるデータ送信の方法５００におけるネットワークデバイスに対応し得、ネットワークデバイスは、図７中のデータ送信の方法５００におけるネットワークデバイスによって実行される方法を実行するためのモジュールを含み得る。さらに、ネットワークデバイス中のモジュールと上記の他の動作および／または機能とは、別個に、図７中のデータ送信の方法５００の対応する処理を実装するためのものである。詳細には、メモリ６３０は、プログラムコードを記憶するように構成され、したがって、プログラムコードを実行するとき、プロセッサ６１０は、アンテナ６４０を使用することによって方法５００中のステップ５１０、ステップ５２０、およびステップ５４０からステップ５６０を実行するようにトランシーバ６２０を制御する。モジュールが上記の対応するステップを実行する特定の処理について、方法３００において詳細に説明した。簡潔のために、詳細をここで再び説明しない。
【０４５４】
別の態様では、本出願は、チャネル測定指示の方法をさらに提供する。図１２は、デバイス対話の観点からの本出願の一実施形態による、チャネル測定指示の方法９００の概略フローチャートである。図１２に示すように、方法９００は、ステップ９１０からステップ９４０を含み得る。
【０４５５】
ステップ９１０において、ネットワークデバイスは、チャネル測定が基づく周波数帯域の粒度を決定する。
【０４５６】
１つの周波数帯域の粒度の周波数帯域は、１つのプリコーディング行列に対応し得る。言い換えれば、チャネル測定が１つの周波数帯域の粒度に対応する帯域幅に対して実行されるとき、同じプリコーディング行列が使用され、すなわち、チャネル測定が１つの周波数帯域の粒度に対応する帯域幅に対して実行されるとき、一意のプリコーディング行列が使用される。したがって、周波数帯域の粒度は、端末デバイスによるチャネル測定の周波数帯域ユニットとして理解され得る。
【０４５７】
任意選択で、測定帯域幅が、同じ周波数帯域の粒度を有する複数の帯域幅を含むとき、同じ周波数帯域の粒度を有する任意の２つの隣接する帯域幅に対応するプリコーディング行列は異なる。
【０４５８】
したがって、測定周波数帯域の周波数帯域の幅は、上記の周波数帯域の単位であり得るか、または少なくとも１つの周波数帯域の単位を含む周波数帯域であり得る。代替として、測定周波数帯域の周波数帯域の幅は、少なくとも１つの周波数帯域に分割され得、任意の２つの周波数帯域の帯域幅は、１つの周波数帯域の粒度である。言い換えれば、１つの測定帯域幅中の周波数帯域の粒度は、一意であり得る。
【０４５９】
測定帯域幅は、チャネル測定基準信号を送信するための帯域幅であり得るか、または測定後にＣＳＩをフィードバックするために使用される帯域幅であり得る。言い換えれば、測定帯域幅は、チャネル測定基準信号を送信するための帯域幅の全部または一部であり得る。本出願は、測定帯域幅の定義にいかなる制限も課さない。チャネル測定基準信号は、チャネル測定のために使用される基準信号、たとえば、限定はしないが、ＣＳＩ−ＲＳまたはセル基準信号（cell reference signal、ＣＲＳ）であり得る。
【０４６０】
具体的に言えば、周波数帯域の粒度は、端末デバイスがチャネル測定を実行することに基づく周波数帯域ユニットとして理解され得る。任意選択で、周波数帯域の粒度は、たとえば、限定はしないが、１つもしくは複数のサブキャリア（もしくは周波数領域中の１つもしくは複数のＲＥに対応するリソース）、周波数領域中の１つのリソースユニットに対応するリソース、周波数領域中の複数のリソースユニットを含むＲＢグループ（ＲＢＧ）に対応するリソースであり得るか、または１／２リソースユニット、１／４リソースユニット、もしくはプリコーディングリソースブロックグループ（PRG size）であり得る。
【０４６１】
リソースユニットは、ＬＴＥプロトコルにおいて定義されているＲＢであり得る。
【０４６２】
上記に記載した周波数帯域の粒度のサイズは、説明のために使用される一例にすぎず、本出願にいかなる限定も構成せず、本出願が周波数帯域の粒度のサイズにいかなる制限も課さないことを理解されたい。
【０４６３】
さらに、周波数帯域の粒度に対応する上記のプリコーディング行列が、ネットワークデバイスによって事前に示され得るか、またはコードブックから端末デバイスによってランダムに選択され得ることを理解されたい。これは、本出願では限定されない。
【０４６４】
ステップ９２０において、ネットワークデバイスは、第１０の指示情報を送り、ここで、第１０の指示情報は、周波数帯域の粒度を示す。
【０４６５】
相応して、ステップ９２０において、端末デバイスは、第１０の指示情報を受信する。
【０４６６】
任意選択で、第１０の指示情報は、ＲＲＣメッセージ、ＭＡＣ−ＣＥ、またはＤＣＩのシグナリングのうちのいずれか１つ中で搬送され得る。
【０４６７】
したがって、上記の周波数帯域の粒度は、半静的に示され得るか、または動的に示され得る。言い換えれば、ネットワークデバイスは、シグナリング指示方式で、チャネル測定が基づく周波数帯域の粒度を動的に調整し得る。
【０４６８】
第１０の指示情報を搬送するための上記に記載したシグナリングは、説明のために使用される一例にすぎず、本出願にいかなる限定も構成しないことを理解されたい。たとえば、上記に記載した複数のシグナリングが、周波数帯域の粒度を示すために組み合わせて使用され得るか、または第１０の指示情報が、別のシグナリング中でさらに搬送され得る。本出願は、第１０の指示情報を搬送するためのシグナリングにいかなる制限も課さない。
【０４６９】
さらに、上記の周波数帯域の粒度は、代替として、あらかじめ定義され、たとえば、プロトコルによって定義され得る。ネットワークデバイスは、シグナリングを使用することによって、周波数帯域の粒度を使用するべきかどうかを示し得る。たとえば、ＲＲＣメッセージ中のフィールドが「１」に設定されるとき、周波数帯域の粒度が使用される。この場合、端末デバイスは、ネットワークデバイスによって示される周波数帯域の粒度に基づいてチャネル測定を実行し得る。フィールドが「０」に設定されるとき、周波数帯域の粒度は、使用されず、すなわち、チャネル測定は、測定帯域幅全体に基づいて実行される。
【０４７０】
ステップ９３０において、端末デバイスは、第１０の指示情報に基づいて周波数帯域の粒度を決定する。
【０４７１】
任意選択で、本方法は、ステップ９４０、端末デバイスは、周波数帯域の粒度に基づいてチャネル測定を実行する、をさらに含む。
【０４７２】
特定の実装処理では、上記のチャネル測定は、たとえば、限定はしないが、測定周波数帯域のチャネル行列を計算することであり得る。詳細には、上記の周波数帯域の粒度に基づいて、端末デバイスは、異なるプリコーディング行列を使用することによって任意の２つの連続する周波数帯域の粒度に対してチャネル測定を実行し、測定周波数帯域中の周波数帯域の粒度（たとえば、サブキャリア）に関するチャネル行列を平均化することによって周波数帯域のチャネル行列を取得し得る。端末デバイスが代替として別の方式で周波数帯域のチャネル行列を取得し得ることを当業者は知っているべきである。チャネル測定の関連技術については、従来技術を参照されたく、本出願のこの実施形態は、チャネル測定の特定の解決策にいかなる制限も課さない。
【０４７３】
次いで、端末デバイスは、周波数帯域の粒度に対応するプリコーディング行列に基づいて各周波数帯域の粒度のチャネル行列に対してプリコーディングを実行して、各周波数帯域の粒度の等価なチャネル行列を取得し得る。等価なチャネル行列に基づいて、端末デバイスは、対応するチャネル状態情報ＣＳＩをさらに計算し得る。ＣＳＩは、ＣＱＩ、ＲＩ、およびＰＭＩのうちの少なくとも１つの情報を含み得、ネットワークデバイスにフィードバックされる。
【０４７４】
任意選択で、ステップ９４０は、詳細には、端末デバイスは、プリコーダ循環の粒度として周波数帯域の粒度を使用し、プリコーダ循環の送信方式に基づいてチャネル測定を実行する、を含む。
【０４７５】
詳細には、端末デバイスは、プリコーダ循環の送信方式に基づいてチャネル測定を実行し得る。端末デバイスは、プリコーダ循環の粒度として、ネットワークデバイスによって示される周波数帯域の粒度を使用し得る。具体的に言えば、チャネル測定は、異なるプリコーディング行列を使用することによって任意の２つの連続する周波数帯域の粒度に対して実行され、複数の周波数帯域の粒度と１対１で対応する複数のプリコーディング行列が、周波数帯域に対して周期的に使用され得る。
【０４７６】
プリコーダ循環に関するコンテンツについては、上記の明細書または従来技術における説明を参照されたい。本発明のこの実施形態は、プリコーダ循環の特定の解決策にいかなる制限も課さない。
【０４７７】
ただし、端末デバイスがプリコーダ循環の送信方式に基づいてチャネル測定を実行することは、可能な実装にすぎず、端末デバイスは、代替として、複数の異なるプリコーディング行列と上記の周波数帯域の粒度とに基づいて測定周波数帯域に対してチャネル測定を実行し得ることを理解されたい。この場合、任意の２つの連続する周波数帯域の粒度に対応するプリコーディング行列は異なる。ただし、複数の周波数帯域の粒度が、複数のプリコーディング行列と１対１で対応することが理解され得る。
【０４７８】
したがって、端末デバイスは、周波数帯域の粒度に基づいてチャネル測定を実行し、したがって、チャネル測定が不正確なとき、測定帯域幅に対して複数のプリコーディング行列を使用することによってプリコーディングが実行される等価チャネルが測定されて、比較的正確なＣＳＩを取得し、それによって、データ送信の信頼性を改善するのに役立ち、システムのロバストネスを改善する。
【０４７９】
上記の方法に基づいて、本出願の一実施形態は、チャネル測定指示の装置３０をさらに提供する。チャネル測定指示の装置は、端末デバイスであり得るか、またはチップもしくは回路、たとえば、端末デバイス中に配設され得るチップまたは回路であり得る。チャネル測定指示の装置３０の概略ブロック図を図１３に示し得る。図１３に示すように、チャネル測定指示の装置３０は、受信モジュール３１と処理モジュール３２とを含む。
【０４８０】
受信モジュール３１は、第１０の指示情報を受信することであって、第１０の指示情報は、測定が基づく周波数帯域の粒度を示し、１つの周波数帯域の粒度に対応する周波数帯域は、１つのプリコーディング行列に対応するように構成される。
【０４８１】
処理モジュール３２は、第１０の指示情報に基づいて周波数帯域の粒度を決定するように構成される。
【０４８２】
任意選択で、処理モジュール３２は、周波数帯域の粒度に基づいてチャネル測定を実行するようにさらに構成される。
【０４８３】
任意選択で、処理モジュールは、プリコーダ循環の粒度として周波数帯域の粒度を使用し、プリコーダ循環の送信方式に基づいてチャネル測定を実行するように特に構成される。
【０４８４】
任意選択で、同じ周波数帯域の粒度を有する任意の２つの隣接する周波数帯域に対応するプリコーディング行列は異なる。
【０４８５】
詳細には、チャネル測定指示の装置３０は、本出願の実施形態において提供されるチャネル測定指示の方法９００における端末デバイスに対応し得、チャネル測定指示の装置３０は、図１２中のチャネル測定指示の方法９００における端末デバイスによって実行される方法を実行するためのモジュールを含み得る。さらに、チャネル測定指示の装置３０中のモジュールと上記の他の動作および／または機能とは、別個に、図１２中のチャネル測定指示の方法９００の対応する処理を実装するためのものである。詳細には、受信モジュール３１は、方法９００中のステップ９２０を実行するように構成され、プロセッサモジュール３２は、方法９００中のステップ９３０およびステップ９４０を実行するように構成される。モジュールが上記の対応するステップを実行する特定の処理について、方法９００において詳細に説明した。簡潔のために、詳細をここで再び説明しない。
【０４８６】
本出願の一実施形態は、端末デバイスをさらに提供する。端末デバイスの概略構造図を図９に示し得る。端末デバイス中に含まれるモジュールについて、図９を参照しながら上記で説明した。簡潔のために、詳細をここで再び説明しない。
【０４８７】
詳細には、端末デバイスは、本出願の実施形態において提供されるチャネル測定指示の方法９００における端末デバイスに対応し得、端末デバイスは、図１２中のチャネル測定指示の方法９００における端末デバイスによって実行される方法を実行するためのモジュールを含み得る。さらに、端末デバイス中のモジュールと上記の他の動作および／または機能とは、別個に、図１２中のチャネル測定指示の方法９００の対応する処理を実装するためのものである。詳細には、メモリ７０３は、プログラムコードを記憶するように構成され、したがって、プログラムコードを実行するとき、プロセッサ７０１は、アンテナ７０４を使用することによって方法９００中のステップ９２０を実行し、ステップ９３０およびステップ９３０を実行するようにトランシーバ７０２を制御する。モジュールが上記の対応するステップを実行する特定の処理について、方法９００において詳細に説明した。簡潔のために、詳細をここで再び説明しない。
【０４８８】
本出願の一実施形態は、チャネル測定指示の装置４０をさらに提供する。チャネル測定指示の装置４０は、ネットワークデバイスであり得るか、またはチップもしくは回路、たとえば、端末デバイス中に配設され得るチップまたは回路であり得る。チャネル測定指示の装置４０の概略ブロック図を図１４に示し得る。図１４に示すように、チャネル測定指示の装置４０は、処理モジュール４１と送信モジュール４２とを含む。
【０４８９】
処理モジュール４１は、チャネル測定が基づく周波数帯域の粒度を決定することであって、１つの周波数帯域の粒度に対応する周波数帯域は、１つのプリコーディング行列に対応するように構成される。
【０４９０】
送信モジュール４２は、第１０の指示情報を送ることであって、第１０の指示情報は、周波数帯域の粒度を示すように構成される。
【０４９１】
任意選択で、同じ周波数帯域の粒度を有する任意の２つの隣接する周波数帯域に対応するプリコーディング行列は異なる。
【０４９２】
詳細には、チャネル測定指示の装置４０は、本出願の実施形態において提供されるチャネル測定指示の方法９００におけるネットワークデバイスに対応し得、チャネル測定指示の装置４０は、図１２中のチャネル測定指示の方法９００におけるネットワークデバイスによって実行される方法を実行するためのモジュールを含み得る。さらに、チャネル測定指示の装置４０中のモジュールと上記の他の動作および／または機能とは、別個に、図１２中のチャネル測定指示の方法９００の対応する処理を実装するためのものである。詳細には、処理モジュール４１は、方法９００中のステップ９１０を実行するように構成され、送信モジュール４２は、方法９００中のステップ９２０を実行するように構成される。モジュールが上記の対応するステップを実行する特定の処理について、方法９００において詳細に説明した。簡潔のために、詳細をここで再び説明しない。
【０４９３】
本出願の一実施形態は、ネットワークデバイスをさらに提供する。ネットワークデバイスの概略構造図を図１１に示し得る。ネットワークデバイス中に含まれるモジュールについて、図１１を参照しながら上記で説明した。簡潔のために、詳細をここで再び説明しない。
【０４９４】
詳細には、ネットワークデバイスは、本出願の実施形態において提供されるチャネル測定指示の方法９００におけるネットワークデバイスに対応し得、ネットワークデバイスは、図１２中のチャネル測定指示の方法９００におけるネットワークデバイスによって実行される方法を実行するためのモジュールを含み得る。さらに、ネットワークデバイス中のモジュールと上記の他の動作および／または機能とは、別個に、図１２中のチャネル測定指示の方法９００の対応する処理を実装するためのものである。詳細には、メモリ６３０は、プログラムコードを記憶するように構成され、したがって、プログラムコードを実行するとき、プロセッサ６１０は、方法９００中のステップ９１０を実行し、アンテナ６４０を使用することによって方法９００中のステップ９２０を実行するようにトランシーバ６２０を制御する。モジュールが上記の対応するステップを実行する特定の処理について、方法９００において詳細に説明した。簡潔のために、詳細をここで再び説明しない。
【０４９５】
本出願の実施形態において提供される方法に基づいて、本出願の一実施形態は、システムをさらに提供する。システムは、上記のネットワークデバイスと１つまたは複数の端末デバイスとを含む。
【０４９６】
本出願の実施形態では、プロセッサは、中央処理ユニット（central processing unit、ＣＰＵ）であり得るか、またはプロセッサは、別の汎用プロセッサ、デジタル信号プロセッサ（digital signal processor、ＤＳＰ）、特定用途向け集積回路（application specific integrated circuit、ＡＳＩＣ）、フィールドプログラマブルゲートアレイ（field programmable gate array、ＦＰＧＡ）、もしくは別のプログラマブル論理デバイス、個別ゲートもしくはトランジスタ論理デバイス、個別ハードウェア構成要素などであり得ることを理解されたい。汎用プロセッサはマイクロプロセッサであり得るか、またはプロセッサは任意の従来のプロセッサなどであり得る。
【０４９７】
さらに、本出願の実施形態におけるメモリが、揮発性メモリもしくは不揮発性メモリであり得るか、または揮発性メモリと不揮発性メモリとの両方を含み得ることを理解されたい。不揮発性メモリは、読取り専用メモリ（read-only memory、ＲＯＭ）、プログラマブル読取り専用メモリ（programmable ROM、ＰＲＯＭ）、消去可能プログラマブル読取り専用メモリ（erasable PROM、ＥＰＲＯＭ）、電気消去可能プログラマブル読取り専用メモリ（electrically EPROM、ＥＥＰＲＯＭ）、またはフラッシュメモリであり得る。揮発性メモリは、ランダムアクセスメモリ（random access memory、ＲＡＭ）であり得、外部キャッシュとして使用される。例示的だが限定的でない説明として、スタティックランダムアクセスメモリＳＲＡＭ（static RAM、ＳＲＡＭ）、ダイナミックランダムアクセスメモリ（ＤＲＡＭ）、シンクロナスダイナミックランダムアクセスメモリ（synchronous DRAM、ＳＤＲＡＭ）、ダブルデータレートシンクロナスダイナミックランダムアクセスメモリ（double data rate SDRAM、ＤＤＲ  ＳＤＲＡＭ）、拡張シンクロナスダイナミックランダムアクセスメモリ（enhanced SDRAM、ＥＳＤＲＡＭ）、シンクリンクダイナミックランダムアクセスメモリ（synchlink DRAM、ＳＬＤＲＡＭ）、およびダイレクトラムバスランダムアクセスメモリ（direct rambus RAM、ＤＲ  ＲＡＭ）などの多くの形態でランダムアクセスメモリ（random access memory、ＲＡＭ）が使用され得る。
【０４９８】
上記の実施形態は、ソフトウェア、ハードウェア、ファームウェア、または任意の他の組合せによってすべてまたは部分的に実装され得る。上記の実施形態がソフトウェアを使用することによって実装されるとき、上記の実施形態はコンピュータプログラム製品の形態ですべてまたは部分的に実装され得る。コンピュータプログラム製品は、１つまたは複数のコンピュータ命令を含む。コンピュータプログラム命令がコンピュータ上にロードまたは実行されるとき、本出願の実施形態の処理または機能がすべてまたは部分的に生成される。コンピュータは、汎用コンピュータ、専用コンピュータ、コンピュータネットワーク、または別のプログラマブル装置であり得る。コンピュータ命令は、コンピュータ可読記憶媒体中に記憶されるか、または１つのコンピュータ可読記憶媒体から別のコンピュータ可読記憶媒体に送信され得る。たとえば、コンピュータ命令は、（赤外線、無線、またはマイクロ波などの）ワイヤレス方式で１つのウェブサイト、コンピュータ、サーバ、またはデータセンターから別のウェブサイト、コンピュータ、サーバ、またはデータセンターに送信され得る。コンピュータ可読記憶媒体は、１つまたは複数のアクセス可能媒体セットを含む、サーバまたはデータセンターなどのコンピュータまたはデータストレージデバイスにとってアクセス可能な任意の利用可能な媒体であり得る。アクセス可能媒体は、（フロッピーディスク、ハードディスク、または磁気テープなどの）磁気媒体、（ＤＶＤなどの）光媒体、または半導体媒体であり得る。半導体媒体は、固体ディスクであり得る。
【０４９９】
当業者は、本明細書に開示する実施形態において説明する例と組み合わせて、電子ハードウェアまたはコンピュータソフトウェアおよび電子ハードウェアの組合せによってユニットおよびアルゴリズムステップが実装され得ることに気づき得る。機能がハードウェアによって実施されるのか、またはソフトウェアによって実施されるのかは、特定の適用例および技術的解決策の設計制約条件に依存する。当業者は、特定の適用例ごとに説明した機能を実装するために異なる方法を使用し得るが、実装が本出願の範囲を越えると見なすべきではない。
【０５００】
便宜的で簡単な説明のために、上記のシステム、装置、およびユニットの詳細な動作処理について、上記の方法実施形態における対応する処理が参照され得、詳細について、本明細書では再び説明しないことを当業者には明確に理解されよう。
【０５０１】
本出願で提供されるいくつかの実施形態では、開示するシステム、装置、および方法が他の方法で実装され得ることを理解されたい。たとえば、説明した装置実施形態は、一例にすぎない。たとえば、ユニット区分は論理機能区分にすぎず、実際の実装では他の区分であり得る。たとえば、複数のユニットまたは構成要素が別のシステムに、組み合わせられるかもしくは統合され得、またはいくつかの特徴は無視されるか、もしくは実施されないことがある。さらに、表示もしくは説明した相互結合もしくは直接結合または通信接続は、いくつかのインターフェースを使用することによって実装され得る。装置間またはユニット間の間接結合または通信接続は、電子的な形態、機械的な形態、または他の形態で実装され得る。
【０５０２】
別個の構成要素として説明したユニットは、物理的に別個であることもそうでないこともあり、ユニットとして表示した構成要素は、物理ユニットであることもそうでないこともあり、１つの位置に位置し得るか、または複数のネットワークユニット上に分散され得る。ユニットの一部または全部は、実施形態の解決策の目的を達成するために実際の要件に基づいて選択され得る。
【０５０３】
加えて、本出願の実施形態における機能ユニットが１つの処理ユニットへと統合されることがあり、またはユニットの各々が物理的に単独で存在することがあり、または２つ以上のユニットが１つのユニットへと統合される。
【０５０４】
機能が、ソフトウェア機能ユニットの形態で実装され、独立した製品として販売または使用されるとき、機能は、コンピュータ可読記憶媒体中に記憶され得る。そのような理解に基づいて、本出願の技術的な解決法が基本的に、または従来の技術に寄与する部分、または技術的な解決法の一部もしくは全部が、ソフトウェア製品の形式で実装され得る。コンピュータソフトウェア製品は、記憶媒体に記憶され、本出願の実施形態で説明された方法のステップの一部または全部を実行するように（パーソナルコンピュータ、サーバ、ネットワークデバイスなどであり得る）コンピュータデバイスに命令するためのいくつかの命令を含む。前述の記憶媒体は、ＵＳＢフラッシュドライブ、リムーバブルハードディスク、読取り専用メモリ（ＲＯＭ、Read-Only Memory）、ランダムアクセスメモリ（ＲＡＭ、Random Access Memory）、磁気ディスク、または光学ディスクなどの、プログラムコードを記憶できる任意の媒体を含む。
【０５０５】
上記の説明は、本出願の特定の実装形態にすぎず、本出願の保護範囲を限定するものではない。本出願で開示される技術範囲内で当業者によって容易に想到されるいかなる変形形態または置換形態も、本出願の保護範囲内に入るものである。したがって、本出願の保護範囲は、特許請求の範囲の保護範囲に従わなければならないものである。
【図１】
2020526093.tif 000011
【図２】
2020526093.tif 000012
【図３】
2020526093.tif 000013
【図４】
2020526093.tif 000014
【図５】
2020526093.tif 000015
【図６】
2020526093.tif 000016
【図７】
2020526093.tif 000017
【図８】
2020526093.tif 000018
【図９】
2020526093.tif 000019
【図１０】
2020526093.tif 000020
【図１１】
2020526093.tif 000021
【図１２】
2020526093.tif 000022
【図１３】
2020526093.tif 000023
【図１４】
2020526093.tif 000024
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
チャネル測定指示の方法であって、
端末デバイスによって、第１０の指示情報を受信するステップであって、前記第１０の指示情報は、チャネル測定が基づく周波数帯域の粒度を示し、１つの周波数帯域の粒度に対応する周波数帯域は、１つのプリコーディング行列に対応する、ステップと、
前記端末デバイスによって、前記第１０の指示情報に基づいて前記周波数帯域の粒度を決定するステップと
を備える方法。
【請求項２】
前記端末デバイスによって、前記周波数帯域の粒度に基づいて測定帯域幅に対してチャネル測定を実行するステップであって、前記測定帯域幅は、チャネル状態情報ＣＳＩをフィードバックするための帯域幅である、ステップをさらに備える請求項１に記載の方法。
【請求項３】
ＣＳＩをフィードバックするための前記帯域幅は、基準信号を送信するための帯域幅の全部または一部である、請求項２に記載の方法。
【請求項４】
前記周波数帯域の粒度は、プリコーディングリソースブロックグループＰＲＧの帯域幅サイズである、請求項１ないし３のいずれか一項に記載の方法。
【請求項５】
前記プリコーディング行列は、あらかじめ定義されたコードブックから前記端末デバイスによってランダムに選択される、請求項１ないし４のいずれか一項に記載の方法。
【請求項６】
前記端末デバイスによって、前記周波数帯域の粒度に基づいて測定帯域幅に対してチャネル測定を実行する前記ステップは、
前記端末デバイスによって、プリコーダ循環の粒度として前記周波数帯域の粒度を使用し、プリコーダ循環の送信方式に基づいて前記測定帯域幅に対してチャネル測定を実行するステップを含む請求項２ないし４のいずれか一項に記載の方法。
【請求項７】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項１ないし６のいずれか一項に記載の方法。
【請求項８】
同じ周波数帯域の粒度を有する任意の２つの隣接する周波数帯域に対応するプリコーディング行列は異なる、請求項１ないし７のいずれか一項に記載の方法。
【請求項９】
チャネル測定指示の方法であって、
ネットワークデバイスによって、チャネル測定が基づく周波数帯域の粒度を決定するステップであって、１つの周波数帯域の粒度に対応する周波数帯域は、１つのプリコーディング行列に対応する、ステップと、
前記ネットワークデバイスによって、第１０の指示情報を送るステップであって、前記第１０の指示情報は、前記周波数帯域の粒度を示す、ステップと
を備える方法。
【請求項１０】
前記周波数帯域の粒度は、プリコーディングリソースブロックグループＰＲＧの帯域幅サイズである、請求項９に記載の方法。
【請求項１１】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項９または１０に記載の方法。
【請求項１２】
同じ周波数帯域の粒度を有する任意の２つの隣接する周波数帯域に対応するプリコーディング行列は異なる、請求項９ないし１１のいずれか一項に記載の方法。
【請求項１３】
端末デバイスであって、
第１０の指示情報を受信するように構成された受信モジュールであって、前記第１０の指示情報は、チャネル測定が基づく周波数帯域の粒度を示し、１つの周波数帯域の粒度に対応する周波数帯域は、１つのプリコーディング行列に対応する、受信モジュールと、
前記第１０の指示情報に基づいて前記周波数帯域の粒度を決定するように構成された処理モジュールと
を備える端末デバイス。
【請求項１４】
前記処理モジュールは、前記周波数帯域の粒度に基づいて測定帯域幅に対してチャネル測定を実行することであって、前記測定帯域幅は、チャネル状態情報ＣＳＩをフィードバックするための帯域幅であるようにさらに構成された請求項１３に記載の端末デバイス。
【請求項１５】
ＣＳＩをフィードバックするための前記帯域幅は、基準信号を送信するための帯域幅の全部または一部である請求項１４に記載の端末デバイス。
【請求項１６】
前記周波数帯域の粒度は、プリコーディングリソースブロックグループＰＲＧの帯域幅サイズである、請求項１３ないし１５のいずれか一項に記載の端末デバイス。
【請求項１７】
前記プリコーディング行列は、あらかじめ定義されたコードブックからランダムに選択される、請求項１３ないし１６のいずれか一項に記載の端末デバイス。
【請求項１８】
前記処理モジュールは、プリコーダ循環の粒度として前記周波数帯域の粒度を使用し、プリコーダ循環の送信方式に基づいてチャネル測定を実行するように特に構成された請求項１４ないし１６のいずれか一項に記載の端末デバイス。
【請求項１９】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項１３ないし１８のいずれか一項に記載の端末デバイス。
【請求項２０】
同じ周波数帯域の粒度を有する任意の２つの隣接する周波数帯域に対応するプリコーディング行列は異なる、請求項１３ないし１９のいずれか一項に記載の端末デバイス。
【請求項２１】
ネットワークデバイスであって、
チャネル測定が基づく周波数帯域の粒度を決定することであって、１つの周波数帯域の粒度に対応する周波数帯域は、１つのプリコーディング行列に対応するように構成された処理モジュールと、
第１０の指示情報を送ることであって、前記第１０の指示情報は、前記周波数帯域の粒度を示すように構成されたトランシーバモジュールと
を備えるネットワークデバイス。
【請求項２２】
前記周波数帯域の粒度は、プリコーディングリソースブロックグループＰＲＧの帯域幅サイズである、請求項２１に記載のネットワークデバイス。
【請求項２３】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項２１または２２に記載のネットワークデバイス。
【請求項２４】
同じ周波数帯域の粒度を有する任意の２つの隣接する周波数帯域に対応するプリコーディング行列は異なる、請求項２１ないし２３のいずれか一項に記載のネットワークデバイス。
【請求項２５】
端末デバイスであって、
第１０の指示情報を受信するように構成されたプロセッサであって、前記第１０の指示情報は、チャネル測定が基づく周波数帯域の粒度を示し、１つの周波数帯域の粒度に対応する周波数帯域は、１つのプリコーディング行列に対応する、トランシーバと、
前記第１０の指示情報に基づいて前記周波数帯域の粒度を決定するように構成されたプロセッサと
を備える端末デバイス。
【請求項２６】
前記プロセッサは、前記周波数帯域の粒度に基づいて測定帯域幅に対してチャネル測定を実行することであって、前記測定帯域幅は、チャネル状態情報ＣＳＩをフィードバックするための帯域幅であるようにさらに構成された請求項２５に記載の端末デバイス。
【請求項２７】
ＣＳＩをフィードバックするための前記帯域幅は、基準信号を送信するための帯域幅の全部または一部である、請求項２６に記載の端末デバイス。
【請求項２８】
前記周波数帯域の粒度は、プリコーディングリソースブロックグループＰＲＧの帯域幅サイズである、請求項２５ないし２７のいずれか一項に記載の端末デバイス。
【請求項２９】
前記プリコーディング行列は、あらかじめ定義されたコードブックからランダムに選択される、請求項２５ないし２８のいずれか一項に記載の端末デバイス。
【請求項３０】
前記プロセッサは、プリコーダ循環の粒度として前記周波数帯域の粒度を使用し、プリコーダ循環の送信方式に基づいて前記測定帯域幅に対してチャネル測定を実行するように特に構成された請求項２６ないし２８のいずれか一項に記載の端末デバイス。
【請求項３１】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項２５ないし３０のいずれか一項に記載の端末デバイス。
【請求項３２】
同じ周波数帯域の粒度を有する任意の２つの隣接する周波数帯域に対応するプリコーディング行列は異なる、請求項２５ないし３１のいずれか一項に記載の端末デバイス。
【請求項３３】
ネットワークデバイスであって、
チャネル測定が基づく周波数帯域の粒度を決定することであって、１つの周波数帯域の粒度に対応する周波数帯域は、１つのプリコーディング行列に対応するように構成されたプロセッサと、
第１０の指示情報を送ることであって、前記第１０の指示情報は、前記周波数帯域の粒度を示すように構成されたトランシーバと
を備えるネットワークデバイス。
【請求項３４】
前記周波数帯域の粒度は、プリコーディングリソースブロックグループＰＲＧの帯域幅サイズである、請求項３３に記載のネットワークデバイス。
【請求項３５】
前記第１０の指示情報は、無線リソース制御ＲＲＣメッセージ、媒体アクセス制御ＭＡＣ制御要素ＣＥ、またはダウンリンク制御情報ＤＣＩのシグナリングのうちのいずれか１つ中で搬送される、請求項３３または３４に記載のネットワークデバイス。
【請求項３６】
同じ周波数帯域の粒度を有する任意の２つの隣接する周波数帯域に対応するプリコーディング行列は異なる、請求項３３ないし３５のいずれか一項に記載のネットワークデバイス。
【請求項３７】
請求項１ないし１２のいずれか一項に記載の前記方法を実行するように構成されたプロセッサ。
【請求項３８】
処理装置であって、
コンピュータプログラムを記憶するように構成されたメモリと、
前記メモリから前記コンピュータプログラムを呼び出し、前記コンピュータプログラムを実行して、請求項１ないし１２のいずれか一項に記載の前記方法を実行するように構成されたプロセッサと
を備える処理装置。
【請求項３９】
チップシステムであって、
コンピュータプログラムを記憶するように構成されたメモリと、
前記メモリから前記コンピュータプログラムを呼び出し、前記コンピュータプログラムを実行して、前記チップシステムが設置されるデバイスが請求項１ないし１２のいずれか一項に記載の前記方法を実行するように構成されたプロセッサと
を備えるチップシステム。
【請求項４０】
コンピュータプログラムを備えるコンピュータ可読記憶媒体であって、前記コンピュータプログラムがコンピュータ上で動作すると、前記コンピュータは、請求項１ないし１２のいずれか一項に記載の前記方法を実行することを可能にされるコンピュータ可読記憶媒体。
【手続補正２】
【補正対象書類名】明細書
【補正対象項目名】０１１６
【補正方法】変更
【補正の内容】
【０１１６】
第１０の態様によれば、チャネル測定指示の方法であって、
ネットワークデバイスによって、チャネル測定が基づく周波数帯域の粒度を決定するステップであって、１つの周波数帯域の粒度に対応する周波数帯域は、１つのプリコーディング行列に対応する、ステップと、
ネットワークデバイスによって、第１０の指示情報を送るステップであって、第１０の指示情報は、周波数帯域の粒度を示す、ステップと
を含むデータ送信の方法を提供する。
【手続補正３】
【補正対象書類名】明細書
【補正対象項目名】０１２４
【補正方法】変更
【補正の内容】
【０１２４】
第１３の態様によれば、トランシーバと、プロセッサと、メモリとを含む端末デバイスを提供する。プロセッサは、信号を受信し送信するようにトランシーバを制御するように構成される。メモリは、コンピュータプログラムを記憶するように構成される。プロセッサは、メモリからコンピュータプログラムを呼び出し、コンピュータプログラムを実行して、端末デバイスが、第１の態様もしくは第１の態様の可能な実装のうちのいずれか１つにおける方法、または第２の態様もしくは第２の態様の可能な実装のうちのいずれか１つにおける方法、または第７の態様もしくは第７の態様の可能な実装のうちのいずれか１つにおける方法、または第８の態様もしくは第８の態様の可能な実装のうちのいずれか１つにおける方法、または第９の態様もしくは第９の態様の可能な実装のうちのいずれか１つにおけるデータ送信方法を実行するように、ように構成される。
【手続補正４】
【補正対象書類名】明細書
【補正対象項目名】０１２５
【補正方法】変更
【補正の内容】
【０１２５】
第１４の態様によれば、トランシーバと、プロセッサと、メモリとを含むネットワークデバイスを提供する。プロセッサは、信号を受信し送信するようにトランシーバを制御するように構成される。メモリは、コンピュータプログラムを記憶するように構成される。プロセッサは、メモリからコンピュータプログラムを呼び出し、コンピュータプログラムを実行して、ネットワークデバイスが、第３の態様もしくは第３の態様の可能な実装のうちのいずれか１つにおける方法、または第４の態様もしくは第４の態様の可能な実装のうちのいずれか１つにおける方法、または第５の態様もしくは第５の態様の可能な実装のうちのいずれか１つにおける方法、または第６の態様もしくは第６の態様の可能な実装のうちのいずれか１つにおける方法、または第１０の態様もしくは第１０の態様の可能な実装のうちのいずれか１つにおけるデータ送信方法を実行するように、ように構成される。
【手続補正５】
【補正対象書類名】明細書
【補正対象項目名】０２０２
【補正方法】変更
【補正の内容】
【０２０２】
本出願のこの実施形態では、端末デバイスは、プリコーダ循環を受けた受信された基準信号に対応するｙ個のプリコーディング行列に基づいてｘ個のターゲットプリコーディング行列を決定し得る。可能な設計では、端末デバイスは、ｘ個のターゲットプリコーディング行列としてプリコーダ循環のために使用されるｙ個のプリコーディング行列中のｘ個のプリコーディング行列を直接使用し得る。この場合、端末デバイスは、ネットワークデバイスに、プリコーディング行列の数量ｘを搬送する一部分の指示情報を直接フィードバックし得る。ネットワークデバイスは、プリコーダ循環のために使用されるｙ個のプリコーディング行列からの指示情報に基づいて、データ送信のためのｘ個のプリコーディング行列を選択し得る。別の可能な設計では、端末デバイスは、プリコーダ循環のために使用されるｙ個のプリコーディング行列に基づいてｘ個のターゲットプリコーディング行列を決定し得、ここで、各ターゲットプリコーディング行列は、プリコーダ循環のために使用される少なくとも１つのプリコーディング行列に基づいてポート選択を通して取得され得る。言い換えれば、（たとえば、ＰBとして示される）１つのターゲットプリコーディング行列が、（たとえば、ＰAとして示される）１つのプリコーディング行列に基づいて決定されるとき、ＰBは、ＰA中の全部または一部の列ベクトルを組み合わせることによって形成され得、（たとえば、ＰDとして示される）１つのターゲットプリコーディング行列が、（たとえば、ＰAおよびＰCとして示される）少なくとも１つのプリコーディング行列に基づいて決定されるとき、ＰDは、ＰAおよびＰC中の一部または全部の列ベクトルを線形的に重ね合わせることによって形成され得る。
【手続補正６】
【補正対象書類名】明細書
【補正対象項目名】０２４５
【補正方法】変更
【補正の内容】
【０２４５】
任意選択で、方法２００は、ステップ２６０、ネットワークデバイスは、ターゲットプリコーディング行列の数量ｘの最大値ｃの指示情報を送り、ここで、ｃ≧ｘであり、ｃは整数である、をさらに含む。
【手続補正７】
【補正対象書類名】明細書
【補正対象項目名】０２７８
【補正方法】変更
【補正の内容】
【０２７８】
ステップ３３０において第６の指示情報の複数の部分に基づいて端末デバイスによってｘ個のターゲットプリコーディング行列を決定するための特定の方法は、間接的にｘ個のターゲットプリコーディング行列を示すために方法２００中のステップ２３０において第１の指示情報の複数の部分に基づいてネットワークデバイスによってｘ個のターゲットプリコーディング行列を決定するための特定の方法と同じであり、ステップ３３０において第６の指示情報と第７の指示情報とに基づいて端末デバイスによってｘ個のターゲットプリコーディング行列を決定するための特定の方法は、方法２００中のステップ２３０において第１の指示情報と第２の指示情報とに基づいてネットワークデバイスによってｘ個のターゲットプリコーディング行列を決定するための特定の方法と同じであることを理解されたい。簡潔のために、詳細をここで再び説明しない。
【手続補正８】
【補正対象書類名】明細書
【補正対象項目名】０２９７
【補正方法】変更
【補正の内容】
【０２９７】
本出願のこの実施形態では、ｘ個のターゲットプリコーディング行列を示すために使用される指示情報（すなわち、第３の指示情報）は、上記のＰＭＩ中でＰＭＩ値ｉ1であり得る。ＰＭＩ値ｉ1は、（区別および説明を容易にするために、第１のプリコーディング行列セットとして示される）１つプリコーディング行列セットを示すために使用され得、第１のプリコーディング行列セットは、ｚ個のプリコーディング行列を含み得、ここで、ｚ＞１であり、ｚは整数である。
【手続補正９】
【補正対象書類名】明細書
【補正対象項目名】０３６３
【補正方法】変更
【補正の内容】
【０３６３】
代替として、装置１０は、ネットワークデバイスと装置１０とを含む通信システム中に構成され得、ネットワークデバイスと装置１０とは、複数のプリコーディング行列セットを事前記憶し、複数のプリコーディング行列セットの各々は、少なくとも１つのプリコーディング行列を含む。装置１０は、受信モジュール１１と、送信モジュール１２と、処理モジュール１３とを含み得る。
【手続補正１０】
【補正対象書類名】明細書
【補正対象項目名】０３８３
【補正方法】変更
【補正の内容】
【０３８３】
任意選択で、フィードバックされる必要があるターゲットプリコーディング行列の数量ｘは、ネットワークデバイスと装置１０との中に事前構成される。装置１０は、本出願の実施形態におけるデータ送信の方法４００における端末デバイスに対応し得、装置１０は、図６中のデータ送信の方法４００における端末デバイスによって実行される方法を実行するためのモジュールを含み得ることを理解されたい。さらに、装置１０中のモジュールと上記の他の動作および／または機能とは、別個に、図６中のデータ送信の方法４００の対応する処理を実装するためのものである。詳細には、受信モジュール１１は、方法４００中のステップ４１０、ステップ４４０からステップ４７０、およびステップ４９０を実行するように構成され、送信モジュール１２は、方法４００中のステップ４２０およびステップ４８０を実行するように構成される。モジュールが上記の対応するステップを実行する特定の処理について、方法４００において詳細に説明した。簡潔のために、詳細をここで再び説明しない。
【手続補正１１】
【補正対象書類名】明細書
【補正対象項目名】０３９２
【補正方法】変更
【補正の内容】
【０３９２】
装置１０は、本出願の実施形態におけるデータ送信の方法５００における端末デバイスに対応し得、装置１０は、図７中のデータ送信の方法５００における端末デバイスによって実行される方法を実行するためのモジュールを含み得ることを理解されたい。さらに、装置１０中のモジュールと上記の他の動作および／または機能とは、別個に、図７中のデータ送信の方法５００の対応する処理を実装するためのものである。詳細には、送信モジュール１２は、方法５００中のステップ５１０およびステップ５４０からステップ５６０を実行するように構成され、受信モジュール１１は、方法５００中のステップ５２０を実行するように構成され、処理モジュール１３は、方法５００中のステップ５３０を実行するように構成される。モジュールが上記の対応するステップを実行する特定の処理について、方法５００において詳細に説明した。簡潔のために、詳細をここで再び説明しない。
【手続補正１２】
【補正対象書類名】明細書
【補正対象項目名】０３９３
【補正方法】変更
【補正の内容】
【０３９３】
図９は、本出願の一実施形態による、端末デバイスの概略構造図である。図９に示されているように、端末デバイスは、プロセッサ７０１とトランシーバ７０２とを含む。任意選択で、端末デバイスは、メモリ７０３をさらに含む。プロセッサ７０１と、トランシーバ７０２と、メモリ７０３とは、外部接続経路を使用することによって互いに通信して、制御信号および／またはデータ信号を転送する。メモリ７０３は、コンピュータプログラムを記憶するように構成される。プロセッサ７０１は、メモリ７０３からコンピュータプログラムを呼び出し、コンピュータプログラムを実行し、信号を受信および送信するようにトランシーバ７０２を制御するように構成される。
【手続補正１３】
【補正対象書類名】明細書
【補正対象項目名】０３９７
【補正方法】変更
【補正の内容】
【０３９７】
代替として、端末デバイスは、本出願の実施形態において提供されるデータ送信の方法４００における端末デバイスに対応し得、端末デバイスは、図６中のデータ送信の方法４００における端末デバイスによって実行される方法を実行するためのモジュールを含み得る。さらに、端末デバイス中のモジュールと上記の他の動作および／または機能とは、別個に、図６中のデータ送信の方法４００の対応する処理を実装するためのものである。詳細には、メモリ７０３は、プログラムコードを記憶するように構成され、したがって、プログラムコードを実行するとき、プロセッサ７０１は、アンテナ７０４を使用することによって方法４００中のステップ４１０、ステップ４２０、およびステップ４４０からステップ４９０を実行するようにトランシーバ７０２を制御する。モジュールが上記の対応するステップを実行する特定の処理について、方法４００において詳細に説明した。簡潔のために、詳細をここで再び説明しない。
【手続補正１４】
【補正対象書類名】明細書
【補正対象項目名】０３９８
【補正方法】変更
【補正の内容】
【０３９８】
代替として、端末デバイスは、本出願の実施形態において提供されるデータ送信の方法５００における端末デバイスに対応し得、端末デバイスは、図７中のデータ送信の方法５００における端末デバイスによって実行される方法を実行するためのモジュールを含み得る。さらに、端末デバイス中のモジュールと上記の他の動作および／または機能とは、別個に、図７中のデータ送信の方法５００の対応する処理を実装するためのものである。詳細には、メモリ７０３は、プログラムコードを記憶するように構成され、したがって、プログラムコードを実行するとき、プロセッサ７０１は、アンテナ７０４を使用することによって方法５００中のステップ５１０、ステップ５２０、およびステップ５４０からステップ５６０を実行し、ステップ５３０を実行するようにトランシーバ７０２を制御する。モジュールが上記の対応するステップを実行する特定の処理について、方法５００において詳細に説明した。簡潔のために、詳細をここで再び説明しない。
【手続補正１５】
【補正対象書類名】明細書
【補正対象項目名】０４３８
【補正方法】変更
【補正の内容】
【０４３８】
装置２０は、本出願の実施形態において提供されるデータ送信の方法４００におけるネットワークデバイスに対応し得、装置２０は、図６中のデータ送信の方法４００におけるネットワークデバイスによって実行される方法を実行するためのモジュールを含み得ることを理解されたい。さらに、装置２０中のモジュールと上記の他の動作および／または機能とは、別個に、図６中のデータ送信の方法４００の対応する処理を実装するためのものである。詳細には、送信モジュール２１は、方法４００中のステップ４１０、ステップ４４０からステップ４７０、およびステップ４９０を実行するように構成され、受信モジュール２２は、方法４００中のステップ４２０およびステップ４８０を実行するように構成され、処理モジュール２３は、方法４００中のステップ４３０を実行するように構成される。モジュールが上記の対応するステップを実行する特定の処理について、方法４００において詳細に説明した。簡潔のために、詳細をここで再び説明しない。
【手続補正１６】
【補正対象書類名】明細書
【補正対象項目名】０４４６
【補正方法】変更
【補正の内容】
【０４４６】
装置２０は、本出願の実施形態において提供されるデータ送信の方法５００におけるネットワークデバイスに対応し得、装置２０は、図７中のデータ送信の方法５００におけるネットワークデバイスによって実行される方法を実行するためのモジュールを含み得ることを理解されたい。さらに、装置２０中のモジュールと上記の他の動作および／または機能とは、別個に、図７中のデータ送信の方法５００の対応する処理を実装するためのものである。詳細には、送信モジュール２１は、方法５００中のステップ５２０を実行するように構成され、受信モジュール２２は、方法５００中のステップ５１０およびステップ５４０からステップ５６０を実行するように構成される。モジュールが上記の対応するステップを実行する特定の処理について、方法５００において詳細に説明した。簡潔のために、詳細をここで再び説明しない。
【手続補正１７】
【補正対象書類名】明細書
【補正対象項目名】０４５０
【補正方法】変更
【補正の内容】
【０４５０】
詳細には、ネットワークデバイスは、本出願の実施形態において提供されるデータ送信の方法２００におけるネットワークデバイスに対応し得、ネットワークデバイスは、図３中のデータ送信の方法２００におけるネットワークデバイスによって実行される方法を実行するためのモジュールを含み得る。さらに、ネットワークデバイス中のモジュールと上記の他の動作および／または機能とは、別個に、図３中のデータ送信の方法２００の対応する処理を実装するためのものである。詳細には、メモリ６３０は、プログラムコードを記憶するように構成され、したがって、プログラムコードを実行するとき、プロセッサ６１０は、アンテナ６４０を使用することによって方法２００中のステップ２１０、ステップ２２０、およびステップ２４０からステップ２９０を実行し、方法２００中のステップ２３０を実行するようにトランシーバ６２０を制御する。モジュールが上記の対応するステップを実行する特定の処理について、方法２００において詳細に説明した。簡潔のために、詳細をここで再び説明しない。
【手続補正１８】
【補正対象書類名】明細書
【補正対象項目名】０４５２
【補正方法】変更
【補正の内容】
【０４５２】
代替として、ネットワークデバイスは、本出願の実施形態において提供されるデータ送信の方法４００におけるネットワークデバイスに対応し得、ネットワークデバイスは、図６中のデータ送信の方法４００におけるネットワークデバイスによって実行される方法を実行するためのモジュールを含み得る。さらに、ネットワークデバイス中のモジュールと上記の他の動作および／または機能とは、別個に、図６中のデータ送信の方法４００の対応する処理を実装するためのものである。詳細には、メモリ６３０は、プログラムコードを記憶するように構成され、したがって、プログラムコードを実行するとき、プロセッサ６１０は、アンテナ６４０を使用することによって方法４００中のステップ４１０、ステップ４２０、およびステップ４４０からステップ４９０を実行し、ステップ４３０を実行するようにトランシーバ６２０を制御する。モジュールが上記の対応するステップを実行する特定の処理について、方法４００において詳細に説明した。簡潔のために、詳細をここで再び説明しない
【手続補正１９】
【補正対象書類名】明細書
【補正対象項目名】０４５３
【補正方法】変更
【補正の内容】
【０４５３】
代替として、ネットワークデバイスは、本出願の実施形態において提供されるデータ送信の方法５００におけるネットワークデバイスに対応し得、ネットワークデバイスは、図７中のデータ送信の方法５００におけるネットワークデバイスによって実行される方法を実行するためのモジュールを含み得る。さらに、ネットワークデバイス中のモジュールと上記の他の動作および／または機能とは、別個に、図７中のデータ送信の方法５００の対応する処理を実装するためのものである。詳細には、メモリ６３０は、プログラムコードを記憶するように構成され、したがって、プログラムコードを実行するとき、プロセッサ６１０は、アンテナ６４０を使用することによって方法５００中のステップ５１０、ステップ５２０、およびステップ５４０からステップ５６０を実行するようにトランシーバ６２０を制御する。モジュールが上記の対応するステップを実行する特定の処理について、方法５００において詳細に説明した。簡潔のために、詳細をここで再び説明しない。
【手続補正２０】
【補正対象書類名】明細書
【補正対象項目名】０４６０
【補正方法】変更
【補正の内容】
【０４６０】
具体的に言えば、周波数帯域の粒度は、端末デバイスがチャネル測定を実行することに基づく周波数帯域ユニットとして理解され得る。任意選択で、周波数帯域の粒度は、たとえば、限定はしないが、１つもしくは複数のサブキャリア（もしくは周波数領域中の１つもしくは複数のＲＥに対応するリソース）、周波数領域中の１つのリソースユニットに対応するリソース、周波数領域中の複数のリソースユニットを含むＲＢグループ（ＲＢＧ）に対応するリソースであり得るか、または１／２リソースユニット、１／４リソースユニット、もしくはプリコーディングリソースブロックグループサイズ（PRG size）であり得る。
【手続補正２１】
【補正対象書類名】明細書
【補正対象項目名】０４８８
【補正方法】変更
【補正の内容】
【０４８８】
本出願の一実施形態は、チャネル測定指示の装置４０をさらに提供する。チャネル測定指示の装置４０は、ネットワークデバイスであり得るか、またはチップもしくは回路、たとえば、ネットワークデバイス中に配設され得るチップまたは回路であり得る。チャネル測定指示の装置４０の概略ブロック図を図１４に示し得る。図１４に示すように、チャネル測定指示の装置４０は、処理モジュール４１と送信モジュール４２とを含む。
【国際調査報告】
2020526093.tif 000025
2020526093.tif 000026
2020526093.tif 000027
2020526093.tif 000028